(57)【要約】  照明器具のソケットに装着される円筒状の口金３０の端部に、口金３０の軸心周りに、筒状の台座１０の一方の端部が回転可能に取り付けられている。台座１０の他方の端部には、支持台４０が台座１０と一体回転可能に取り付けられている。支持台４０には、複数のＬＥＤチップを有するＬＥＤモジュール５１が取り付けられている。支持台４０には、ＬＥＤモジュール５１が取り付けられる端面４３ａが設けられており、端面４３ａは、ＬＥＤモジュール５１に設けられたＬＥＤチップから照射される光の方向が、口金３０の軸方向に対して所定の傾斜角度で傾斜するように構成されている。
2011077725.tif 000002
【特許請求の範囲】
【請求項１】
照明器具のソケットに装着される口金と、
前記口金に、当該口金の軸心回りに回転可能に支持された台座と、
半導体発光素子を有し、当該半導体発光素子による光の照射方向が、前記口金の軸心に対して傾斜状態または垂直状態になるように、前記台座の端部または外面に取り付けられた発光モジュールと、
を有することを特徴とする電球形ランプ。
【請求項２】
前記台座は中空になっており、
当該台座の内部に、前記発光モジュールの半導体発光素子を点灯させるための点灯回路ユニットが設けられていることを特徴とする請求項１に記載の電球形ランプ。
【請求項３】
前記点灯回路ユニットを収納するケースをさらに有し、
当該ケースの一部が前記台座の内部に配置されていることを特徴とする請求項２に記載の電球形ランプ。
【請求項４】
前記ケースには、前記台座から外部に突出した状態で前記口金が取り付けられる連結部が設けられていることを特徴とする請求項３に記載の電球形ランプ。
【請求項５】
前記口金に対する前記台座の回転が１回転を超えないように規制する規制部材をさらに有することを特徴とする請求項４に記載の電球形ランプ。
【請求項６】
前記規制部材は、前記ケースの連結部に嵌合した状態で前記ケースに取り付けられたリング部材を有し、
当該リング部材における周方向の１か所と、前記台座における前記連結部の周囲に位置する部分の周方向の１か所とのそれぞれに、当該台座と前記ケースとが相対的に回転することによって相互に係合し得る係合部が設けられていることを特徴とする請求項５に記載の電球形ランプ。
【請求項７】
前記台座における前記口金とは反対側の端部に、当該端部内に当該台座と一体的に回転可能になった支持台が設けられており、
前記発光モジュールは、前記支持台に、前記半導体発光素子による光の照射方向が前記口金の軸心に対して所定の傾斜角度になるように、取り付けられていることを特徴とする請求項１に記載の電球形ランプ。
【請求項８】
前記点灯回路ユニットが、電気配線によって前記口金に電気的に接続された状態で、前記台座に一体的に取り付けられており、
前記電気配線が、前記台座の回転に追従可能になっていることを特徴とする請求項２に記載の電球形ランプ。
【請求項９】
前記台座および前記支持台は、それぞれ高熱伝導率であって、相互に接触した状態になっていることを特徴とする請求項８に記載の電球形ランプ。
【請求項１０】
前記台座および前記支持台は、アルミニウムによって構成されていることを特徴とする請求項９に記載の電球形ランプ。
【請求項１１】
前記発光モジュールは、前記台座の外面に取り付けられていることを特徴とする請求項２に記載の電球形ランプ。
【請求項１２】
前記発光モジュールは、帯板状の実装基板と、当該実装基板の片面上に長手方向に沿って実装された複数の半導体発光素子とを備えていることを特徴とする請求項１１に記載の電球形ランプ。
【請求項１３】
前記点灯回路ユニットが、前記口金に電気的に接続された状態で、前記ケースに一体的に取り付けられており、
前記点灯回路ユニットと、前記前記発光モジュールの半導体発光素子とがロータリー接点によって電気的に接続されていることを特徴とする請求項１１に記載の電球形ランプ。
【請求項１４】
前記台座における前記口金とは反対側の端部に、前記発光モジュールを覆う光透過性のグローブが取り付けられていることを特徴とする請求項１に記載の電球形ランプ。
【請求項１５】
前記グローブには、前記発光モジュールから照射される光を前記照射方向になるように反射させる反射部材が設けられていることを特徴とする請求項１４に記載の電球形ランプ。
【請求項１６】
照明器具のソケットに装着される口金と、
前記口金に取り付けられた筐体と、
半導体発光素子を有し、当該半導体発光素子による光の照射方向が、前記口金の軸心に対して傾斜状態になるように、前記筐体の内部に配置された発光モジュールと、
前記発光モジュールおよび前記口金にそれぞれ電気的に接続された点灯回路と、
当該点灯回路が実装された状態で前記筐体の内部に収容された回路基板と、を備え、
前記回路基板は、前記口金の軸心に沿った状態で設けられるとともに、前記口金から遠い側の端部が、前記発光モジュールの光照射方向とは反対側に形成された前記筐体の空間内に進入していることを特徴とする電球形ランプ。
【請求項１７】
前記回路基板は、前記口金から遠い側の端部の側縁が、前記発光モジュールに近接した状態になっており、他方の端部が前記口金の内部に収容されていることを特徴とする請求項１６に記載の電球形ランプ。
【請求項１８】
前記筐体は、放熱性を有しており、しかも、前記発光モジュールと熱伝導状態になるとともに、前記口金とは絶縁状態になっていることを特徴とする請求項１６に記載の電球形ランプ。
【請求項１９】
前記回路基板が、前記筐体および前記口金のいずれか一方とは回転可能であって、他方とは一体的に構成されていることを特徴とする請求項１６に記載の電球形ランプ。
【請求項２０】
前記口金に対する前記筐体の回転が１回転を超えないように規制する規制部材をさらに有することを特徴とする請求項１９に記載の電球形ランプ。
【請求項２１】
前記規制部材は、
前記口金によって前記筐体に圧接されており、当該筐体に対向して、周方向の１か所において不連続になったリング状のガイド溝が設けられた絶縁リングと、
当該絶縁リングにおける前記ガイド溝内にスライド可能に嵌合するように、前記筐体に取り付けられたガイドピンと、
を有することを特徴とする請求項２０に記載の電球形ランプ。
【請求項２２】
前記点灯回路ユニットを収納する回路ケースをさらに有し、
当該回路ケースが、前記筐体の内部から前記口金の内部にわたって配置されていることを特徴とする請求項１６に記載の電球形ランプ。
【請求項２３】
前記回路ケースは、
前記筐体の内部に配置されるケース本体部と、
当該ケース本体部に対して回転可能になっており、前記筐体から外部に突出した状態で、前記口金の内部に一体的に取り付けられたケース連結部と、を有することを特徴とする請求項２２に記載の電球形ランプ。
【請求項２４】
前記ケース本体部は、前記筐体に一体的に取り付けられており、
前記回路基板は、前記ケース本体部に一体的に取り付けられるとともに、前記ケース連結部に対して回転可能になっていることを特徴とする請求項２３に記載の電球形ランプ。
【請求項２５】
前記回路基板は、一対の電気配線によって前記口金に電気的に接続されており、
前記一対の電気配線は、前記回路基板と前記口金とが１回転以上にわたって回転するように、相互に撚り合されていることを特徴とする請求項２４に記載の電球形ランプ。
【請求項２６】
前記ケース本体部は、前記筐体に対して回転可能であり、
前記回路基板は、前記ケース連結部に一体的に取り付けられるとともに、前記ケース本体部に対して回転可能になっていることを特徴とする請求項２３に記載の電球形ランプ。
【請求項２７】
前記回路基板は、一対の電気配線によって前記発光モジュールに電気的に接続されており、
前記一対の電気配線が、前記回路基板と前記発光モジュールとが１回転以上にわたって回転できるように、相互に撚り合されていることを特徴とする請求項２６に記載の電球形ランプ。
【請求項２８】
前記発光モジュールは、前記筐体の空間内に、前記開口部に対向した状態で、当該筐体とは熱伝導状態で取り付けられた熱伝導性のモジュール支持台上に搭載されていることを特徴とする請求項１６に記載の電球形ランプ。
【請求項２９】
照明器具のソケットに装着される口金と、
前記口金と一体的に回転するように、当該口金に連結された台座と、
帯板状の実装基板と、当該実装基板の長手方向に沿って実装された複数の半導体発光素子とを備えた発光モジュールと、を有し、
前記実装基板が、前記口金の軸心に沿って前記口金とは反対側に延出するように、前記台座の端部に支持されていることを特徴とする電球形ランプ。
【請求項３０】
前記発光モジュールは、前記口金と同軸状態になった光透過性の外筒によって覆われていることを特徴とする請求項２９に記載の電球形ランプ。
【請求項３１】
前記台座は、前記口金に対して回転可能になっていることを特徴とする請求項２９に記載の電球形ランプ。
【請求項３２】
前記発光モジュールの実装基板が、前記外筒の軸心から外れた位置に配置されていることを特徴とする請求項３１に記載の電球形ランプ。
【請求項３３】
前記発光モジュールの実装基板は、光透過性であって、前記外筒の軸心位置に配置されていることを特徴とする請求項３１に記載の電球形ランプ。
【請求項３４】
前記発光モジュールは、前記実装基板の両面のそれぞれに、長手方向に沿って複数の半導体発光素子が実装されており、前記実装基板は、前記外筒の軸心に沿って配置されていることを特徴とする請求項３１に記載の電球形ランプ。
【請求項３５】
前記口金の内部に、前記発光モジュールの半導体発光素子を点灯させるための点灯回路ユニットが設けられていることを特徴とする請求項２９に記載の電球形ランプ。
【発明の詳細な説明】
【技術分野】
【０００１】
本発明は、電球形ランプに関し、特に、ＬＥＤ（発光ダイオード）等の半導体発光素子を光源とする電球形ランプに関する。
【背景技術】
【０００２】
ＬＥＤ等の半導体発光素子を光源とする光源装置の実用化が進んでおり、広く普及している白熱電球用の既設の照明器具のソケットに直接装着できるように、一般的なＥ２６型の口金を用いた電球形ＬＥＤランプも開発されている。このような電球形ＬＥＤランプは、通常、口金の軸心に対して直交する面上に、複数のＬＥＤチップが実装されており、指向性の強い各ＬＥＤチップからは、口金の軸心方向に沿って光が照射される。【０００３】
また、一般的なＥ２６型の口金よりもさらに小型のＥ１７型の口金を有するミニクリプトン電球の代替となる小型の電球形ＬＥＤランプの開発も進んでいる。ミニクリプトン電球は、多くの場合、ダウンライト型の照明器具に装着して使用される。ダウンライト型の小型電球用照明器具は、通常、軸方向が概略水平状態または水平に対して３０°程度以下の傾斜状態になったソケットと、そのソケットに口金が装着されたミニクリプトン電球を覆う半球形状（碗状）の器具本体部とを有している。【０００４】
ダウンライト型の小型電球用照明器具では、半球形状の器具本体部が、開口部を下方に向けた状態で天井等に取り付けられている。ミニクリプトン電球は、器具本体部の開口部を通して回転操作されることにより、照明器具のソケットに口金が取り付けられる。ソケットに取り付けられたミニクリプトン電球は、器具本体部の内部において概略水平状態、あるいは水平に対して３０°程度以下の傾斜状態に保持される。【０００５】
従来のミニクリプトン電球では、光軸を中心とした光の広がり角度が１８０°近くになっているために、軸方向が水平状態に近い状態になったソケットに取り付けられた状態で、照明器具の下方の領域に光を照射することができる。【０００６】
しかしながら、このようなダウンライト型のミニクリプトン電球の代替として、前述したように、口金の軸心に対して直交する面上に複数のＬＥＤチップが実装された電球形ＬＥＤランプを用いると、ソケットに取り付けられた電球形ＬＥＤランプのＬＥＤチップから出射される光は、口金の軸心方向に沿って、口金から離れる方向（前方）に照射される。これにより、照明器具における下方の照明領域に対して十分な光量の光を照射することができないおそれがある。【０００７】
特許文献１には、点灯装置が収納されたカバーを口金に取り付けて、発光ダイオードを有する球状体を、カバーに対して回転可能に取り付けた電球形ＬＥＤランプが開示されている。この電球形ＬＥＤランプでは、球状体をカバーに対して回動させることにより、発光ダイオードによる光の照射方向を、口金の軸方向に対して自由に変更することが可能になっている。【０００８】
また、特許文献２には、口金を備える台座部の内部に、ＬＥＤを点灯させる点灯回路を設けるとともに、ＬＥＤの配光ビームの光軸中心が、口金の差し込み方向に対して、略９０°になったＬＥＤを、回転機構を介して、台座部における口金とは反対側に取り付けた電球形ＬＥＤランプが開示されている。
【先行技術文献】
【特許文献】
【０００９】
【特許文献１】特開２００８−２５１４４４号公報
【特許文献２】特開２００５−２７６４６７号公報
【発明の概要】
【発明が解決しようとする課題】
【００１０】
特許文献１に開示された電球形ＬＥＤランプでは、カバーの先端部に支持された球状体がカバーの先端部内に嵌合されているために、カバーの内部において球状体が占める体積が大きくなっている。その結果、発光ダイオードの点灯装置は、カバーの一端部に設けられた口金の内部を利用して設けられている。しかしながら、発光ダイオードの点灯装置をカバーの内部に収容するためにカバーを大型化すると、電球形ＬＥＤランプ全体が大型になり、電球形ＬＥＤランプをダウンライト型の小型電球用照明器具に装着することができなくなるおそれがある。【００１１】
また、電球形ＬＥＤランプを、ミニクリプトン電球等の代替としてダウンライト型の小型電球用照明器具に装着することができても、照明器具の内部において、球状体の周囲に十分なスペースが確保されないおそれがあり、この場合には、球状体を回動操作することが容易でないという問題がある。【００１２】
また、特許文献２に開示された電球形ＬＥＤランプでは、点灯回路が内部に設けられた台座部の先端部に、回転機構を介して、台座部の軸方向に沿って長く延びるＬＥＤが設けられているために、全体が軸方向に沿って長くなっている。このような構成の電球形ＬＥＤランプも、台座部の大きさを、内部に点灯回路が収容されるように構成すると、全体が大型化し、ダウンライト型の小型電球用照明器具に装着することができないおそれがある。【００１３】
特に、ミニクリプトン電球のように小型の電球に対応した電球形ＬＥＤランプでは、筐体および口金も小さくなっているために、ＬＥＤチップを点灯させるために必要な電力を供給する点灯回路を配置するための空間も小さくなるという問題がある。内部容積が小さくなった筐体の内部に点灯回路を収容する場合、点灯回路を構成する電子部品も小型化しなければならず、そのために高出力化することが容易でないという問題がある。【００１４】
本発明は、このような問題を解決するものであり、その目的は、ダウンライト型の照明器具に装着可能であって、しかも、半導体発光素子による光の照射方向を容易に調整することができる電球形ランプを提供することにある。また、本発明の他の目的は、点灯回路を構成する電子部品を安定的に使用することができる電球形ランプを提供することにある。さらに、本発明の他の目的は、照明器具における下方の照明領域に対して十分な光量の光を照射することができる電球形ランプを提供することにある。
【課題を解決するための手段】
【００１５】
上記の目的を達成するため、本発明の第１の局面における電球形ランプは、照明器具のソケットに装着される口金と、前記口金に、当該口金の軸心回りに回転可能に支持された台座と、半導体発光素子を有し、当該半導体発光素子による光の照射方向が、前記口金の軸心に対して傾斜状態または垂直状態になるように、前記台座の端部または外面に取り付けられた発光モジュールと、を有することを特徴とする。【００１６】
また、上記の目的を達成するため、本発明の第２の局面における電球形ランプは、照明器具のソケットに装着される口金と、前記口金に取り付けられた筐体と、半導体発光素子を有し、当該半導体発光素子による光の照射方向が、前記口金の軸心に対して傾斜状態になるように、前記筐体の内部に配置された発光モジュールと、前記発光モジュールおよび前記口金にそれぞれ電気的に接続された点灯回路と、当該点灯回路が実装された状態で前記筐体の内部に収容された回路基板と、を備え、前記回路基板は、前記口金の軸心に沿った状態で設けられるとともに、前記口金から遠い側の端部が、前記発光モジュールの光照射方向とは反対側に形成された前記筐体内の空間内に進入していることを特徴とする。【００１７】
また、上記の目的を達成するため、本発明の第３の局面における電球形ランプは、照明器具のソケットに装着される口金と、前記口金と一体的に回転するように、当該口金に連結された台座と、帯板状の実装基板と、当該実装基板の長手方向に沿って実装された複数の半導体発光素子とを備えた発光モジュールと、を有し、前記実装基板が、前記口金の軸心に沿って前記口金とは反対側に延出するように、前記台座の端部に支持されていることを特徴とする。
【発明の効果】
【００１８】
本発明の第１の局面に係る電球形ランプでは、口金に回転可能に支持された台座に、発光モジュールが、光の照射方向を、口金の軸心に対して傾斜状態または垂直状態として取り付けられているために、照明器具のソケットに口金が装着された状態で、台座を回転操作することによって、半導体発光素子の光の照射方向を所定方向に調整することができる。従って、照明器具に装着された状態での半導体発光素子の光の照射方向の調整を容易に行うことができる。【００１９】
また、口金に対して台座が回転可能に支持されていることにより、口金と台座とをオーバーラップさせることができ、これにより、全体を小型化することができる。その結果、ダウンライト型の小型電球用照明器具に装着可能に小型化することができ、ミニクリプトン電球等の代替とすることができる。【００２０】
本発明の第２の局面に係る電球形ランプでは、筐体の内部に収容された回路基板が、口金の軸心に沿った状態で、傾斜状態になった発光モジュールに対して光照射方向とは反対側の空間に進出した状態になっているために、回路基板の面積が大きくなっている。従って、この空間内に進入した回路基板部分に、点灯回路を構成する各種電子部品を搭載することができ、出力電力量を増大させるための大型の電子部品を配置することができる。また、回路基板の面積が大きくなっていることにより、実装させる電子部品を密集させる必要がなく、電子部品が高温になることも抑制することができる。以上のことにより、電球形ランプを小型化および高出力化することができる。【００２１】
本発明の第３の局面に係る電球形ランプでは、台座に取り付けられた発光モジュールの複数の半導体発光素子が、口金の軸心に沿って配列されているために、照明器具の下方を広範囲にわたって照明することができる。
【図面の簡単な説明】
【００２２】
【図１】本発明の第１の実施形態に係る電球形ＬＥＤランプが装着された一般白熱電球用の照明器具の断面図である。
【図２】その電球形ＬＥＤランプの概略構成を示す一部破断側面図である。
【図３】その電球形ＬＥＤランプを分解して示す斜視図である。
【図４】ＬＥＤモジュールが取り付けられた支持台の側面図である。
【図５】図４の矢印Ｄで示す方向の正面図である。
【図６】図５のＡ−Ａ線における断面図である。
【図７】（ａ）は、本発明の第１の実施形態における変形例の電球形ＬＥＤランプの側面図、（ｂ）は、その電球形ＬＥＤランプの底面図、（ｃ）は、その電球形ＬＥＤランプの正面図である。
【図８】その電球形ＬＥＤランプの分解斜視図である。
【図９】（ａ）は、ロータリー接点の固定側端子基板における摺動側表面を示す平面図、（ｂ）は、ロータリー接点の回転側端子基板における摺動側表面を示す平面図、（ｃ）は、回転側端子基板の側面図である。
【図１０】本発明の第２の実施形態に係る電球形ＬＥＤランプが装着された一般白熱電球用の照明器具の断面図である。
【図１１】その電球形ＬＥＤランプの概略構成を示す縦断面図である。
【図１２】その電球形ＬＥＤランプに設けられた絶縁リングにおける筐体側の端面の平面図である。
【図１３】その電球形ＬＥＤランプに設けられた点灯回路ユニットにおける点灯回路の回路図である。
【図１４】回路ケース内に設けられた点灯回路ユニットの側面図である。
【図１５】本発明の第２実施形態における変形例の電球形ＬＥＤランプの縦断面図である。
【図１６】本発明の第３実施形態に係る電球形ＬＥＤランプの縦断面図である。
【図１７】その電球形ＬＥＤランプを分解して示す斜視図である。
【図１８】その電球形ＬＥＤランプに設けられた外筒の横断面の概略図である。
【図１９】（ａ）は、その電球形ＬＥＤランプに設けられた絶縁連結体を構成する一方の半円筒部材の正面図、（ｂ）および（ｃ）は、それぞれ、その半円筒部材の台座側および口金側の側面図である。
【図２０】本実施形態の電球形ＬＥＤランプの変形例における外筒の横断面の概略図である。
【図２１】（ａ）および（ｂ）は、それぞれ、その電球形ＬＥＤランプのさらに他の変形例における外筒の横断面の概略図である。
【発明を実施するための形態】
【００２３】
以下、本発明に係る電球形ランプの第１の実施の形態を、半導体発光素子であるＬＥＤチップを有する電球形ＬＥＤランプについて、図面を参照しながら説明する。
【００２４】
＜第１実施形態＞
図１は、第１実施形態に係る電球形ＬＥＤランプ１が装着された一般白熱電球用の照明器具の断面図である。この照明器具７０は、天井に取り付けられた半球形状（碗状）の器具本体部７１と、器具本体部７１に取り付けられたソケット７２とを有している。ソケット７２は、一般白熱電球用の口金が挿入される挿入口が、器具本体部７１の周面に形成された開口部７１ａに対向した状態で、かつ、挿入口側が下側に位置するように水平線に対して若干傾斜した状態で、器具本体部７１の外部に支持されている。
【００２５】
図２は、本実施形態の電球形ＬＥＤランプ１の概略構成を示す一部破断側面図、図３は、その電球形ＬＥＤランプの主要部を分解して示す斜視図である。
【００２６】
本実施形態の電球形ＬＥＤランプ１は、横断面円形の筒状に構成された台座（筐体）１０と、台座１０とは一体的に回転可能であってＬＥＤモジュール５１を支持する支持台４０と、台座１０の内部に一部が収容された回路ユニットケース２０と、ＬＥＤモジュール５１を点灯するために回路ユニットケース２０内に収容された点灯回路ユニット５６と、回路ユニットケース２０に一体的に連結された円筒形状の口金３０と、ＬＥＤモジュール５１を覆うように台座１０に取り付けられたグローブ５５とを有している。なお、図３ではグローブ５５を省略している。
【００２７】
口金３０は、照明器具７０のソケット７２に装着されるように、例えば、ＪＩＳ（日本工業規格）に規定するＥ１７口金の規格に適合しており、回路ユニットケース２０の一方の端部に設けられた円筒形状の連結部２２に取り付けられている。
【００２８】
なお、口金３０は、このように、Ｅ１７口金の規格に適合する構成に限らず、他の照明器具のソケットに装着されるように、ＪＩＳにて規定される他の規格（Ｅ２６口金等）に適合する構成であってもよい。
【００２９】
口金３０は、円筒形状に構成されたシェル３１を有している。図２に示すように、シェル３１の外周面には、照明器具７０におけるソケット７２内にシェル３１を装着するためのネジ溝３１ａが設けられており、また、シェル３１の内周面には、回路ユニットケース２０の一方の端部に設けられた連結部２２を連結するためのネジ溝３１ｂが設けられている。
【００３０】
シェル３１におけるソケット７２内への挿入側の端部には絶縁接続体３２が設けられている。絶縁接続体３２は、その挿入側の先端に向って突出した中空円錐形状になっており、シェル３１に対して同軸状態で取り付けられている。絶縁接続体３２の先端部にはアイレット３３が取り付けられている。シェル３１とアイレット３３とは、絶縁接続体３２によって一体的に連結されている。
【００３１】
口金３０の内部には、回路ユニットケース２０内に収容された点灯回路ユニット５６へ給電するための第１給電線３５ａおよび第２給電線３５ｂを有する撚り線３５（電気配線）が設けられている。第１給電線３５ａの一端はシェル３１に接続されており、また、第２給電線３５ｂの一端はアイレット３３に接続されている。撚り線３５は、シェル３１の内部を通過している。
【００３２】
回路ユニットケース２０は、横断面円形の有底筒状に構成されたケース本体部２１を有しており、ケース本体部２１の一方の端面であるケース底面２１ａに、口金３０のシェル３１内に挿入されて口金３０と連結するための円筒形状の連結部２２が設けられている。ケース本体部２１は、ケース底面２１ａから離れるにつれて順次直径が大きくなっており、ケース本体部２１におけるケース底面２１ａとは反対側に位置する端面は、全面にわたって開放されたケース開口部２１ｃ（図３参照）になっている。
【００３３】
円筒形状の連結部２２は、ケース底面２１ａの中央部から、ケース本体部２１に対して離れる方向に、シェル３１の軸方向長さの１／２程度の軸方向長さで突出するように、ケース本体部２１とは同軸状態で設けられている。連結部２２の内部は、ケース本体部２１の内部と連通状態になっている。ケース本体部２１および連結部２２は、絶縁性の合成樹脂によって一体成型されている。
【００３４】
連結部２２の外周面にはネジ溝２２ａが設けられている。このネジ溝２２ａは、連結部２２がシェル３１内に挿入される際に、口金３０のシェル３１の内周面に設けられたネジ溝３１ｂとネジ結合される。これにより、連結部２２と口金３０とが連結されている。
【００３５】
口金３０のシェル３１およびアイレット３３にそれぞれ接続された第１給電線３５ａおよび第２給電線３５ｂを有する撚り線３５は、シェル３１に連結された連結部２２の内部を通って、ケース本体部２１内に引き出されており、さらには、ケース本体部２１の内部を通過して、ケース開口部２１ｃの近傍にまで達している。
【００３６】
回路ユニットケース２０のケース本体部２１は、筒状の台座１０の内部に収容されており、台座１０の一方の端面には、回路ユニットケース２０の連結部２２が突出する貫通穴１２ａを有する台座底面１２ｂが設けられている。
【００３７】
台座１０は、通常の白熱電球本体の基端側を模した輪郭を有しており、台座底面１２ｂに連続する円筒形状の台座基端部１２と、台座基端部１２に対して台座底面１２ｂから離れる方向に連続して同心状態で設けられた円筒形状の台座本体部１１とを有している。
【００３８】
台座基端部１２は、台座底面１２ｂから離れるにつれて順次、直径が大きくなっている。また、台座本体部１１も、台座基端部１２から離れるにつれて、直径が順次大きくなっているが、台座本体部１１の周面は、台座基端部１２の周面よりも小さな傾斜角度で傾斜している。台座本体部１１における台座基端部１２とは反対側の先端面は、全面にわたって開放された台座開口部１１ａになっている。
【００３９】
台座基端部１２の台座底面１２ｂに形成された貫通穴１２ａは、台座基端部１２の軸心を中心として、連結部２２の外径よりも若干大きな直径の円形状に形成されており、貫通穴１２ａの周囲が台座底面１２ｂになっている。台座底面１２ｂは、台座基端部１２の軸心に垂直な平坦面になっており、回路ユニットケース２０の連結部２２が貫通穴１２ａ内に挿入された状態では、ケース底面２１ａに対向するようになっている。
【００４０】
台座底面１２ｂにおける周方向の１か所には、内側（台座基端部１２の軸心側）に向って突出した係合部１２ｃ（図３参照）が形成されている。
【００４１】
台座１０は、全体が、アルミニウムのダイキャストによって一体成型されており、全体にわたって、１．５ｍｍ〜３ｍｍ程度の一定の厚さになっている。
【００４２】
台座１０の外周面は、アルマイト処理によって、例えば、全体にわたって１０μｍの厚さのアルマイト層（陽極酸化皮膜）が形成されており、これにより、放熱特性が向上している。
【００４３】
例えば、台座１０の外周面に白アルマイト処理を施して形成されたアルマイト層の表面（白アルマイト皮膜の表面）の放射率は、０．８になる。この場合、アルマイト処理が施されていない台座１０の内周面の放射率は、０．０５であり、外周面の放射率が内周面の放射率よりも１０倍以上になっている。
【００４４】
台座１０に伝わった熱の一部は、台座１０の表面からの放射によって放熱される。この場合、台座１０の内周面よりも外周面の放射率が高くなっていることにより、外周面における熱の放射が促進されるのに対して、内周面における熱の放射が抑制されることになる。これにより、台座１０の内部の熱が外部に放射されることが促進されて、内部にこもることなくが抑制される。
【００４５】
なお、アルマイト層は、白アルマイト皮膜に限らず、黒アルマイト皮膜であってもよい。
【００４６】
このように、アルマイト処理によって形成されるアルマイト層（アルマイト皮膜）は、膜厚が薄いために、台座１０の体積、重量に与える影響がほとんどない。従って、アルマイト層を形成することによって、台座１０の小型化および軽量化に影響を与えることなく、高い放熱性を実現することができる。
【００４７】
なお、台座１０の外周面にアルマイト処理によってアルマイト層を形成する構成に代えて、台座１０の外周面に合成樹脂を塗装することによって放熱性を向上させることもできる。
【００４８】
ケース本体部２１における連結部２２が設けられたケース底面２１ａには、台座基端部１２の台座底面１２ｂの回転を、１回転を超えない３６０°未満の範囲に規制する規制部材を構成するストッパーリング２４が取り付けられている。ストッパーリング２４は、ステンレス等の金属板によってリング状に形成されており、連結部２２に同心状態で嵌合されて、ケース底面２１ａに、例えば接着剤によって接着されている。
【００４９】
台座１０における台座底面１２ｂの貫通穴１２ａから突出した回路ユニットケース２０の連結部２２には、ワッシャー６１および絶縁リング６２が、台座底面１２ｂ側からその順番で嵌合されている。連結部２２に装着された口金３０は、絶縁リング６２を介してワッシャー６１を押圧した状態になっており、これにより、ワッシャー６１が台座底面１２ｂに圧接されている。
【００５０】
ストッパーリング２４における周方向の一か所には、連結部２２の突出方向に向って突出する係合部としてのストッパー２４ａが周方向に沿って設けられている。ストッパー２４ａは、台座底面１２ｂの貫通穴１２ａ内に挿入された状態で、台座底面１２ｂの内周縁に近接している。
【００５１】
口金３０が連結部２２に装着された状態では、口金３０からの押圧力（締め付け力）が、絶縁リング６２およびワッシャー６１を介して台座底面１２ｂに加わり、台座底面１２ｂが、ケース底面２１ａに取り付けられたストッパーリング２４に圧接されている。このような状態では、台座底面１２ｂは、ストッパーリング２４とワッシャー６１とによって挟持されて、連結部２２に対して固定状態になり、従って、台座１０が回路ユニットケース２０に対して固定状態になっている。
【００５２】
これに対して、台座１０が回転操作されて、台座底面１２ｂに、ストッパーリング２４およびワッシャー６１のそれぞれとの間の摩擦力よりも大きな力が加わると、台座底面１２ｂは、連結部２２の周囲を、ストッパーリング２４およびワッシャー６１のそれぞれに圧接された状態で周回移動する。
【００５３】
これにより、台座１０の全体が、回路ユニットケース２０に対して回転されることになる。貫通穴１２ａ内に挿入されたストッパー２４ａは、台座底面１２ｂの内周縁に近接した状態になっているために、台座１０の全体が、回路ユニットケース２０に対して回転されると、ストッパー２４ａが台座底面１２ｂの内周縁に沿って周回移動し、台座底面１２ｂの内周縁から内側に突出した係合部１２ｃに当接することになる。係合部１２ｃがストッパー２４ａに当接すると台座１０の回転が規制される。
【００５４】
このように、ストッパー２４ａが設けられたストッパーリング２４および係合部１２ｃは、回路ユニットケース２０に対する台座１０の回転を規制する規制部材を構成している。
【００５５】
台座１０における台座本体部１１の台座開口部１１ａに近接した端部内には、ＬＥＤモジュール５１を所定の姿勢で支持する支持台４０が一体的に組み込まれている。
【００５６】
図４は、支持台４０の側面図である。支持台４０は、台座本体部１１の内周面に圧接するように、台座本体部１１の先端部と同様の傾斜状態になった外周面を有する支持本体部４１と、この支持本体部４１におけるケース本体部２１とは反対側に設けられた支持台部４２とを有している。支持台４０の支持本体部４１および支持台部４２は、例えば、アルミニウムによって一体的に形成されている。
【００５７】
支持本体部４１は、台座開口部１１ａから挿入されて、支持本体部４１の外周面が台座開口部１１ａに近接した台座本体部１１の内周面に圧接された状態になっており、これにより、支持台４０は、台座本体部１１とは一体的に組み付けられている。従って、このような状態では、回路ユニットケース２０に対して台座１０が回転されることによって、支持台４０は、台座１０と一体となって回転される。
【００５８】
支持本体部４１における回路ユニットケース２０側部分には、ケース本体部２１側に開口した円筒状の凹部４１ａが設けられており、この凹部４１ａ内に、円筒形状のキャップ部材４３が嵌合されている。キャップ部材４３は、凹部４１ａの内奥部側の端面４３ａが閉鎖されており、この端面４３ａが軸心部に設けられたネジ４４によって支持本体部４１に取り付けられている。キャップ部材４３における端面４３ａとは反対側の端部は、凹部４１ａよりも外側に突出しており、その端部が、ケース本体部２１の先端部に嵌合している。キャップ部材４３は、ケース本体部２１と同様の絶縁性の合成樹脂によって構成されている。
【００５９】
キャップ部材４３内には、ケース本体部２１に収容される点灯回路ユニット５６の円板形状の回路基板５６ａが収容されている。回路基板５６ａは、端面４３ａから適当な間隔をあけた状態で、図示しない保持部材によって、ケース本体部２１の軸心に対して垂直状態に保持されている。
【００６０】
回路基板５６ａにおけるケース本体部２１の内部に対向した面には、口金３０を介して供給される商用１００Ｖの交流電力を所定電圧の直流電力に変換する複数の電子部品（例えば、整流・平滑回路、ＤＣ／ＤＣコンバータ等）が実装されている。点灯回路ユニット５６にて変換された直流電力は、支持台４０に取り付けられたＬＥＤモジュール５１へ供給される。
【００６１】
口金３０に接続された撚り線３５は、ケース本体部２１の内部を通って点灯回路ユニット５６の回路基板５６ａにまで達しており、撚り線３５の各第１給電線３５ａおよび第２給電線３５ｂが、回路基板５６ａ上に実装された電子部品に接続されている。撚り線３５は、回路基板５６ａがケース本体部２１に対して軸心回りに３６０°にわたって回転した場合に、その回転に追従して移動し得るように、ケース本体部２１の内部において撓んだ状態になっている。
【００６２】
支持本体部４１に対してケース本体部２１とは反対側に設けられた支持台部４２は、支持本体部４１よりは小径であって支持本体部４１と同軸状態に配置された円柱体を、支持本体部４１とは反対側の端面４２ａが、軸心に対して傾斜状態になるように切り欠いた形状になっている。支持台部４２の端面４２ａは、回路ユニットケース２０の軸心に垂直な線に対して、例えば２５°程度の傾斜角を有する傾斜面になっている。
【００６３】
なお、支持台部４２に対してケース本体部２１側に配置された支持本体部４１には、支持台部４２の端面４２ａに連続した傾斜面４１ｄが形成されており、従って、支持本体部４１は、支持台部４２側に位置する端部の一部が切り欠かれた円柱形状になっている。
【００６４】
支持台部４２における端面４２ａ上には、絶縁性の支持基板４６が設けられており、この支持基板４６上に、ＬＥＤモジュール５１が取り付けられている。
【００６５】
図５は、図４における矢印Ｄで示す方向の正面図である。支持基板４６は、支持台部４２における傾斜状態になった端面４２ａの直径よりも若干大きな直径を有する一定の厚さの円板の一部を円弧状に切り欠いた形状になっており、支持台部４２の端面４２ａとは同心状態で配置されて、支持基板４６の一部が、支持本体部４１の傾斜面４１ｄ上に載置されている。
【００６６】
図６は、図５のＡ−Ａ線における断面の拡大図である。支持基板４６に取り付けられたＬＥＤモジュール５１は、長方形の平板状に形成された実装基板５１ａと、この実装基板５１ａ上に実装された複数のＬＥＤチップ５１ｂと、全てのＬＥＤチップ５１ｂを封止する蛍光体含有樹脂５１ｃとを有している。
【００６７】
ＬＥＤモジュール５１の実装基板５１ａは、支持基板４６に設けられた凹部４６ａ内に嵌合されている。支持基板４６上には、凹部４６ａ内に嵌合された実装基板５１ａを固定するために、凹部４６ａを取り囲むように支持基板４６の表面に沿って設けられた一対の薄板状の固定部材５３が、ネジ５４によって取り付けられている。固定部材５３には、凹部４６ａ内に嵌合された実装基板５１ａと凹部４６ａとの間に挿入されるように屈曲された一対の固定片５３ａが、凹部４６ａの対角位置に設けられており、各固定片５３ａによって実装基板５１ａが凹部４６ａ内に固定されている。
【００６８】
ＬＥＤモジュール５１の実装基板５１ａは一定の厚さになっており、支持基板４６と同様に、支持台４０の傾斜した端面４２ａと同様の傾斜状態になっている。実装基板５１ａに実装された複数のＬＥＤチップ５１ｂは、実装基板５１ａにおける台座１０の軸心と交差する位置を中心として配置されている。各ＬＥＤチップ５１ｂは、発光面から、発光面に対して垂直な軸（光軸）を中心として光を出射する構成になっており、各ＬＥＤチップ５１ｂの光軸は、それぞれ、台座１０の軸心に対して２５°の角度で傾斜している。従って、全てのＬＥＤチップ５１ｂの光軸は、実装基板５１ａにおける台座１０の軸心と交差する中心位置を通って台座１０の軸心とは２５°の角度で傾斜した軸線と、平行になっている。
【００６９】
ＬＥＤモジュール５１の実装基板５１ａには、全てのＬＥＤチップ５１ｂに接続された一対の配線パターン５１ｄが設けられており、各配線パターン５１ｄに、点灯回路ユニット５６からの電力を各ＬＥＤチップ５１ｂに供給するための一対の電力線（図示せず）がそれぞれ接続されている。一対の電力線は、固定部材５３における対角位置のコーナー部にそれぞれ設けられた切り欠き部５３ｂ（図５参照）を通って、各配線パターン５１ｄに接続されている。一対の電力線は、支持基板４６、支持台４０の支持台部４２および支持本体部４１を順番に貫通しており、点灯回路ユニット５６の回路基板５６ａ上に設けられた電子部品から電力が供給されるようになっている。
【００７０】
台座１０における台座開口部１１ａの周縁部を形成する先端部には、ＬＥＤモジュール５１を覆うグローブ５５が取り付けられている。グローブ５５は、ガラス、合成樹脂などの光透過性の材料によって、端面が開放された半球形状に構成されており、グローブ５５の開放された端面の周縁部が、台座１０の台座開口部１１ａ内に嵌合された状態で支持されている。
【００７１】
グローブ５５の内周面には、支持基板４６における支持本体部４１から離れて配置された端部を覆うように、例えば、アルミニウムによって構成された反射膜５５ａ（図２参照）が設けられている。反射膜５５ａは、支持基板４６におけるＬＥＤモジュール５１からの光を反射させて、光の照射方向が、各ＬＥＤモジュール５１から光が直接照射される方向とほぼ一致するように、グローブ５５の一部分を覆っている。
【００７２】
反射膜５５ａは、例えば、グローブ５５の内周面にアルミニウムを蒸着させることによって形成されている。なお、反射膜５５ａとしてはアルミニウムに限らず、金（Ａｕ）、銀（Ａｇ）等の他の金属で構成してもよい。また、反射膜５５ａは、グローブ５５の内周面に対して蒸着によって形成する構成に限らず、反射膜をグローブ５５の内周面に、接着等によって取り付ける構成等であってもよい。
【００７３】
このような構成の電球形ＬＥＤランプ１は、台座１０が回路ユニットケース２０に対して回転可能な状態になっており、台座１０が回転操作されると、台座基端部１２の台座底面１２ｂに設けられた係合部１２ｃが、回路ユニットケース２０におけるケース本体部２１のケース底面２１ａに取り付けられたストッパーリング２４の内周面に沿って周回移動する。そして、係合部１２ｃが、ストッパーリング２４に設けられたストッパー２４ａに当接することによって、回路ユニットケース２０に対する台座１０の回転が規制される。
【００７４】
従って、台座１０は、係合部１２ｃが、ストッパー２４ａにおける周方向の一方の端部に当接した状態から他方の端部に当接するまでの範囲にわたって回転可能になっている。このことにより、台座１０は、ストッパーリング２４におけるストッパー２４ａが設けられた領域以外の３６０°未満（３５０°程度）の範囲にわたって、周方向の両方向に沿って回転可能になっている。
【００７５】
このような電球形ＬＥＤランプ１を、ユーザーが、図１に示す一般白熱電球用の照明器具７０に装着する場合には、台座１０をユーザーが把持した状態で、天井に取り付けられた器具本体部７１の下側の開口部から電球形ＬＥＤランプ１を挿入する。そして、器具本体部７１内において、電球形ＬＥＤランプ１の口金３０をソケット７２にネジ結合させるために、台座１０を所定方向に回転させる。以下、この所定方向の回転を正転とする。
【００７６】
この場合、ユーザーは、器具本体部７１内における下側の開口部に近接した比較的広い空間内で台座１０を正転操作することができる。
【００７７】
また、台座１０に設けられた係合部１２ｃが、正転方向の回転を規制するようにストッパー２４ａの一方の端部に当接していない場合には、ストッパー２４ａの一方の端部に当接するまでは、回路ユニットケース２０に対して台座１０のみが回転され、回路ユニットケース２０は回転されない。従って、この場合には、回路ユニットケース２０に取り付けられた口金３０は回転されず、照明器具７０のソケット７２に対して口金３０は連結されない。
【００７８】
なお、この場合には、台座１０を正転操作することによって、台座１０と一体となった支持台４０も回路ユニットケース２０に対して正転方向に回転する。従って、支持台４０と一体的に構成された回路基板５６ａが、回路ユニットケース２０に対して回転されることになる。その結果、口金３０と回路基板５６ａとの両方に接続された撚り線３５は捩じれた状態になる。
【００７９】
しかし、撚り線３５は、ケース本体部２１の内部において、３６０°にわたる回路基板５６ａの回転に追従して移動することが可能になるように撓んだ状態になっている。また、台座１０は、回路ユニットケース２０に対して３６０°にわたって回転されるおそれがないために、支持台４０も回路ユニットケース２０に対して３６０°にわたって回転されない。従って、撚り線３５が切断あるいは破損するおそれがない。
【００８０】
その後、台座１０の係合部１２ｃがストッパー２４ａの一方の端部に当接すると、回路ユニットケース２０に対する台座１０の回転が規制された状態になる。しかし、ユーザーは、口金３０をソケット７２に装着するためには、台座１０の正転操作を継続する必要があり、ユーザーは、台座１０の正転操作を継続する。
【００８１】
この場合、台座１０の台座基端部１２に設けられた台座底面１２ｂは、回路ユニットケース２０に取り付けられたストッパーリング２４によって、ワッシャー６１および絶縁リング６２を介して口金３０の先端部に押し付けられており、台座１０の台座底面１２ｂには、ストッパーリング２４およびワッシャー６１によって挟持されている。従って、ユーザーは、ストッパーリング２４およびワッシャー６１と台座底面１２ｂとの間に作用する摩擦力よりも大きな力で台座１０を正転操作する必要がある。
【００８２】
これにより、台座１０に設けられた係合部１２ｃが、当接しているストッパー２４ａを正転方向に押圧するために、以後、台座１０が正転操作されることにより、ストッパー２４ａが係合部１２ｃと一体となって正転方向に回転されることになる。その結果、回路ユニットケース２０も台座１０と一体となって正転し、連結部２２と一体となった口金３０も正転されることによって、口金３０がソケット７２にネジ結合される。
【００８３】
このようにして、電球形ＬＥＤランプ１の口金３０がソケット７２にネジ結合されると、ユーザーは、台座１０と一体となった支持台４０に取り付けられているＬＥＤモジュール５１が、器具本体部７１の下方からグローブ５５における光透過性部分を通して目視できる状態になっているかを確認する。グローブ５５の反射膜５５ａによってＬＥＤモジュール５１の全てを完全に目視することができない場合には、ＬＥＤモジュール５１の光照射方向が、下方に向いていないとものとして、台座１０を正転方向とは反対方向に逆転操作する。
【００８４】
この逆転操作も、ストッパーリング２４およびワッシャー６１と台座１０の台座底面１２ｂとの間の摩擦力よりも若干大きな力が必要になる。
【００８５】
台座１０の逆転操作によって、台座１０と一体になった支持台４０も台座１０の逆転方向と同方向に回転される。そして、グローブ５５を介してＬＥＤモジュール５１が目視されると、ＬＥＤモジュール５１の光の照射方向が器具本体部７１の下方の任意の領域に向くように、台座１０をさらに逆転操作する。
【００８６】
このようにして、ＬＥＤモジュール５１の光の照射領域が、器具本体部７１の下方における任意の領域に向けられると、ユーザーは、台座１０の逆転操作を終了する。
【００８７】
このような状態になると、台座１０は、ストッパーリング２４およびワッシャー６１によって台座１０の台座底面１２ｂに作用する圧接力により、回路ユニットケース２０に対して回転しない状態に維持されることになる。
【００８８】
このように、本実施形態の電球形ＬＥＤランプ１は、回路ユニットケース２０と一体的に連結された口金３０を、既存の一般白熱電球用の照明器具７０のソケット７２に装着する場合には、器具本体部７１内において台座１０を所定方向に回転操作すればよく、その後のＬＥＤモジュール５１光の照射方向を調整する場合には、台座１０を逆方向に回転操作すればよい。
【００８９】
従って、電球形ＬＥＤランプ１が照明器具７０のソケット７２に装着された状態で、器具本体部７１の内部に台座１０を回転操作できる空間があればよく、ＬＥＤモジュール５１の光の照射方向を調整するための空間を器具本体部７１の内部に確保する必要がない。このために、電球形ＬＥＤランプ１が器具本体部７１の内面に近接した状態になるまで大型化することができる。
【００９０】
このように、電球形ＬＥＤランプ１を大型化できることによって、回路ユニットケース２０を大型化することも可能である。この場合には、回路ユニットケース２０内に収容された点灯回路ユニット５６の各電子部品を大型にすることができるために、ＬＥＤモジュール５１に対して給電される電力量も増加させることができ、ＬＥＤモジュール５１を高出力化することが可能である。
【００９１】
さらには、台座１０と一体となった支持台４０の構成を変更して、ＬＥＤモジュール５１の光の照射角度を変更することができるために、照明器具７０の下方における所定の領域に対して光を照射することも可能である。これにより、電球形ＬＥＤランプ１を、照明器具７０の用途に応じて、所定の領域に対して最適な光量が得られるような構成とすることができる。
【００９２】
なお、本実施形態では、高熱伝導率であるアルミニウムによって構成された支持台４０と、同じくアルミニウムによって構成された台座１０とが相互に圧接された状態になっているために、支持台４０と台座１０とは相互に熱伝導状態になっている。従って、ＬＥＤモジュール５１にて発せられた熱は、支持台４０を介して台座１０に伝達されて、台座１０によって放熱される。このように、台座１０はヒートシンクとして機能している。
【００９３】
従って、電球形ＬＥＤランプ１を大型化できることによって、台座１０を大型化することが可能であり、これにより、台座１０によるＬＥＤモジュール５１の放熱効率を向上させることができる。また、台座１０の外周面に、アルマイト層、所定の合成樹脂層が形成されていることにより、放熱性を、一層、向上させることができる。
【００９４】
なお、台座１０および支持台４０は、アルミニウムに限るものではなく、他の金属等の熱伝導率の高い材料によって構成してもよい。この場合にも、外周面に所定の合成樹脂層を塗装等によって設けることにより、放熱性を向上させることができる。
【００９５】
また、本実施形態において、各ＬＥＤチップ５１ｂの光軸が、台座１０の軸心に対して例えば２５°の傾斜角になるように、ＬＥＤモジュール５１が取り付けられる支持台部４２の端面４２ａは、台座１０の軸心に垂直な線に対して２５°の傾斜角を有していたが、このような構成に限るものではない。
【００９６】
しかし、各ＬＥＤチップ５１ｂの光軸が、台座１０の軸心に対して大きな傾斜角度になるように、支持台部４２の端面４２ａが、台座１０の軸心に垂直な線に対して大きな傾斜面になると、台座１０の先端部からの支持台部４２の突出量が大きくなり、既存のダウンライト型の照明器具に装着することができなくなる。
【００９７】
また、各ＬＥＤチップ５１ｂの光軸が、台座１０の軸心に対して小さな傾斜角度になるように、支持台部４２の端面４２ａが、台座１０の軸心に垂直な線に対して小さな傾斜面になると、各ＬＥＤチップ５１ｂから照射される光を、既存のダウンライト型の照明器具における下方の領域に十分な光量で照射することができないおそれがある。
【００９８】
このために、各ＬＥＤチップ５１ｂの光軸が、台座１０の軸心に対して２５〜８０°程度の傾斜角度になるように、支持台部４２の端面４２ａを、台座１０の軸心に垂直な線に対して傾斜させることが好ましい。
【００９９】
なお、本実施形態では、台座１０の台座底面１２ｂに、ストッパーリング２４およびワッシャー６１がそれぞれ圧接されていることにより、回路ユニットケース２０に対する台座１０の回転位置を、任意の位置において固定状態とすることが可能になっているが、回路ユニットケース２０に対する台座１０の回転位置を所定の位置において位置決めする位置決め機構を設ける構成としてもよい。
【０１００】
例えば、ストッパーリング２４における台座底面１２ｂと対向する表面に、周方向における所定の位置に１または複数の凹部を形成し、台座底面１２ｂに、それぞれの凹部に対して嵌合する１つの突起部を設ける構成としてもよい。このような構成では、回路ユニットケース２０に対して台座１０が回転されると、台座底面１２ｂに設けられた突起部が、ストッパーリング２４の表面を摺動して、所定の位置に設けられた凹部内に嵌合することによって、ストッパーリング２４に対して台座底面１２ｂが位置決めされる。
【０１０１】
このような位置決め機構を設けることによって、回路ユニットケース２０に対して台座１０を予め設定された所定の回転位置に位置決めすることができる。従って、台座１０と一体となって回転するＬＥＤモジュール５１の照射領域を、予め設定された所定位置に容易に設定することができる。
【０１０２】
なお、台座１０の位置決め機構はこのような構成に限らず、台座底面１２ｂに凹部を設けて、ストッパーリング２４に突起部を設ける構成としてもよい。また、他の構成の位置決め機構を設けるようにしてもよい。
【０１０３】
＜第１実施形態の第１変形例＞
図７（ａ）は、第１実施形態の第１変形例における電球形ＬＥＤランプ１の側面図、（ｂ）は、その電球形ＬＥＤランプ１の底面図、（ｃ）は、その電球形ＬＥＤランプ１の正面図、図８は、その電球形ＬＥＤランプ１の分解斜視図である。
【０１０４】
この電球形ＬＥＤランプ１は、円筒形状の台座１０と、台座１０内に嵌合された円筒形状の回路ユニットケース２０と、回路ユニットケース２０に連結された円筒形状の口金３０とを有している。
【０１０５】
図８に示すように、回路ユニットケース２０は、前述した電球形ＬＥＤランプ１の回路ユニットケース２０と同様に、絶縁性の合成樹脂によって一体成型されたケース本体部２１および連結部２２を有しているが、ケース本体部２１は、断面が一定の直径の円形状になっており、その内部に点灯回路ユニット５６が収容されている。ケース本体部２１は、一方の端面がケース開口部２１ｃになっており、他方の端面がケース底面２１ａになっている。そして、前述した電球形ＬＥＤランプ１と同様に、ケース底面２１ａの中央部に連結部２２が設けられている。
【０１０６】
この変形例における連結部２２の構成および口金３０の構成は、前述した電球形ＬＥＤランプ１における連結部２２および口金３０の構成と同様になっており、また、ケース底面２１ａには、ストッパーリング２４が取り付けられている。この変形例では、ストッパーリング２４に、周方向の１か所において、直径径方向に沿って外側に突出したストッパー２４ａが設けられている。
【０１０７】
なお、この変形例においては、ケース本体部２１におけるケース開口部２１ｃが、ケース本体部２１と一体的に取り付けられるキャップ部材２６によって閉鎖されている。キャップ部材２６は、一方の端面２６ａが閉鎖状態であって、軸方向の長さがケース本体部２１よりも短い円筒形状になっており、閉鎖状態になった端面２６ａとは反対側の端面が開放されている。
【０１０８】
キャップ部材２６の周面部には、開放された端面から、ケース開口部２１ｃを通ってケース本体部２１内に挿入される一対の係合片２６ｂが設けられている。各係合片２６ｂは、キャップ部材２６の周面部における軸心対称の２位置のそれぞれから、ケース本体部２１側に向って延びており、それぞれの先端部には、外側に向って屈曲した係合部がそれぞれ設けられている。
【０１０９】
ケース本体部２１におけるケース開口部２１ｃ側の端部には、各係合片２６ｂの係合部が係合する係合穴２１ｄがそれぞれ設けられている。キャップ部材２６は、各係合片２６ｂが、ケース開口部２１ｃを通ってケース本体部２１内に挿入されて、それぞれの先端部の係合部が係合穴２１ｄに係合することにより、ケース本体部２１に固定的に取り付けられる。これにより、キャップ部材２６の端面２６ａがケース開口部２１ｃを閉鎖状態とする。
【０１１０】
ケース本体部２１内に収容される点灯回路ユニット５６は、整流・平滑回路、ＤＣ／ＤＣコンバータ等の電子部品が実装された回路基板５６ａを有しており、この回路基板５６ａが、ケース本体部２１の内部において、ケース本体部２１の軸心とは適当な間隔をあけて、軸心に平行な状態で取り付けられている。回路基板５６ａには、口金３０にそれぞれの一端が接続された第１給電線３５ａおよび第２給電線３５ｂの他端が接続されており、第１給電線３５ａおよび第２給電線３５ｂを介して、回路基板５６ａ上の電子部品に電流が供給される。
【０１１１】
なお、回路基板５６ａ上の電子部品には、後述するように、台座１０に取り付けられたＬＥＤモジュール５１に電力を供給する第１電力線５６ｃおよび第２電力線５６ｄの一端が接続されている。第１電力線５６ｃおよび第２電力線５６ｄは、キャップ部材２６に設けられた電力線貫通穴２６ｄを通って、ケース本体部２１の外部に引き出されている。
【０１１２】
キャップ部材２６の端面２６ａには、ケース本体部２１とは反対側の外側において、ロータリー接点５７の固定側端子基板５７ａが取り付けられている。固定側端子基板５７ａは、キャップ部材２６の端面２６ａと同様の円板形状になっており、キャップ部材２６の端面２６ａの軸心部を貫通するネジ２７によって、当該端面２６ａに同軸状態で取り付けられている。
【０１１３】
なお、ロータリー接点５７は、固定側端子基板５７ａに対して同心状態で回転可能になった回転側端子基板５７ｂを有しており、この回転側端子基板５７ｂが、後述するように、台座１０における一方の端面を閉鎖状態とする蓋体１４に取り付けられている。
【０１１４】
回路ユニットケース２０のケース本体部２１を収容する台座１０は、この変形例では、断面が一定の直径になった円筒形状の台座本体部１３と、台座本体部１３における蓋体１４が取り付けられる一方の端面とは反対側の端面に取り付けられた台座底面部１５とを有している。
【０１１５】
台座本体部１３の端面に取り付けられた台座底面部１５は、中央部に回路ユニットケース２０の連結部２２が貫通する貫通穴１５ａを有している。貫通穴１５ａは、台座本体部１３の軸心を中心として、連結部２２の外径よりも若干大きな直径の円形状に形成されている。また、台座底面部１５には、台座本体部１３の軸心に垂直状態で貫通穴１５ａを取り囲む平坦面１５ｂを有しており、平坦面１５ｂの周方向の１か所には、内側（台座底面部１５の軸心側）に向って突出した係合部１５ｃが形成されている。台座底面部１５は、台座本体部１３の周面部に、一対のネジ１７によって取り付けられている。
【０１１６】
回路ユニットケース２０は、ケース本体部２１が台座本体部１３内に収容されて、連結部２２が、台座底面部１５の貫通穴１５ａを通って台座１０の外部に突出した状態になっており、前述した電球形ＬＥＤランプ１と同様に、連結部２２に、ワッシャー６１および絶縁リング６２が嵌合された状態で、口金３０が連結されている。
【０１１７】
この場合、台座底面部１５の貫通穴１５ａ内に、ケース底面２１ａに取り付けられたストッパーリング２４が位置した状態で、平坦面１５ｂが、ケース底面２１ａとワッシャー６１とによって挟持されている。このような状態では、口金３０からの押圧力が、絶縁リング６２およびワッシャー６１を介して台座底面部１５の平坦面１５ｂに加わり、平坦面１５ｂがワッシャー６１によってケース底面２１ａに圧接されている。
【０１１８】
この圧接力により、台座底面部１５は連結部２２に対して固定された状態になり、従って、台座１０が回路ユニットケース２０に対して固定された状態になっている。また、このような状態で、台座１０が回転操作されて、台座底面部１５の平坦面１５ｂに、ケース底面２１ａおよびワッシャー６１のそれぞれとの間の摩擦力よりも大きな回転操作力が加わると、平坦面１５ｂは、ケース底面２１ａに設けられたストッパーリング２４の周囲を、ケース底面２１ａに圧接された状態で周回移動することになる。
【０１１９】
これにより、台座１０の全体が、回路ユニットケース２０に対して回転されることになる。そして、台座１０の全体が、回路ユニットケース２０に対して所定量だけ所定方向に回転されることによって、台座底面部１５の平坦面１５ｂは、ストッパーリング２４の周囲を周回移動して、台座底面部１５に設けられた係合部１５ｃがストッパー２４ａと当接する。係合部１５ｃがストッパー２４ａと当接すると、台座１０の所定方向への回転がそれぞれ規制されることになる。このように、ストッパー２４ａを有するストッパーリング２４と、台座底面部１５に設けられた係合部１５ｃとによって、台座１０の回転を規制する規制部材が構成されている。
【０１２０】
円筒形状の台座本体部１３の周面には、外周側に開口するように凹状に窪んだ、ＬＥＤモジュール５１の取り付け用の溝部１３ａが軸方向に沿って設けられている。この溝部１３ａは、内周側に位置する平坦な溝部底面１３ｂを有しており、この溝部底面１３ｂが、台座本体部１３内に取り付けられた回路基板５６ａに平行な平坦面になっている。溝部底面１３ｂは、軸方向に沿って一定の幅方向寸法になっている。
【０１２１】
溝部底面１３ｂに取り付けられるＬＥＤモジュール５１は、溝部底面１３ｂに突き当てられる長方形の帯板状の実装基板上に複数のＬＥＤチップが実装されて、全てのＬＥＤチップが蛍光体含有樹脂によって封止されている。ＬＥＤチップは、実装基板の長手方向に沿って１列または複数列に配置されている。
【０１２２】
ＬＥＤモジュール５１は、ＬＥＤチップが実装された実装基板の表面とは反対側の裏面が溝部１３ａの溝部底面１３ｂに突き当てられた状態で、実装基板の長手方向の両側の端部が、それぞれビス５１ｆによって溝部底面１３ｂに取り付けられている。溝部１３ａの開口部には、ＬＥＤモジュール５１を覆うようにガラスカバー１６が取り付けられている。
【０１２３】
台座１０における一方の端面を閉鎖状態とする蓋体１４は、一方の端面１４ａが閉鎖状態であって、軸方向の長さが台座本体部１３よりも短い円筒形状になっており、閉鎖状態になった端面１４ａとは反対側の端面が開放されている。蓋体１４の開放された端面１４ａは、台座本体部１３の一方の端面に突き当てられた状態で、台座本体部１３の周面に一対のネジ１８によって取り付けられている。
【０１２４】
蓋体１４の内部には、ロータリー接点５７の回転側端子基板５７ｂが設けられている。回転側端子基板５７ｂは、ロータリー接点５７の固定側端子基板５７ａと同様の円板形状になっており、キャップ部材２６の端面２６ａに対向する端面１４ａに、ネジ１９によって同心状態で取り付けられている。これにより、回転側端子基板５７ｂは、台座本体部１３内に収容されている回路ユニットケース２０のキャップ部材２６に取り付けられたロータリー接点５７の固定側端子基板５７ａに対して摺動可能に対向している。
【０１２５】
台座１０の外周面は、ＬＥＤモジュール５１の取り付け用の溝部１３ａが形成された部分を除いて、前述した電球形ＬＥＤランプ１の台座１０と同様に、アルマイト処理によって、例えば、１０μｍの厚さのアルマイト層（陽極酸化皮膜、白アルマイト皮膜）が形成されており、これにより、台座１０の放熱性が向上している。
【０１２６】
なお、本例においても、台座１０の外周面にアルマイト層を形成する構成に代えて、台座１０の外周面に所定の合成樹脂を塗装することによって放熱性を向上させることもできる。
【０１２７】
図９（ａ）は、ロータリー接点５７の固定側端子基板５７ａにおける回転側端子基板５７ｂに対向する表面（摺動側表面）の平面図、（ｂ）は、回転側端子基板５７ｂにおける固定側端子基板５７ａに対向する表面（摺動側表面）の平面図、（ｃ）は、回転側端子基板５７ｂの側面図である。
【０１２８】
図９（ａ）に示すように、固定側端子基板５７ａの摺動側表面には、それぞれがリング状に形成されて相互に同心状態になった一対の内周側端子部５７ｃおよび外周側端子部５７ｄが設けられている。内周側端子部５７ｃおよび外周側端子部５７ｄには、回路基板５６ａに一端が接続された第１給電線３５ａおよび第２給電線３５ｂの他端がそれぞれ接続されている。
【０１２９】
図９（ｂ）に示すように、回転側端子基板５７ｂの摺動側表面には、内周側端子部５７ｃに摺動する４つの内周側接点５７ｅが周方向に等しい間隔をあけて設けられており、また、外周側端子部５７ｄに摺動する４つの外周側接点５７ｆが、各内周側接点５７ｅのそれぞれの外周側に設けられている。従って、回路ユニットケース２０に対して台座１０が回転しても、回転側端子基板５７ｂの内周側接点５７ｅおよび外周側接点５７ｆは、常に、固定側端子基板５７ａの内周側端子部５７ｃおよび外周側端子部５７ｄにそれぞれ接触した状態を維持する。
【０１３０】
４つの内周側接点５７ｅのそれぞれは、１本の第１リード線５８ａ（図８参照）に接続されており、４つの外周側接点５７ｆのそれぞれは、１本の第２リード線５８ｂ（図８参照）に接続されている。第１リード線５８ａおよび第２リード線５８ｂは、ＬＥＤモジュール５１の実装基板に設けられた配線パターンにそれぞれ接続されている。各配線パターンには、ＬＥＤモジュール５１の各ＬＥＤチップに接続されている。
【０１３１】
このような構成の電球形ＬＥＤランプも、台座１０が回路ユニットケース２０に対して３６０°未満の範囲にわたって回転可能な状態になっており、口金３０を、図１に示す一般白熱電球用の照明器具７０におけるソケット７２に装着する際には、前述の電球形ＬＥＤランプ１と同様に、器具本体部７１内における下側の開口部に近接した比較的広い空間内で台座１０を正転操作して、台座１０の台座底面部１５に設けられた係合部１５ｃをストッパー２４ａに当接するまで台座１０が回路ユニットケース２０に対して回転操作される。
【０１３２】
この場合、回路ユニットケース２０内に収容された点灯回路ユニット５６と、台座１０に取り付けられたＬＥＤモジュール５１とは、ロータリー接点５７によって電気的に接続された状態になっているために、点灯回路ユニット５６およびＬＥＤモジュール５１のそれぞれとロータリー接点５７とを接続する電気配線が切断あるいは破損するおそれがなく、台座１０は回路ユニットケース２０に対して円滑に回転操作される。
【０１３３】
台座１０の台座底面部１５に設けられた係合部１５ｃとストッパー２４ａとが当接した状態になると、その後は、台座１０と一体となって回路ユニットケース２０が回転される。これにより、回路ユニットケース２０に一体的に装着された口金３０が、台座１０と一体となって回転されるために、口金３０をソケット７２に対して装着することが可能になる。
【０１３４】
口金３０がソケット７２に対して装着されると、回路ユニットケース２０に対して台座１０を回転させることにより、台座１０の外周面に取り付けられたＬＥＤモジュール５１の光照射領域を照明器具７０の下方の所定の位置とすることができる。なお、この場合も、点灯回路ユニット５６およびＬＥＤモジュール５１のそれぞれとロータリー接点５７とを接続する電気配線が切断あるいは破損するおそれがなく、台座１０は回路ユニットケース２０に対して円滑に回転操作することができる。
【０１３５】
従って、この変形例の電球形ＬＥＤランプ１も、ユーザーは、器具本体部７１内における下側の開口部に近接した比較的広い空間内で台座１０を正転操作することができるために、台座１０の正転操作を容易に行うことができる。
【０１３６】
また、台座１０の軸心に平行になった外周面にＬＥＤモジュール５１が取り付けられているために、ＬＥＤモジュール５１は、台座１０の軸心に平行な外周面の軸心方向の全長にわたって設けることができる。これにより、ＬＥＤモジュール５１を大型化することができ、ＬＥＤモジュール５１による光の照射光量を増大させることができる。
【０１３７】
さらに、台座１０の内部にＬＥＤモジュール５１を設けるための空間を確保する必要がないために、台座１０の内部に収容される回路ユニットケース２０を大型化することができる。その結果、回路ユニットケース２０内に収容された点灯回路ユニット５６の各電子部品を大型化することができるために、ＬＥＤモジュール５１に対して給電される電力量を増加させることができ、ＬＥＤモジュール５１を高出力化することができる。
【０１３８】
さらにまた、台座１０の外周面にＬＥＤモジュール５１が設けられていることによって、台座１０は、照明器具７０の器具本体部７１内における空間に収容可能な大きさにまで大型化することができる。高熱伝導率のアルミニウムによって形成された台座１０は、ＬＥＤモジュール５１のヒートシンクとして機能しており、台座１０が大型化することにより、台座１０によるＬＥＤモジュール５１の放熱効率を向上させることができる。また、台座１０の外周面に、アルマイト層、所定の合成樹脂層が形成されていることにより、放熱性が、一層、向上している。
【０１３９】
なお、この変形例においては、台座１０の外周面に取り付けられたＬＥＤモジュール５１における各ＬＥＤチップ５１ｂの光軸が、台座１０の外周面に接する平面に対して垂直になっていたが、このような構成に限らず、各ＬＥＤチップ５１ｂの光軸が、台座１０の外周面に接する平面に対して所定の角度で傾斜した状態になっていてもよい。
【０１４０】
また、この変形例においても、前記実施形態1において説明した回路ユニットケース２０に対する台座１０の位置決め機構を設ける構成としてもよい。
【０１４１】
＜第２実施形態＞
図１０は、第２実施形態に係る電球形ＬＥＤランプ１００が装着された一般白熱電球用の照明器具の断面図である。図１０に示す照明器具７０も、図１に示す照明器具７０と同様に、天井に取り付けられた半球形状（碗状）の器具本体部７１と、器具本体部７１に取り付けられたソケット７２とを有している。ソケット７２は、一般白熱電球用の口金が挿入される挿入口が、器具本体部７１の周面に形成された開口部７１ａに対向した状態で、かつ、挿入口側が下側に位置するように水平線に対して若干傾斜した状態で、器具本体部７１の外部に支持されている。
【０１４２】
図１１は、本実施形態の電球形ＬＥＤランプ１００の概略構成を示す断面図である。
【０１４３】
本実施形態の電球形ＬＥＤランプ１００は、円錐台形状と球形状とを合体させて電球形状に構成された筐体１１０と、筐体１１０の内部に一体的に取り付けられたモジュール支持台１４１と、モジュール支持台１４１に取り付けられたＬＥＤモジュール１４２と、筐体１１０の端部に所定の範囲にわたって回転可能に設けられた口金１３０と、筐体１１０および口金１３０の内部間にわたって設けられた回路ケース１２０と、回路ケース１２０内に設けられた点灯回路ユニット１５０とを有している。
【０１４４】
筐体１１０は、中空の円錐台形状の筐体本体部１１１と、筐体本体部１１１における大径側の端部に連結された中空の球形状の筐体収容部１１２とを有している。筐体本体部１１１および筐体収容部１１２は、内部同士が連通した状態で、同軸状態に配置されている。筐体１１０は、例えば、筐体本体部１１１と筐体収容部１１２とを、放熱性に優れたアルミニウムのダイキャストによって、１．５ｍｍ〜３ｍｍ程度の一定の厚さそれぞれ成形した後に、筐体本体部１１１と筐体収容部１１２とを、例えば、溶接、接着剤、ねじ締結等によって一体的に接合させることにより形成されている。
【０１４５】
筐体収容部１１２には、球面の一部を円形状に取り除くことによって形成された開口部１１２ａが形成されている。開口部１１２ａの中心位置は、筐体収容部１１２の軸心に対して６０°程度の傾斜角度を形成する仮想軸上に配置されている。開口部１１２ａは、筐体収容部１１２における取り除かれた球面の一部と同様の形状のグローブ１１６にて覆われている。グローブ１１６は、開口部１１２ａの外周縁部に取り付けられている。
【０１４６】
筐体収容部１１２内には、ＬＥＤモジュール１４２が搭載されたモジュール支持台１４１が配置されている。モジュール支持台１４１は、筐体収容部１１２に設けられた開口部１１２ａとは同軸状態で対向した円板形状であって、筐体収容部１１２の軸心に対して所定の傾斜角度（３０°程度）で傾斜した状態になっている。モジュール支持台１４１は、筐体本体部１１１における大径側の端部内において、軸心に対して垂直方向に沿うように屈曲された屈曲部１４１ａを有している。モジュール支持台１４１は、筐体１１０の内周面に、溶接、接着剤、ねじ締結等によって一体的に接合されている。モジュール支持台１４１におけるグローブ１１６に対向した端面（表面）にＬＥＤモジュール１４２が搭載されている。
【０１４７】
筐体本体部１１１における小径側に位置する端部には、中央部に貫通孔１１１ｂが設けられた端面１１１ａが設けられており、この端面１１１ａにおける周方向の１か所に、軸方向の外側に突出する１本のガイドピン１１４が設けられている。ガイドピン１１４は、後述するように、端面１１１ａと口金１３０との間に設けられた絶縁リング１４３のガイド溝１４３ａ内にスライド可能に嵌合しており、ガイド溝１４３ａとともに、筐体１１０が１回転にわたって回転しないように規制する規制部材を構成している。
【０１４８】
回路ケース１２０は、筐体１１０の内部に配置されたケース本体部１２１と、口金１３０の内部に配置されるようにケース本体部１２１の端部に取り付けられた円筒形状のケース連結部１２２とを有している。ケース本体部１２１は、筐体本体部１１１に対応した円錐台形状の基端部１２１Ａと、筐体収容部１１２内におけるモジュール支持台１４１のグローブ１１６とは反対側の端面（裏面）に進入するように基端部１２１Ａから突出した先端部１２１Ｂとを有している。
【０１４９】
ケース本体部１２１の基端部１２１Ａは、筐体本体部１１１内に嵌合されており、筐体本体部１１１とは、例えば、溶接、接着剤等によって一体的に接合された状態、もしくは、筐体本体部１１１に対して追従して回転できるような機構によって連結された状態になっている。ケース本体部１２１における先端部１２１Ｂは、モジュール支持台１４１に平行になるように、ケース本体部１２１の軸心に対して傾斜した傾斜面１２１ａと、傾斜面１２１ａに連続してモジュール支持台１４１の屈曲部１１１ａに平行に設けられた平坦面１２１ｂとを有している。
【０１５０】
ケース本体部１２１における小径側（口金１３０側）の端部は開放されており、この端部内に円筒状のケース連結部１２２における一方の端部が配置されている。ケース本体部１２１内に位置するケース連結部１２２の一方の端部には、外周側に広がったフランジ部１２２ａが設けられている。このフランジ部１２２ａは、筐体本体部１１１の端面１１１ａに対して摺接するようになっており、その外周縁部がケース本体部１２１の端部内周面に突き当てられている。
【０１５１】
ケース本体部１２１から突出したケース連結部１２２における先端側の外周面には、ネジ部１２２ｂが設けられており、このネジ部１２２ｂに口金１３０が連結されている。
【０１５２】
口金１３０は、照明器具１７０のソケット１７２に装着されるように、例えば、ＪＩＳ（日本工業規格）に規定するＥ１７口金の規格に適合している。なお、口金１３０は、このように、Ｅ１７口金の規格に適合する構成に限らず、他の照明器具のソケットに装着されるように、ＪＩＳにて規定される他の規格（Ｅ２６口金等）に適合する構成であってもよい。
【０１５３】
口金１３０は、円筒形状に構成されたシェル１３１を有している。シェル１３１の周面には、照明器具１７０におけるソケット１７２内にシェル１３１を装着するためのネジ部１３１ａが設けられており、シェル１３１の内周面および外周面のそれぞれには、山部と谷部が相互に逆転したネジ溝がそれぞれ形成されている。シェル１３１の内周面におけるネジ溝には、ケース連結部１２２の外周面に設けられたネジ部１２２ｂがネジ結合されている。従って、口金１３０のシェル１３１は、ケース連結部１２２に一体的に連結されている。
【０１５４】
シェル１３１におけるソケット１７２内への挿入側の端部内には絶縁接続体１３２が設けられており、絶縁接続体１３２における中央部の外側には、アイレット１３３が取り付けられている。
【０１５５】
シェル１３１における絶縁接続体１３２が設けられた端部とは反対側の端部には、絶縁リング１４３が設けられている。絶縁リング１４３は、口金１３０のシェル１３１によって、筐体本体部１１１の小径側の端部に圧接されている。
【０１５６】
絶縁リング１４３は、シェル１３１とは同軸状態に配置されており、内周面における軸対称の２位置には、軸方向に沿った係止溝１４３ｂがそれぞれ設けられている。絶縁リング１４３の内部を通過するケース連結部１２２の外周面には、各係止溝１４３ｂに対向する２か所に、各係止溝１４３ｂ内にそれぞれ嵌合する突起部１２２ｃが設けられている。各突起部１２２ｃは、ケース連結部１２２がシェル１３１にネジ結合されることによって各係止溝１４３ｂ内に嵌合する。これにより、絶縁リング１４３は、ケース連結部１２２に対して回り止めされた状態になる。
【０１５７】
図１２は、絶縁リング１４３における筐体１１０側の端面の平面図である。絶縁リング１４３における筐体１１０側の端面には、ガイド溝１４３ａが設けられている。ガイド溝１４３ａは、筐体１１０側に開口した状態で、周方向の１か所に設けられた係合部１４３ｃを除いて周方向に連続している。従って、ガイド溝１４３ａは、３５５°程度にわたって周方向に連続している。ガイド溝１４３ａ内には、筐体１１０の端面１１１ａに設けられた１本のガイドピン１１４がスライド可能に嵌合している。
【０１５８】
絶縁リング１４３は、ケース連結部１２２に口金１３０がネジ結合されることによって、筐体１１０の端面１１１ａに圧接された状態になる。絶縁リング１４３が筐体１１０の端面１１１ａに圧接されると、端面１１１ａに設けられたガイドピン１１４がガイド溝１４３ａ内にスライド可能に嵌合される。ガイドピン１１４は、ガイド溝１４３ａ内をスライド可能になっているために、周方向に３５５°程度にわたってスライドする。従って、ガイドピン１１４は、絶縁リング１４３に対して１回転にわたって周回移動しないように規制されている。
【０１５９】
また、絶縁リング１４３が筐体１１０の端面１１１ａに圧接された状態では、ケース連結部１２２の外周面に設けられた各突起部１２２ｃは、絶縁リング１４３に設けられたそれぞれの係止溝１４３ｂ内に嵌合されている。これにより、絶縁リング１４３は、ケース連結部１２２に対して回り止めされた状態になる。
【０１６０】
従って、絶縁リング１４３が筐体１１０の端面１１１ａに圧接された状態では、筐体１１０は、回転力が付与されなければ、絶縁リング１４３に対して回転しないが、筐体１１０に回転力が付与されると、筐体１１０は絶縁リング１４３に対して摺接しつつ回転する。この場合、ガイドピン１１４は、ガイド溝１４３ａ内を３６０°にわたって回転しないことから、筐体１１０は、絶縁リング１４３と一体になった口金に対して３６０°にわたって回転しないように規制される。
【０１６１】
筐体１１０の内部には、口金１３０から供給される電力を、ＬＥＤモジュール１４２の各ＬＥＤチップ１４２ａ（図１３参照）に対応した電力に変換する点灯回路ユニット１５０が収容されている。点灯回路ユニット１５０は、支持台１４１に対して垂直であって筐体１１０の軸心を含む平面に沿って配置された平板状の回路基板１５１と、回路基板１５１に設けられた配線パターン上に各種電子部品が実装されることによって構成された点灯回路１５５とを備えている。
【０１６２】
回路基板１５１の外周縁は、回路ケース１２０内に収容された状態で、回路ケース１２０におけるケース本体部１２１およびケース連結部１２２の内周面と、ケース本体部１２１の傾斜面１２１ａおよび平坦面１２１ｂとに沿うような形状に構成されている。ケース本体部１２１の内周面には、回路基板１５１の外周縁部が嵌合される溝部（図示せず）が設けられており、この溝部内に回路基板１５１の外周縁部が嵌合されている。これにより、回路基板１５１は、ケース本体部１２１内に、軸心方向に沿った状態で支持されている。なお、回路基板１５１は、ケース連結部１２２に対しては回転可能になっている。
【０１６３】
従って、回路基板１５１は、ケース本体部１２１内において、筐体収容部１１２の内部から筐体本体部１１１の内部にわたって収容されており、ケース連結部１２２内に位置する部分は、絶縁リング１４３および口金１３０における筐体本体部１１１側の端部内に収容されている。また、筐体収容部１１２の内部においては、回路基板１５１は、モジュール支持台１４１におけるＬＥＤモジュール１４２の搭載面とは反対側の裏面に対向する空間内に進入した状態になっている。
【０１６４】
モジュール支持台１４１上に搭載されたＬＥＤモジュール１４２は、例えば正方形のプリント基板に、発光素子であるＬＥＤチップ１４２ａが複数個実装されている。これらのＬＥＤチップ１４２ａは、プリント基板に設けられた配線パターンによって直列に接続されている。配線パターンには、回路基板１５１上の点灯回路１５５によって変換された直流電圧が、一対のリード線１５４によって印加されるようになっている。
【０１６５】
各リード線１５４は、図１１に示すように、モジュール支持台１４１に設けられた各貫通孔１４１ｂと、ケース本体部１２１の傾斜面１２１ａおよび平坦面１２１ｂのそれぞれに設けられた貫通孔１２１ｄおよび１２１ｅを通って、回路基板１５１上の点灯回路１５５とＬＥＤモジュール１４２の配線パターンとを接続している。
【０１６６】
口金１３０の内部に収容されたケース連結部１２２内の回路基板１５１における先端側部分には、一対のリード線１５８が設けられている。各リード線１５８は、回路基板１５１上に設けられた配線パターンにおけるそれぞれの所定部分に接続されて、相互に撚り合された状態になっている。一方のリード線１５８は、ケース連結部１２２が口金１３０にネジ結合された状態で、口金１３０の先端部に設けられたアイレット１３３に、半田によって電気的に接続されている。
【０１６７】
他方のリード線１５８は、ケース連結部１２２の外部に引き出されており、口金１３０のシェル１３１に、半田付けによって電気的に接続されている。一対のリード線１５８は、ケース連結部１２２が口金１３０のシェル１３１にネジ結合された状態で、回路基板１５１が、口金部１３０と一体となったケース連結部１２２に対して３６０°にわたって回転されても、切断されないように、相互に撚り合されている。
【０１６８】
図１３は、回路基板１５１上に設けられた点灯回路の回路図である。本実施形態の電球形ＬＥＤランプ１００は、照明器具７０のソケット７２に装着されることによって、ソケット７２に供給される交流電力が、ソケット７２に設けられた調光器７４によって調整された状態で、口金１３０に設けられたアイレット１３３およびシェル１３１を介して供給される。
【０１６９】
アイレット１３３は、リード線１５８を介して、回路基板１５１の配線パターンに電気的に接続されており、シェル１３１は、リード線１５８を介して、回路基板１５１における配線パターンに電気的に接続されている。
【０１７０】
点灯回路１５５には、供給される交流電流を整流する整流回路１５５ａが設けられている。点灯回路１５５は、整流回路１５５ａによって整流された電流を、カレントミラー回路１５５ｂによって増幅した後に、フィルター回路１５５ｃによって所定の周波数にフィルタリングする。さらに、点灯回路１５５は、フィルター回路１５５ｃによってフィルタリングされた電流を、力率改善回路１５５ｄによって安定電圧として、制御回路１５５ｅによって、所定の電圧に制御する。
【０１７１】
制御回路１５５ｅは、ＰＴＣサーミスタ１５５ｆによって検出される周囲温度に基づいて、電圧を制御して、バックブーストコンバータ１５５ｇに出力する。バックブーストコンバータ１５５ｇは、制御回路１５５ｅから出力される電圧を所定電圧に調整する。
【０１７２】
バックブーストコンバータ１５５ｇには、回路基板１５１に設けられた配線パターンを介して、一対のリード線１５４に接続されている。各リード線１５４は、前述したように、ＬＥＤモジュール１４２に電気的に接続されており、各リード線１５４を流れる電流によって、ＬＥＤモジュール１４２に設けられた各ＬＥＤチップ１４２ａが点灯状態になる。
【０１７３】
点灯回路を構成する整流回路１５５ａ、カレントミラー回路１５５ｂ、フィルター回路１５５ｃ、力率改善回路１５５ｄ、制御回路１５５ｅ、ＰＴＣサーミスタ１５５ｆ、バックブーストコンバータ１５５ｇのそれぞれを構成する抵抗、電解コンデンサ等の電子部品、その他の電子部品は、回路基板１５１の表面および裏面に振り分けられた状態で実装されている。
【０１７４】
例えば、口金１３０の内部に位置するケース連結部１２２内の回路基板１５１部分には、整流回路１５５ａが実装されており、筐体本体部１１１の内部に位置するケース本体部１２１内の回路基板１５１部分には、制御回路１５５ｅが実装されている。さらには、筐体収容部１１２の内部であって、モジュール支持台１４１の裏面側であるケース本体部１２１内の回路基板１５１部分には、比較的大きな電子部品である電解コンデンサを有する力率改善回路１５５ｄが一方の面に実装されており、また、比較的大きな電子部品であるコイルを有するバックブーストコンバータ１５５ｇが他方の面に実装されている。
【０１７５】
このような構成の電球形ＬＥＤランプ１００は、次のようにして組み立てられる。まず、電子部品が予め実装されることによって点灯回路１５５が形成された回路基板１５１を準備する。この場合、回路基板１５１の一方の端部に設けられた各リード線１５４のそれぞれの一方の端部、および、回路基板１５１の他方の端部に設けられた各リード線１５８のそれぞれの一方の端部は、点灯回路１５５の配線パターンにそれぞれ接続された状態になっているが、それぞれの他方の端部は、ＬＥＤモジュール１４２の配線パターン、口金１３０には、それぞれ接続されていない。
【０１７６】
このような状態の回路基板１５１を、回路ケース１２０のケース本体部１２１内に取り付ける。この場合には、ケース本体部１２１とケース連結部１２２とは相互に分離されており、ケース本体部１２１における開放された端部から、ケース本体部１２１の内周面に設けられた溝部内に、回路基板１５１の側縁部を係合させてスライドさせることによって、ケース本体部１２１内に回路基板１５１を取り付けることができる。そして、各リード線１５４を、ケース本体部１２１に設けられた貫通孔１２１ｄおよび１２１ｅを通してケース本体部１２１から引き出した状態とする。
【０１７７】
ケース本体部１２１内に回路基板１５１が取り付けられると、筐体１１０を準備する。この場合、筐体本体部１１１と筐体収容部１１２とは相互に分離した状態になっており、また、筐体収容部１１２の開口部１１２ａがグローブ１１６にて覆われていない状態になっている。このような状態で、筐体収容部１１２の内部にケース本体部１２１を挿入した後に、筐体収容部１１２の内部にモジュール支持台１４１を取り付ける。
【０１７８】
この場合には、ケース本体部１２１から引き出された各リード線１５４を、モジュール支持台１４１に設けられた各貫通孔１４１ｂ内を通過させて、モジュール支持台１４１上にＬＥＤモジュール１４２を取り付ける。その後、各リード線１５４の端部を、ＬＥＤモジュール１４２の配線パターンにおける所定部分にそれぞれ電気的に接続する。このような状態になると、グローブ１４３をモジュール支持台１４１に取り付ける。なお、グローブ１４３は、最終工程においてモジュール支持台１４１に取り付けるようにしてもよい。
【０１７９】
次いで、ケース本体部１２１から突出した回路基板１５１部分に、ケース連結部１２２を嵌合させて、ケース本体部１２１における開放された端部内に、ケース連結部１２２のフランジ部１２２ａを挿入し、フランジ部１２２ａと筐体１１０の端面１１１ａとを当接させる。これにより、ケース連結部１２２は、筐体１１０に対して、回転可能な状態に支持される。また、回路基板１５１に設けられた各リード線１５８は、相互に撚り合された状態で、ケース連結部１２２の端部から突出している。
【０１８０】
次いで、筐体収容部１１２から突出した状態のケース本体部１２１の外側に筐体本体部１１１を嵌合させて、筐体本体部１１１の内周面に、ケース本体部１２１の外周面を、溶接、接着剤等によって相互に接合する。
【０１８１】
その後、筐体本体部１１１の端面１１１ａに、絶縁リング１４３におけるガイド溝１４３ａが設けられた端面を当接させる。この場合、筐体本体部１１１の端面１１１ａに設けられたガイドピン１１４をガイド溝１４３ａ内に挿入する。このような状態で、ケース連結部１２２内に口金１３０を挿入して、口金１３０を回転させる。これにより、ケース連結部１２２の外周面に設けられたネジ部１２２ｂに、口金１３０のシェル１３１内周面に設けられたネジ溝がネジ結合する。
【０１８２】
ケース連結部１２２にネジ結合された口金１３０をさらに回転させることによって、ケース連結部１２２は口金１３０の内部に挿入されるようにネジ送りされる。これにより、口金１３０におけるシェル１３１の端面によって絶縁リング１４３が、筐体本体部１１１の端面１１１ａに圧接される。このとき、ケース連結部１２２の外周面に設けられた一対の突起部１２２ｃは、絶縁リング１４３に設けられた係止溝１４３ｂ内に嵌合した状態になり、これにより、絶縁リング１４３は、ケース連結部１２２に対して回り止め状態になる。
【０１８３】
このような状態になると、回路基板１５１に設けられた一方のリード線１５８を、口金１３０のアイレット１３３に対して半田付けするとともに、他方のリード線１５８を、口金１３０のシェル１３１に半田付けする。
【０１８４】
この場合、各リード線１５８同士は、口金１３０に対して回路基板１５１が３６０°にわたって回転しても切断されないように、相互に撚り合される。これにより、本実施形態の電球形ＬＥＤランプ１００が組み立てられる。
【０１８５】
組み立てられた電球形ＬＥＤランプ１００は、口金１３０が、回路ケース１２０のケース連結部１２２に一体的に取り付けられており、しかも、口金１３０には、ケース連結部１２２に対して回り止め状態になった絶縁リング１４３によって、筐体１１０が、１回転（３６０°）を越えない範囲で回転可能に取り付けられている。また、筐体１１０に対して回路ケース１２０のケース本体部１２１が一体的に取り付けられた状態になっており、ケース本体部１２１に回路基板１５１が一体的に取り付けられている。さらには、回路基板１５１は、口金１３０とは一体になったケース連結部１２２に対して回転可能な状態になっている。
【０１８６】
筐体１１０における筐体本体部１１１および筐体収容部１１２の外周面は、前述した電球形ランプの台座１０と同様に、アルマイト処理によって、例えば、１０μｍの厚さのアルマイト層（陽極酸化皮膜、アルマイト皮膜）が形成されており、これにより、放熱性が向上している。
【０１８７】
なお、本例においても、筐体１１０の外周面にアルマイト層を形成する構成に代えて、所定の合成樹脂を塗装することによって放熱性を向上させることもできる。
【０１８８】
このような電球形ＬＥＤランプ１００を、図１０に示す一般白熱電球用の照明器具７０に装着する場合には、筐体１１０をユーザーが把持した状態で、天井に取り付けられた器具本体部７１の下側の開口部から電球形ＬＥＤランプ１００を挿入する。この場合、開口部の大きさによっては、電球形ＬＥＤランプ１００を、ソケット７２の軸方向に対して垂直状態に近づくように傾斜させて、電球形ＬＥＤランプ１００の口金１３０をソケット７２に挿入する。
【０１８９】
そして、器具本体部７１内において、電球形ＬＥＤランプ１００の口金１３０をソケット７２にネジ結合させるために、筐体１１０を所定方向に回転させる。以下、この所定方向の回転を正転とする。この場合、ユーザーは、器具本体部７１内における下側の開口部に近接した比較的広い空間内で筐体１１０を正転操作することができる。
【０１９０】
なお、絶縁リング１４３に対する筐体１１０の回転走査には、筐体本体部１１１の端面１１１ａと絶縁リング１４３との間の摩擦力よりも若干大きな力が必要になる。
【０１９１】
この場合、筐体本体部１１１の端面１１１ａに設けられたガイドピン１１４が、正転方向の回転を規制するように、ガイド溝１４３ａの係合部１４３ｃに当接していないと、ガイド溝１４３ａの係合部に当接するまで、絶縁リング１４３に対して筐体１１０を回転させる。
【０１９２】
この場合には、筐体１１０と一体となったケース本体部１２１が回転し、これにより、ケース本体部１２１内に一体的に取り付けられた回路基板１５１も回転する。しかし、回路基板１５１は、ケース連結部１２２に対しては回転可能になっているために、ケース連結部１２２は回転されない。従って、ケース連結部１２２と一体となった口金１３０が回転することなく、回路基板１５１が回転することになる。
【０１９３】
このとき、回路基板１５１と口金１３０とを電気的に接続する一対のリード線１５８は、相互に撚り合された状態になっていることにより、相互に捩じれた状態になるか、または、相互に捩じれた状態を解消することになる。しかも、筐体１１０は、ガイドピン１１４と、ガイド溝１４３ａとによって構成された規制部材によって、ケース連結部１２２に対して３６０°にわたって回転されるおそれがないために、各リード線１５８が切断あるいは破損するおそれがない。
【０１９４】
その後、筐体１１０のガイドピン１１４が、絶縁リング１４３の係合部１４３ｃに当接すると、絶縁リング１４３およびケース連結部１２２に対する筐体１１０の回転が規制された状態になる。しかし、ユーザーは、口金１３０をソケット７２に装着するためには、筐体１１０の正転操作を継続する必要があり、ユーザーは、筐体１１０の正転操作を継続する。
【０１９５】
これにより、ケース連結部１２２にネジ結合された口金１３０が筐体１１０と一体となって回転し、口金１３０がソケット７２にネジ結合される。
【０１９６】
このようにして、電球形ＬＥＤランプ１００の口金１３０がソケット７２にネジ結合されると、ユーザーは、筐体１１０と一体となったモジュール支持台１４１に取り付けられているＬＥＤモジュール１４２が、器具本体部７１の下方からグローブ１１６を通して目視できる状態になっているかを確認する。グローブ１１６を通してＬＥＤモジュール１４２の全てを完全に目視することができない場合には、ＬＥＤモジュール１４２の光照射方向が、下方に向いていないとものとして、筐体１１０を正転方向とは反対方向に逆転操作する。
【０１９７】
この逆転操作も、筐体本体部１１１の端面１１１ａと絶縁リング１４３との間の摩擦力よりも若干大きな力が必要になる。
【０１９８】
筐体１１０の逆転操作によって、筐体１１０と一体になったケース本体部１２１も筐体１１０の逆転方向と同方向に回転される。そして、グローブ１１６を介してＬＥＤモジュール１４２が目視されると、ＬＥＤモジュール１４２の光の照射方向が器具本体部７１の下方の任意の領域に向くように、筐体１１０をさらに逆転操作する。
【０１９９】
このようにして、ＬＥＤモジュール１４２の光の照射領域が、器具本体部７１の下方における任意の領域に向けられると、ユーザーは、筐体１１０の逆転操作を終了する。
【０２００】
このような状態になると、筐体１１０は、筐体本体部１１１の端面１１１ａに対して絶縁リング１４３によって作用する圧接力により、絶縁リング１４３に対して回転しない状態に維持されることになる。従って、絶縁リング１４３に対して回り止めされたケース連結部１２２、および、ケース連結部１２２にネジ結合された口金１３０も、筐体１１０に対して回転しない状態が維持される。
【０２０１】
このように、本実施形態の電球形ＬＥＤランプ１００は、口金１３０を、既存の一般白熱電球用の照明器具７０のソケット７２に装着する場合には、器具本体部７１内において筐体１１０を所定方向に回転操作すればよく、その後のＬＥＤモジュール１４２の光の照射方向を調整する場合には、筐体１１０を逆方向に回転操作すればよい。
【０２０２】
従って、電球形ＬＥＤランプ１００が照明器具７０のソケット７２に装着された状態で、器具本体部７１の内部に筐体１１０を回転操作できる空間があれば、ＬＥＤモジュール１４２の光の照射方向を調整することができる。その結果、ＬＥＤモジュール１４２の光の照射方向を調整するための空間を器具本体部７１の内部に確保する必要がなく、電球形ＬＥＤランプ１００が器具本体部７１の内面に近接した状態になるまで大型化することができる。
【０２０３】
このように、電球形ＬＥＤランプ１００を大型化できることによって、回路ケース１２０を大型化することも可能であるために、点灯回路１５５を構成する電子部品を大型化することができる。しかも、回路ケース１２０内に収容された点灯回路１５５の回路基板１５１が軸方向に沿った状態で配置されており、筐体１１０の軸方向に対して傾斜状態になったＬＥＤモジュール１４２の光の照射方向とは反対側の裏面部分に形成される空間の内部にも進入した状態になっているために、点灯回路ユニット１５５を構成する大型の電子部品をその空間内に配置することができる。
【０２０４】
その結果、点灯回路１５５を、ＬＥＤモジュール１４２に対して給電される電力量が増大できるような回路構成とすることができるために、ＬＥＤモジュール１４２を高出力化することが可能になり、電球形ランプを小型化および高出力化することができる。また、角電子部品を回路基板上に密集して配置する必要もなくなるために、電子部品が高熱状態になることを抑制することができる。
【０２０５】
また、ＬＥＤモジュール１４２の各ＬＥＤチップ１４２ａが発熱状態になっても、その熱は、モジュール支持台１４１を介して、放熱性を有する筐体１１０に伝達されることによって、放熱される。この場合、筐体１１０は、筐体本体部１１１および筐体収容部１１２を有することから表面積が大きくなっているために、効率よく放熱することができる。これにより、ＬＥＤモジュール１４２が高温になることを確実に防止することができる。また、筐体１１０の外周面に、アルマイト層、所定の合成樹脂層が形成されていることにより、放熱性が、一層、向上している。
【０２０６】
＜第２実施形態の変形例＞
なお、上記の実施形態２では、回路基板１５１は、筐体１１０に取り付けられたケース本体部１２１に一体的に取り付けられており、口金部１３０にネジ結合されたケース連結部１２２に対して回転可能になっているが、このような構成に限らず、図１５に示すように、回路基板１５１を、口金部１３０にネジ結合されたケース連結部１２２に対して一体的に取り付けて、ケース本体部１２１に対して回転可能に構成し、ケース本体部１２１と筐体１１０とを相互に回転可能に構成してもよい。
【０２０７】
この場合には、筐体１１０と一体となって回転するモジュール支持台１４１が、ケース本体部１２１に接触しないように、ケース本体部１２１が形成されている。すなわち、ケース本体部１２１は、円錐台形状に構成された筐体本体部１１１内に回転可能に収容された円錐台形状の基端部１２１Ａと、この基端部１２１Ａにおける大径側の端面中央部に、モジュール支持台１４１の裏面側に進出するように突出した円錐形状の突出部１２１Ｃとを有している。
【０２０８】
回路基板１５１は、突出部１２１Ｃ内に収容されるように、モジュール支持台１４１側の先端部が三角形状に突出しており、この先端部上に、適当な大きさの電子部品が実装されている。
【０２０９】
ＬＥＤモジュール１４２に接続された各リード線１５４は、モジュール支持台１４１に設けられた各貫通孔１４１ｂ内を通過した状態で相互に撚り合せられて、ケース本体部１２１の突出部１２１Ｃに設けられた一対の貫通孔１２１ｆのそれぞれを通過している。各貫通孔１２１ｆを通過したそれぞれのリード線１５４は、それぞれの端部が、回路基板１５１上の配線パターンにおける所定部分に電気的に接続されている。
【０２１０】
このような構成によっても、電球形ＬＥＤランプ１００を、図１０に示す一般白熱電球用の照明器具７０に装着する場合には、筐体１１０を所定方向に回転操作すると、筐体１１０は、ケース回路１２０に対して１回転にわたって回転される前に一体となって回転する。これにより、ケース回路１２０とは一体となった口金１３０が回転して、照明器具７０のソケット７２に装着される。その後、筐体１１０を反対方向に回転操作すると、ケース回路１２０に対して筐体１１０のみが回転されることになり、筐体１１０の開口部１１２ａに取り付けられたグローブ１１６が下側の所定方向に向けられる。
【０２１１】
なお、この場合には、口金１３０のシェル１３１およびアイレット１３３のそれぞれと接続された各リード線１５８は、相互に撚り合せる必要はないが、相互に撚り合された状態になっていても、特に問題はない。
【０２１２】
＜第３実施形態＞
図１６は、本実施形態における電球形ＬＥＤランプ２００の縦断面図、図１７は、その分解して示す斜視図である。
【０２１３】
本実施形態の電球形ＬＥＤランプ２００は、図１に示す照明器具７０と同様の照明器具に取り付けられる口金２３０と、口金２３０に取り付けられた台座２１０と、台座２１０に支持された一方向に沿って長く延びる帯状であって台座２１０に支持されたＬＥＤモジュール２５０と、ＬＥＤモジュール２５０を覆うように台座２１０に取り付けられた光透過性の外筒２２０とを備えている。
【０２１４】
口金２３０は、円筒形状に構成されたシェル２３１を有しており、シェル２３１の内部に、ＬＥＤモジュール２５０を点灯するための点灯回路ユニット２６０が設けられている。従って、本実施形態の電球形ＬＥＤランプには、前述した各実施形態の電球形ＬＥＤランプに設けられた回路ユニットケース、回路ケース等は設けられていない。
【０２１５】
台座２１０は、円筒形状の台座本体部２１３と、中心部を除いて台座本体部２１３の一方の端面を覆う台座底面部２１５と、台座底面部２１５の中心部の周囲から口金２３０側に向って突出する円筒形状の台座連結部２１４とを有しており、それらが、同一の材料によって一体的に構成されている。台座本体部２１３は、軸方向長さが、図７および図８に示す台座本体部１３よりも短くなっている。
【０２１６】
台座本体部２１３には、外筒２２０の一方の端部が嵌合されており、台座本体部２１３から口金２３０とは反対側に延出した状態で、台座本体部２１３と同軸状態で支持されている。外筒２２０は、ガラス等の光透過性材料によって、口金２３０側とは反対側に位置する他方の端面が覆われた円筒形状に構成されており、台座本体部２１３の外周面に嵌合された外筒２２０の一方の端部は、接着剤等によって台座本体部２１３に一体的に取り付けられている。
【０２１７】
図１８は、台座本体部２１３の形状を説明するための外筒２２０の横断面の概略図である。台座本体部２１３には、口金２３０とは反対側の端部に、ＬＥＤモジュール２５０を支持するための支持部２１６が設けられている。外筒２２０の内部に位置する支持部２１６は、台座本体部２１３における口金２３０とは反対側の端面の一部を覆うように、台座本体部２１３の内周面に突き合わされた切片形状(半月状)になっている。
【０２１８】
帯板状のＬＥＤモジュール２５０は、支持部２１６における口金２３０とは反対側の端面に、長手方向の一方の端部が突き合わされた状態で支持されている。従って、ＬＥＤモジュール２５０は、台座本体部２１３の軸心から外れた位置において、軸心に平行になるように配置されている。
【０２１９】
ＬＥＤモジュール２５０は、図１６に示すように、一方向に沿って長く延びる帯板状の実装用基板２５１の片面上に複数のＬＥＤチップ２５２が実装されて、全てのＬＥＤチップ２５２が蛍光体含有樹脂２５３によって封止されている。実装用基板２５１は、例えば、光透過性を有さない所定の厚さのアルミナ基板によって構成されており、一方の端面が台座本体部２１３の支持部２１６に突き合わされて、当該支持部２１６に取り付けられている。ＬＥＤチップ２５２は、実装用基板２５１の長手方向に沿って、例えば２列に配置されている。なお、ＬＥＤチップ２５２は実装用基板２５１上に１列あるいは３列以上に配置されていてもよい。
【０２２０】
実装用基板２５１の実装面上には、所定の配線パターン(図示せず)が設けられており、各ＬＥＤチップ２５２は、所定の配線パターンと電気的に接続されている。実装用基板２５１における台座２１０側の端部には、各ＬＥＤチップ２５２が実装された表面に、各ＬＥＤチップ２５２に対して電流を供給するための一対の端子部２５５が設けられている。各端子部２５５には、一対のリード線２５８のそれぞれの端部が接続されている。
【０２２１】
蛍光体含有樹脂２５３は、例えば、シリコーン樹脂などの透光性材料に蛍光体粒子が分散された構成になっており、ＬＥＤチップ２５２により発せられる青色光の一部を、蛍光体粒子によって前記青色光より長波長側の光に変換する。蛍光体粒子によって変換された長波長側の光は、蛍光体粒子による波長の変換がされなかった青色光との混色によって白色光とされ、この白色光が蛍光体含有樹脂から外部に照射される。
【０２２２】
ＬＥＤモジュール２５０は、図１８に示すように、蛍光体含有樹脂２５３が、ＬＥＤモジュール２５０に近接した外筒２２０の内周面に対向するように、台座２１０の支持部２１６上に支持されている。従って、各ＬＥＤチップ２５２から出射されて蛍光体含有樹脂２５３を通過した光は、ＬＥＤモジュール２５に近接した外筒２２０の周面を通って、外筒２２０の外部に照射される。
【０２２３】
台座２１０における台座底面部２１５から、口金２３０に向って突出した台座連結部２１４は、軸方向長さが短く、その外周部には、外側に向って開口した台座側溝部２１４ａが全周にわたって形成されている。台座連結部２１４における口金２３０側の端部は、台座側溝部２１４ａの側壁部を形成する台座側突条２１４ｂになっている。この台座側突条２１４ｂは、軸方向長さ（厚さ）が全周にわたって一定になっている。
【０２２４】
図１７に示すように、台座側突条２１４ｂにおける口金２３０側の端面には、口金２３０側に向って突出する１つのストッパー２１４ｃが設けられている。ストッパー２１４ｃは、ピン形状（円柱形状）になっており、台座側突条２１４ｂの端面における周方向の任意の位置に設けられている。
【０２２５】
図１６に示すように、台座連結部２１４は、口金２３０と絶縁連結体２４０によって連結されている。図１７に示すように、絶縁連結体２４０は、絶縁性の弾性体によってそれぞれが半円筒形状に構成された一対の半円筒部材２４１を有している。各半円筒部材２４１は、相互に突き合わされることによって円筒形状になり、図１８に示すように、一方の端部が台座連結部２１４の外周部分に嵌合された状態で、当該端部を除く部分がシェル２３１内に挿入されている。
【０２２６】
図１９（ａ）は、一方の半円筒部材２４１の正面図、図１９（ｂ）および（ｃ）は、その半円筒部材２４１の台座２１０側および口金側のそれぞれの側面図である。各半円筒部材２４１には、シェル２３１から突出した端部に、シェル２３１の径方向の外側に向って張り出したフランジ部２４２がそれぞれ設けられている。
【０２２７】
各フランジ部２４２の内周部には、中心側に向って開口した口金側溝部２４３がそれぞれ設けられている。各半円筒部材２４１にそれぞれ設けられた口金側溝部２４３は、各半円筒部材２４１同士が相互に突き合わされることによって、全周にわたって連続した状態になる。各フランジ部２４２における台座２１０側の端部は、それぞれ、口金側溝部２４３の側壁部を形成する口金側突条２４４になっている。
【０２２８】
各口金側突条２４４は、口金２３０の軸方向に沿った長さ(厚さ)が全周にわたって一定になっている。また、口金側溝部２４３も、口金２３０の軸方向に沿った長さ（幅）が一定になっている。口金側溝部２４３の幅は、台座２１０の台座連結部２１４に設けられた台座側突条２１４ｂの厚さよりも若干短くなっている。
【０２２９】
なお、図１９に示すように、一方の半円筒部材２４１には、口金側溝部２４３における口金側突条２４４とは反対側の内周面に、周方向の中央部から、軸心に向って突出した係合突起２４５が設けられている。係合突起２４５は、周方向に沿って所定の長さに構成されており、台座２１０の台座側突条２１４ｂに設けられたストッパー２１４ｃが、周方向の両側部分に当接可能になっている。他方の半円筒部材２４１には、このような係合突起は設けられていない。
【０２３０】
絶縁連結体２４０は、各半円筒部材２４１のフランジ部２４２が、台座２１０における台座連結部２１４に嵌合されている。この場合、各半円筒部材２４１の口金側溝部２４３に、台座２１０の台座連結部２１４に設けられた台座側突条２１４ｂが嵌合されて、台座連結部２１４の台座側溝部２１４ａに、各半円筒部材２４１に設けられた口金側突条２４４が、それぞれ嵌合される。
【０２３１】
なお、台座側突条２１４ｂの厚さは、口金側溝部２４３の幅よりも若干長くなっているが、口金側溝部２４３が形成された各半円筒部材２４１は、絶縁性の弾性体によって構成されているために、台座側突条２１４ｂは、口金側溝部２４３内に圧入された状態になっている。これにより、台座側突条２１４ｂは、口金側溝部２４３とは圧接された状態になり、台座側突条２１４ｂは、口金側溝部２４３との摩擦力によって摺動しない状態に保持される。
【０２３２】
この場合、台座側突条２１４ｂの端面に設けられたストッパー２１４ｃは、絶縁連結体２４０における口金側溝部２４３よりも奥側に入り込んだ状態になる。
【０２３３】
このような状態で、台座側突条２１４ｂに、口金側溝部２４３との摩擦力よりも大きな回転力（トルク）が加わると、台座側突条２１４ｂは口金側溝部２４３内を摺動する。
【０２３４】
台座側突条２１４ｂを、口金側溝部２４３内を周方向のいずれか一方へ摺動させると、ストッパー２１４ｃは、一方の半円筒部材２４１に設けられた係合突起２４５における周方向の片側に当接することになる。
【０２３５】
これにより、台座側突条２１４ｂは、口金側溝部２４３に対して、摺動方向への移動が規制されることになる。このような状態で、台座側突条２１４ｂに対して同じ方向に回転力を加えると、ストッパー２１４ｃが当接した係合突起２４５が、ストッパー２１４ｃに押されて、ストッパー２１４ｃと一体的に回転する。その結果、台座側突条２１４ｂと口金側溝部２４３とが一体的に同方向に回転されることになる。
【０２３６】
このように、台座側突条２１４ｂは、係合突起２４５における周方向の各端部に当接するまで、口金側溝部２４３内を摺動可能になっている。従って、台座２１０の台座連結部２１４は、絶縁連結体２４０に対して、３６０°よりも若干小さな範囲の角度（３５０°程度）で回転可能になっており、台座２１０と一体となった外筒２２０は、口金２３０に対して同じ範囲で回転することが可能になっている。
【０２３７】
絶縁連結体２３２は、台座２１０の台座連結部２１４に嵌合された状態で、フランジ部２４２とは反対側の端部から、シェル２３１内に挿入されており、シェル２３１に対して接着剤等によって一体的に取り付けられている。
【０２３８】
図１６に示すように、シェル２３１の周面には、前記各実施形態と同様に、照明器具におけるソケット内にシェル２３１を装着するためのねじ部２３１ａが設けられている。シェル２３１の周面に設けられたねじ部２３１ａは、シェル２３１の外周面と内周面とにおいて、谷部と山部とが逆転したねじ溝をそれぞれ形成している。
【０２３９】
シェル２３１における台座２１０とは反対側の端部には、絶縁接続体２３２が設けられている。絶縁接続体２３２は半球形状になっており、絶縁接続体２３２の外周面にアイレット２３３が取り付けられている。アイレット２３３には、シェル２３１の軸方向に沿って電力供給ピン２３４が取り付けられている。電力供給ピン２３４は、アイレット２３３から絶縁接続体２３２側に延びており、絶縁接続体２３２の軸心部を通って、シェル２３１の内部に突出している。
【０２４０】
シェル２３１の内部に設けられた点灯回路ユニット２６０は、シェル２３１の軸心方向に沿って長くなった平板状の回路基板２６１を有しており、回路基板２６１の両面に、点灯回路を構成する各種電子部品が実装されている。
【０２４１】
回路基板２６１は、長手方向と直交する幅方向の長さが、全体にわたって、シェル２３１におけるねじ部２３１ａの直径にほぼ等しくなっており、回路基板２６１の長手方向に沿った中心線が、シェル２３１の軸心と一致した状態になっている。
【０２４２】
回路基板２６１の両側の各側面には、シェル２３１に設けられたねじ部２３１ａの山部および谷部に対応した凹凸部２６２が設けられている。凹凸部２６２がそれぞれ形成された回路基板２６２の各側縁部には、それぞれ、導電性および熱伝導性を有する側部導電パターン２６３が形成されている。各側部導電パターン２６３は、導電性および熱伝導性に優れた銅、アルミニウム等の金属によって構成されている。各側部導電パターン２６３は、回路基板２６１の凹凸部２６２に沿った凹凸形状になっている。
【０２４３】
回路基板２６１は、各側部導電パターン２６３が設けられた端部を、シェル２３１内に突き当てた状態で、長手方向に沿った中心軸周りに回転させることにより、各凹凸部２６２が、シェル２３１のねじ部２３１ａに係合することによりねじ結合状態になる。回路基板２６１は、各凹凸部２６２が、ねじ部２３１ａにねじ結合した状態で中心軸周りの回転を継続することにより、シェル２３１に対して長手方向に沿って挿入され、シェル２３１内に挿入された端部が、シェル２３１に設けられた絶縁接続体２３２に突き当たった状態になる。
【０２４４】
シェル２３１内に挿入された回路基板２６１の端部における中央部分は、導電性および熱伝導性を有する先端導電部２６４になっている。この先端導電部２６４も、導電性および熱伝導性に優れた銅、アルミニウム等の金属によって構成されている。先端導電部２６４には、絶縁接続体２３２から突出した電力供給ピン２３４が挿入されるピン孔２６５が設けられており、このピン孔２６５に挿入された電力供給ピン２３４は、先端導電部２６４と電気的に接続された状態になる。
【０２４５】
回路基板２６１は、絶縁連結体２４０内を通って、台座２１０における台座本体部２１３内に進入した状態になっている。台座本体部２１３内に位置する回路基板２６１の端部には、一対のリード線２５８の端部が接続されている。各リード線２５８のそれぞれの他方の端部は、前述したように、台座本体部２１３の支持部２１６に支持されたＬＥＤモジュール２５０の各端子部２５５にそれぞれ接続されている。各リード線２５８は、口金２３０に対して台座２１０が３６０°にわたって回転した場合にも、切断されないような長さになっている。
【０２４６】
このような構成の電球形ＬＥＤランプ２００を、図１に示す一般白熱電球用の照明器具７０に装着する場合には、予め、口金２３０に対して外筒２２０を、口金２３０をソケット７２にネジ結合させる場合の回転方向（以下、この方向への回転を正転と称する）とは反対方向（以下、この方向への回転を逆転と称する）に回転させる。この場合、口金２３０に対して外筒２２０にトルクを加えることにより、台座連結部２１４に設けられた台座側突条２１４ｂは、絶縁連結体２４０に設けられた口金側溝部２４３内を摺動する。
【０２４７】
外筒２２０を口金２３０に対して正転操作すると、絶縁連結体２４０に設けられたストッパー２１４ｃが、絶縁連結体２４０に設けられた係合突起２４５に当接した状態になり、外筒２２０を口金２３０に対して正転することができなくなる。
【０２４８】
このような状態で、ユーザーは、外筒２２０を把持した状態で、天井に取り付けられた器具本体部７１の下側の開口部から電球形ＬＥＤランプ２００を挿入する。この場合、開口部の大きさによっては、電球形ＬＥＤランプ２００を、ソケット７２の軸方向に対して垂直状態に近づくように傾斜させて、電球形ＬＥＤランプ２００の口金２３０をソケット７２に挿入する。
【０２４９】
そして、器具本体部７１内において、電球形ＬＥＤランプ２００の口金２３０をソケット７２にネジ結合させるために、外筒２２０を正転させる。この場合、ユーザーは、器具本体部７１内における下側の開口部に近接した比較的広い空間内で外筒２２０を正転操作することができる。これにより、外筒２２０と一体となった台座２１０が同方向に正転される。
【０２５０】
この場合、外筒２２０と一体となった台座２１０が正転操作されると、台座２１０の台座連結部２１４に取り付けられた絶縁連結体２４０と口金２３０とが一体となっているために、口金２３０は、ソケット７２からほとんど力を受けることなく回転して、ソケット７２内にネジ送りされる。従って、台座連結部２１４にはトルクが加わらず、台座連結部２１４に設けられた台座側突条２１４ｂは、絶縁連結体２４０に設けられた口金側溝部２４３とは摺動しない。
【０２５１】
このようにして、電球形ＬＥＤランプ２００の口金２３０がソケット７２に装着されると、口金２３０は、ソケット７２に対して回転しない状態になり、外筒２２０は、ほぼ水平状態になる。その後、ユーザーは、台座２１０に取り付けられているＬＥＤモジュール２５０を、器具本体部７１の下方から、光透過性の外筒２２０を通して目視し、ＬＥＤモジュール２５０に設けられた蛍光体含有樹脂２５３の位置を確認する。そして、蛍光体含有樹脂２５３が、水平状態になった外筒２２０の下側に位置するように、外筒２２０を、さらに正転操作する。
【０２５２】
この場合、台座側突条２１４ｂの端面に設けられたストッパー２１４ｃは、絶縁連結体２４０の係合突起２４５に当接した状態になっており、また、口金２３０は、ソケット７２に装着されてソケット７２に対して正転できない状態になっていることから、外筒２２０を正転操作することにより、外筒２２０と一体となった台座２１０は、口金２３０に取り付けられた絶縁連結体２４０に対して正転方向へのトルクが加わる。これにより、台座連結部２１４に設けられた台座側突条２１４ｂは、絶縁連結体２４０に設けられた口金側溝部２４３内を正転方向に摺動する。
【０２５３】
従って、ソケット７２に取り付けられた口金２３０に対して、外筒２２０と一体となった台座２１０が正転し、台座２１０に取り付けられたＬＥＤモジュール２５０は、外筒２２０とともに回転する。ＬＥＤモジュール２５０は、外筒２２０とは偏心状態で配置されているために、外筒２２０の軸心回りを周回移動する。これにより、ＬＥＤモジュール２５０の蛍光体含有樹脂２５３を、外筒２２０の下部内に位置させることができる。その結果、蛍光体含有樹脂２５３は下方に向いた状態になる。
【０２５４】
このような状態になると、外筒２２０の正転操作を終了する。この場合、台座連結部２１４に設けられた台座側突条２１４ｂは、絶縁連結体２４０に設けられた口金側溝部２４３内に圧接された状態になっているために、外筒２２０は口金２３０に対して回転するおそれがなく、従って、ＬＥＤモジュール２５０は、外筒２２０の下部内における所定の位置に保持されることになる。
【０２５５】
照明器具７０に装着された電球形ＬＥＤランプ２００では、ＬＥＤモジュール２５０のＬＥＤチップ２５２から出射される光が、外筒２２０を通って、電球形ＬＥＤランプ２００の下方域に照射される。この場合、ＬＥＤチップ２５２は、外筒２２０の軸方向に沿って配列されているために、電球形ＬＥＤランプ２００の下方域を、外筒２２０の軸方向に沿って一様に、かつ広範囲にわたって照明することができる。
【０２５６】
なお、本実施形態の電球形ＬＥＤランプ２００では、ＬＥＤモジュール２５０を、図２０に示すように、実装用基板２５１におけるＬＥＤチップ２５２の実装面とは反対側の裏面が、ＬＥＤモジュール２５０に近接した外筒２２０の内周面に対向するように、台座２１０の支持部２１６に取り付ける構成としてもよい。この場合には、照明器具に対して、ＬＥＤモジュール２５０が外筒２２０の上部内に位置するように調整される。これにより、ＬＥＤモジュール２５０のＬＥＤチップ２５２から出射される光は、照明器具の下方に向って照射される。
【０２５７】
また、本実施形態の電球形ＬＥＤランプ２００では、図２１（ａ）に示すように、外筒２２０のほぼ全周から光を照射する構成とすることもできる。この場合、ＬＥＤモジュール２５０は、実装用基板２５１の両面にＬＥＤチップ２５２が実装されており、実装用基板２５１のそれぞれの面に実装されたＬＥＤチップ２５２が、蛍光体含有樹脂２５３によって覆われている。
【０２５８】
また、ＬＥＤモジュール２５０が取り付けられる台座２１０の支持部２１６は、台座本体部２１３の中央部において直径方向に沿った帯板状に形成されている。支持部２１６は、軸心を挟んで対向する台座本体部２１３のそれぞれの内周部にわたって架設された状態になっている。ＬＥＤモジュール２５０は、実装用基板２５１の長手方向に沿った軸心が、外筒２２０の軸心と一致するように、支持部２１６上に支持されている。
【０２５９】
このような電球形ＬＥＤランプ２００では、光透過性の外筒２００内に設けられたＬＥＤモジュール２５０は、実装用基板２５１の両面にＬＥＤチップ２５２が実装されているために、外筒２２０の軸心を中心として、ほぼ全方位にわたって広範囲に光を照射することが可能である。
【０２６０】
従って、口金２３０が器具本体部７１のソケット７２に装着されると、ＬＥＤモジュール２５０による光の照射方向を調整する必要は特にない。しかし、外筒２２０の回転操作によって光の照射方向を調整できるために、ユーザーの好み等に応じた光の照射方向とすることができる。
【０２６１】
なお、電球形ＬＥＤランプ２００は、上述のように、ＬＥＤモジュール２５０による光の照射方向を調整する必要がないために、口金２３０と、台座２１０とが回転可能になっている必要はなく、両者が一体的に取り付けられた構成であってもよい。
【０２６２】
また、実装用基板２５１の両面にＬＥＤチップを実装する構成に限らず、図２１（ｂ）に示すように、光透過性を有する実装用基板２５１を用いて、実装用基板２５１の一方の面にのみＬＥＤチップ２５２を実装して蛍光体含有樹脂２５３によって覆う構成としてもよい。実装用基板２５１は、例えば、厚さ０.８ｍｍのアルミナ基板が使用されており、これにより実装用基板２５１は光透過性になっている。
【０２６３】
このような構成でも、光透過性の外筒２００内に設けられたＬＥＤモジュール２５０は、光透過性を有する実装用基板２５１上にＬＥＤチップ２５２が設けられているために、ＬＥＤチップ２５２から実装用基板２５１に向けて出射される光が、実装用基板２５１を通過することになる。これにより、実装用基板２５１を通過した光は、光透過性の外筒２２０を通って外部に照射される。従って、このような構成でも、外筒２２０の軸心を中心として、ほぼ全方位にわたって広範囲に光を照射することが可能である。
【産業上の利用可能性】
【０２６４】
本発明は、半導体発光素子を光源として用いた電球形ＬＥＤランプにおいて、ミニクリプトン電球等の既存の小型電球の代替として有用な技術である。
【符号の説明】
【０２６５】
１０        台座
１１        台座本体部
１２        台座基端部
１２ａ      貫通穴
１２ｂ      台座底面
１２ｃ      係合部
２０        回路ユニットケース
２１        ケース本体部
２２        連結部
２４        ストッパーリング
２４ａ      ストッパー
５６ａ      回路基板
３０        口金
３１        シェル
３５        撚り線
４０        支持台
４１        支持本体部
４２        支持台部
４３        絶縁部材
５１        ＬＥＤモジュール
５６        点灯回路ユニット
１１０      筐体
１１１      筐体本体部
１１２      筐体収容部
１１２ａ    開口部
１１４      ガイドピン
１２０      回路ケース
１２１      ケース本体部
１２２      ケース連結部
１２２ｂ    ネジ部
１３０      口金
１３１      シェル
１３３      アイレット
１４１      モジュール支持台
１４２      ＬＥＤモジュール
１４３      絶縁リング
１４３ａ    ガイド溝
１５０      点灯回路ユニット
１５１      回路基板
１５４      リード線
１５８      リード線
２１０      台座
２１３      台座本体部
２１６      支持部
２１４      台座連結部
２１４ａ    台座側溝部
２１４ｂ    台座側突条
２１４ｃ    ストッパー
２１５      台座底面部
２４０      絶縁連結体
２４１      半円筒部材
２４２      フランジ部
２４３      口金側溝部
２４５      係合突起
２３０      口金
２３１      シェル
２３１ａ    ねじ部
２３２      絶縁接続体
２３４      電力供給ピン
２５０      ＬＥＤモジュール
２６０      点灯回路ユニット
２６１      回路基板
２６２      凹凸部
２６４      先端導電部
【図１】
2011077725.tif 000003
【図２】
2011077725.tif 000004
【図３】
2011077725.tif 000005
【図４】
2011077725.tif 000006
【図５】
2011077725.tif 000007
【図６】
2011077725.tif 000008
【図７】
2011077725.tif 000009
【図８】
2011077725.tif 000010
【図９】
2011077725.tif 000011
【図１０】
2011077725.tif 000012
【図１１】
2011077725.tif 000013
【図１２】
2011077725.tif 000014
【図１３】
2011077725.tif 000015
【図１４】
2011077725.tif 000016
【図１５】
2011077725.tif 000017
【図１６】
2011077725.tif 000018
【図１７】
2011077725.tif 000019
【図１８】
2011077725.tif 000020
【図１９】
2011077725.tif 000021
【図２０】
2011077725.tif 000022
【図２１】
2011077725.tif 000023
【手続補正書】
【提出日】平成23年4月12日(2011.4.12)
【手続補正１】
【補正対象書類名】明細書
【補正対象項目名】全文
【補正方法】変更
【補正の内容】
【発明の詳細な説明】
【技術分野】
【０００１】
本発明は、電球形ランプに関し、特に、ＬＥＤ（発光ダイオード）等の半導体発光素子を光源とする電球形ランプに関する。
【背景技術】
【０００２】
ＬＥＤ等の半導体発光素子を光源とする光源装置の実用化が進んでおり、広く普及している白熱電球用の既設の照明器具のソケットに直接装着できるように、一般的なＥ２６型の口金を用いた電球形ＬＥＤランプも開発されている。このような電球形ＬＥＤランプは、通常、口金の軸心に対して直交する面上に、複数のＬＥＤチップが実装されており、指向性の強い各ＬＥＤチップからは、口金の軸心方向に沿って光が照射される。
【０００３】
また、一般的なＥ２６型の口金よりもさらに小型のＥ１７型の口金を有するミニクリプトン電球の代替となる小型の電球形ＬＥＤランプの開発も進んでいる。ミニクリプトン電球は、多くの場合、ダウンライト型の照明器具に装着して使用される。ダウンライト型の小型電球用照明器具は、通常、軸方向が概略水平状態または水平に対して３０°程度以下の傾斜状態になったソケットと、そのソケットに口金が装着されたミニクリプトン電球を覆う半球形状（碗状）の器具本体部とを有している。
【０００４】
ダウンライト型の小型電球用照明器具では、半球形状の器具本体部が、開口部を下方に向けた状態で天井等に取り付けられている。ミニクリプトン電球は、器具本体部の開口部を通して回転操作されることにより、照明器具のソケットに口金が取り付けられる。ソケットに取り付けられたミニクリプトン電球は、器具本体部の内部において概略水平状態、あるいは水平に対して３０°程度以下の傾斜状態に保持される。
【０００５】
従来のミニクリプトン電球では、光軸を中心とした光の広がり角度が１８０°近くになっているために、軸方向が水平状態に近い状態になったソケットに取り付けられた状態で、照明器具の下方の領域に光を照射することができる。
【０００６】
しかしながら、このようなダウンライト型のミニクリプトン電球の代替として、前述したように、口金の軸心に対して直交する面上に複数のＬＥＤチップが実装された電球形ＬＥＤランプを用いると、ソケットに取り付けられた電球形ＬＥＤランプのＬＥＤチップから出射される光は、口金の軸心方向に沿って、口金から離れる方向（前方）に照射される。これにより、照明器具における下方の照明領域に対して十分な光量の光を照射することができないおそれがある。
【０００７】
特許文献１には、点灯装置が収納されたカバーを口金に取り付けて、発光ダイオードを有する球状体を、カバーに対して回転可能に取り付けた電球形ＬＥＤランプが開示されている。この電球形ＬＥＤランプでは、球状体をカバーに対して回動させることにより、発光ダイオードによる光の照射方向を、口金の軸方向に対して自由に変更することが可能になっている。
【０００８】
また、特許文献２には、口金を備える台座部の内部に、ＬＥＤを点灯させる点灯回路を設けるとともに、ＬＥＤの配光ビームの光軸中心が、口金の差し込み方向に対して、略９０°になったＬＥＤを、回転機構を介して、台座部における口金とは反対側に取り付けた電球形ＬＥＤランプが開示されている。
【先行技術文献】
【特許文献】
【０００９】
【特許文献１】特開２００８−２５１４４４号公報
【特許文献２】特開２００５−２７６４６７号公報
【発明の概要】
【発明が解決しようとする課題】
【００１０】
特許文献１に開示された電球形ＬＥＤランプでは、カバーの先端部に支持された球状体がカバーの先端部内に嵌合されているために、カバーの内部において球状体が占める体積が大きくなっている。その結果、発光ダイオードの点灯装置は、カバーの一端部に設けられた口金の内部を利用して設けられている。しかしながら、発光ダイオードの点灯装置をカバーの内部に収容するためにカバーを大型化すると、電球形ＬＥＤランプ全体が大型になり、電球形ＬＥＤランプをダウンライト型の小型電球用照明器具に装着することができなくなるおそれがある。
【００１１】
また、電球形ＬＥＤランプを、ミニクリプトン電球等の代替としてダウンライト型の小型電球用照明器具に装着することができても、照明器具の内部において、球状体の周囲に十分なスペースが確保されないおそれがあり、この場合には、球状体を回動操作することが容易でないという問題がある。
【００１２】
また、特許文献２に開示された電球形ＬＥＤランプでは、点灯回路が内部に設けられた台座部の先端部に、回転機構を介して、台座部の軸方向に沿って長く延びるＬＥＤが設けられているために、全体が軸方向に沿って長くなっている。このような構成の電球形ＬＥＤランプも、台座部の大きさを、内部に点灯回路が収容されるように構成すると、全体が大型化し、ダウンライト型の小型電球用照明器具に装着することができないおそれがある。
【００１３】
特に、ミニクリプトン電球のように小型の電球に対応した電球形ＬＥＤランプでは、筐体および口金も小さくなっているために、ＬＥＤチップを点灯させるために必要な電力を供給する点灯回路を配置するための空間も小さくなるという問題がある。内部容積が小さくなった筐体の内部に点灯回路を収容する場合、点灯回路を構成する電子部品も小型化しなければならず、そのために高出力化することが容易でないという問題がある。
【００１４】
本発明は、このような問題を解決するものであり、その目的は、ダウンライト型の照明器具に装着可能であって、しかも、半導体発光素子による光の照射方向を容易に調整することができる電球形ランプを提供することにある。また、本発明の他の目的は、点灯回路を構成する電子部品を安定的に使用することができる電球形ランプを提供することにある。さらに、本発明の他の目的は、照明器具における下方の照明領域に対して十分な光量の光を照射することができる電球形ランプを提供することにある。
【課題を解決するための手段】
【００１５】
上記の目的を達成するため、本発明の第１の局面における電球形ランプは、照明器具のソケットに装着される口金と、前記口金に、当該口金の軸心回りに回転可能に支持された台座と、半導体発光素子を有し、当該半導体発光素子による光の照射方向が、前記口金の軸心に対して傾斜状態または垂直状態になるように、前記台座の端部または外面に取り付けられた発光モジュールと、を有することを特徴とする。
【００１６】
また、上記の目的を達成するため、本発明の第２の局面における電球形ランプは、照明器具のソケットに装着される口金と、前記口金に取り付けられた筐体と、半導体発光素子を有し、当該半導体発光素子による光の照射方向が、前記口金の軸心に対して傾斜状態になるように、前記筐体の内部に配置された発光モジュールと、前記発光モジュールおよび前記口金にそれぞれ電気的に接続された点灯回路と、当該点灯回路が実装された状態で前記筐体の内部に収容された回路基板と、を備え、前記回路基板は、前記口金の軸心に沿った状態で設けられるとともに、前記口金から遠い側の端部が、前記発光モジュールの光照射方向とは反対側に形成された前記筐体内の空間内に進入していることを特徴とする。
【００１７】
また、上記の目的を達成するため、本発明の第３の局面における電球形ランプは、照明器具のソケットに装着される口金と、前記口金と一体的に回転するように、当該口金に連結された台座と、帯板状の実装基板と、当該実装基板の長手方向に沿って実装された複数の半導体発光素子とを備えた発光モジュールと、を有し、前記実装基板が、前記口金の軸心に沿って前記口金とは反対側に延出するように、前記台座の端部に支持されており、前記台座は、前記口金に対して回転可能になっていることを特徴とする。
【発明の効果】
【００１８】
本発明の第１の局面に係る電球形ランプでは、口金に回転可能に支持された台座に、発光モジュールが、光の照射方向を、口金の軸心に対して傾斜状態または垂直状態として取り付けられているために、照明器具のソケットに口金が装着された状態で、台座を回転操作することによって、半導体発光素子の光の照射方向を所定方向に調整することができる。従って、照明器具に装着された状態での半導体発光素子の光の照射方向の調整を容易に行うことができる。
【００１９】
また、口金に対して台座が回転可能に支持されていることにより、口金と台座とをオーバーラップさせることができ、これにより、全体を小型化することができる。その結果、ダウンライト型の小型電球用照明器具に装着可能に小型化することができ、ミニクリプトン電球等の代替とすることができる。
【００２０】
本発明の第２の局面に係る電球形ランプでは、筐体の内部に収容された回路基板が、口金の軸心に沿った状態で、傾斜状態になった発光モジュールに対して光照射方向とは反対側の空間に進出した状態になっているために、回路基板の面積が大きくなっている。従って、この空間内に進入した回路基板部分に、点灯回路を構成する各種電子部品を搭載することができ、出力電力量を増大させるための大型の電子部品を配置することができる。また、回路基板の面積が大きくなっていることにより、実装させる電子部品を密集させる必要がなく、電子部品が高温になることも抑制することができる。以上のことにより、電球形ランプを小型化および高出力化することができる。
【００２１】
本発明の第３の局面に係る電球形ランプでは、台座に取り付けられた発光モジュールの複数の半導体発光素子が、口金の軸心に沿って配列されているために、照明器具の下方を広範囲にわたって照明することができる。
【図面の簡単な説明】
【００２２】
【図１】本発明の第１の実施形態に係る電球形ＬＥＤランプが装着された一般白熱電球用の照明器具の断面図である。
【図２】その電球形ＬＥＤランプの概略構成を示す一部破断側面図である。
【図３】その電球形ＬＥＤランプを分解して示す斜視図である。
【図４】ＬＥＤモジュールが取り付けられた支持台の側面図である。
【図５】図４の矢印Ｄで示す方向の正面図である。
【図６】図５のＡ−Ａ線における断面図である。
【図７】（ａ）は、本発明の第１の実施形態における変形例の電球形ＬＥＤランプの側面図、（ｂ）は、その電球形ＬＥＤランプの底面図、（ｃ）は、その電球形ＬＥＤランプの正面図である。
【図８】その電球形ＬＥＤランプの分解斜視図である。
【図９】（ａ）は、ロータリー接点の固定側端子基板における摺動側表面を示す平面図、（ｂ）は、ロータリー接点の回転側端子基板における摺動側表面を示す平面図、（ｃ）は、回転側端子基板の側面図である。
【図１０】本発明の第２の実施形態に係る電球形ＬＥＤランプが装着された一般白熱電球用の照明器具の断面図である。
【図１１】その電球形ＬＥＤランプの概略構成を示す縦断面図である。
【図１２】その電球形ＬＥＤランプに設けられた絶縁リングにおける筐体側の端面の平面図である。
【図１３】その電球形ＬＥＤランプに設けられた点灯回路ユニットにおける点灯回路の回路図である。
【図１４】回路ケース内に設けられた点灯回路ユニットの側面図である。
【図１５】本発明の第２実施形態における変形例の電球形ＬＥＤランプの縦断面図である。
【図１６】本発明の第３実施形態に係る電球形ＬＥＤランプの縦断面図である。
【図１７】その電球形ＬＥＤランプを分解して示す斜視図である。
【図１８】その電球形ＬＥＤランプに設けられた外筒の横断面の概略図である。
【図１９】（ａ）は、その電球形ＬＥＤランプに設けられた絶縁連結体を構成する一方の半円筒部材の正面図、（ｂ）および（ｃ）は、それぞれ、その半円筒部材の台座側および口金側の側面図である。
【図２０】本実施形態の電球形ＬＥＤランプの変形例における外筒の横断面の概略図である。
【図２１】（ａ）および（ｂ）は、それぞれ、その電球形ＬＥＤランプのさらに他の変形例における外筒の横断面の概略図である。
【発明を実施するための形態】
【００２３】
以下、本発明に係る電球形ランプの第１の実施の形態を、半導体発光素子であるＬＥＤチップを有する電球形ＬＥＤランプについて、図面を参照しながら説明する。
＜第１実施形態＞
図１は、第１実施形態に係る電球形ＬＥＤランプ１が装着された一般白熱電球用の照明器具の断面図である。この照明器具７０は、天井に取り付けられた半球形状（碗状）の器具本体部７１と、器具本体部７１に取り付けられたソケット７２とを有している。ソケット７２は、一般白熱電球用の口金が挿入される挿入口が、器具本体部７１の周面に形成された開口部７１ａに対向した状態で、かつ、挿入口側が下側に位置するように水平線に対して若干傾斜した状態で、器具本体部７１の外部に支持されている。
【００２４】
図２は、本実施形態の電球形ＬＥＤランプ１の概略構成を示す一部破断側面図、図３は、その電球形ＬＥＤランプの主要部を分解して示す斜視図である。
本実施形態の電球形ＬＥＤランプ１は、横断面円形の筒状に構成された台座（筐体）１０と、台座１０とは一体的に回転可能であってＬＥＤモジュール５１を支持する支持台４０と、台座１０の内部に一部が収容された回路ユニットケース２０と、ＬＥＤモジュール５１を点灯するために回路ユニットケース２０内に収容された点灯回路ユニット５６と、回路ユニットケース２０に一体的に連結された円筒形状の口金３０と、ＬＥＤモジュール５１を覆うように台座１０に取り付けられたグローブ５５とを有している。なお、図３ではグローブ５５を省略している。
【００２５】
口金３０は、照明器具７０のソケット７２に装着されるように、例えば、ＪＩＳ（日本工業規格）に規定するＥ１７口金の規格に適合しており、回路ユニットケース２０の一方の端部に設けられた円筒形状の連結部２２に取り付けられている。
【００２６】
なお、口金３０は、このように、Ｅ１７口金の規格に適合する構成に限らず、他の照明器具のソケットに装着されるように、ＪＩＳにて規定される他の規格（Ｅ２６口金等）に適合する構成であってもよい。
【００２７】
口金３０は、円筒形状に構成されたシェル３１を有している。図２に示すように、シェル３１の外周面には、照明器具７０におけるソケット７２内にシェル３１を装着するためのネジ溝３１ａが設けられており、また、シェル３１の内周面には、回路ユニットケース２０の一方の端部に設けられた連結部２２を連結するためのネジ溝３１ｂが設けられている。
【００２８】
シェル３１におけるソケット７２内への挿入側の端部には絶縁接続体３２が設けられている。絶縁接続体３２は、その挿入側の先端に向って突出した中空円錐形状になっており、シェル３１に対して同軸状態で取り付けられている。絶縁接続体３２の先端部にはアイレット３３が取り付けられている。シェル３１とアイレット３３とは、絶縁接続体３２によって一体的に連結されている。
【００２９】
口金３０の内部には、回路ユニットケース２０内に収容された点灯回路ユニット５６へ給電するための第１給電線３５ａおよび第２給電線３５ｂを有する撚り線３５（電気配線）が設けられている。第１給電線３５ａの一端はシェル３１に接続されており、また、第２給電線３５ｂの一端はアイレット３３に接続されている。撚り線３５は、シェル３１の内部を通過している。
【００３０】
回路ユニットケース２０は、横断面円形の有底筒状に構成されたケース本体部２１を有しており、ケース本体部２１の一方の端面であるケース底面２１ａに、口金３０のシェル３１内に挿入されて口金３０と連結するための円筒形状の連結部２２が設けられている。ケース本体部２１は、ケース底面２１ａから離れるにつれて順次直径が大きくなっており、ケース本体部２１におけるケース底面２１ａとは反対側に位置する端面は、全面にわたって開放されたケース開口部２１ｃ（図３参照）になっている。
【００３１】
円筒形状の連結部２２は、ケース底面２１ａの中央部から、ケース本体部２１に対して離れる方向に、シェル３１の軸方向長さの１／２程度の軸方向長さで突出するように、ケース本体部２１とは同軸状態で設けられている。連結部２２の内部は、ケース本体部２１の内部と連通状態になっている。ケース本体部２１および連結部２２は、絶縁性の合成樹脂によって一体成型されている。
【００３２】
連結部２２の外周面にはネジ溝２２ａが設けられている。このネジ溝２２ａは、連結部２２がシェル３１内に挿入される際に、口金３０のシェル３１の内周面に設けられたネジ溝３１ｂとネジ結合される。これにより、連結部２２と口金３０とが連結されている。
【００３３】
口金３０のシェル３１およびアイレット３３にそれぞれ接続された第１給電線３５ａおよび第２給電線３５ｂを有する撚り線３５は、シェル３１に連結された連結部２２の内部を通って、ケース本体部２１内に引き出されており、さらには、ケース本体部２１の内部を通過して、ケース開口部２１ｃの近傍にまで達している。
【００３４】
回路ユニットケース２０のケース本体部２１は、筒状の台座１０の内部に収容されており、台座１０の一方の端面には、回路ユニットケース２０の連結部２２が突出する貫通穴１２ａを有する台座底面１２ｂが設けられている。
【００３５】
台座１０は、通常の白熱電球本体の基端側を模した輪郭を有しており、台座底面１２ｂに連続する円筒形状の台座基端部１２と、台座基端部１２に対して台座底面１２ｂから離れる方向に連続して同心状態で設けられた円筒形状の台座本体部１１とを有している。
【００３６】
台座基端部１２は、台座底面１２ｂから離れるにつれて順次、直径が大きくなっている。また、台座本体部１１も、台座基端部１２から離れるにつれて、直径が順次大きくなっているが、台座本体部１１の周面は、台座基端部１２の周面よりも小さな傾斜角度で傾斜している。台座本体部１１における台座基端部１２とは反対側の先端面は、全面にわたって開放された台座開口部１１ａになっている。
【００３７】
台座基端部１２の台座底面１２ｂに形成された貫通穴１２ａは、台座基端部１２の軸心を中心として、連結部２２の外径よりも若干大きな直径の円形状に形成されており、貫通穴１２ａの周囲が台座底面１２ｂになっている。台座底面１２ｂは、台座基端部１２の軸心に垂直な平坦面になっており、回路ユニットケース２０の連結部２２が貫通穴１２ａ内に挿入された状態では、ケース底面２１ａに対向するようになっている。
【００３８】
台座底面１２ｂにおける周方向の１か所には、内側（台座基端部１２の軸心側）に向って突出した係合部１２ｃ（図３参照）が形成されている。
台座１０は、全体が、アルミニウムのダイキャストによって一体成型されており、全体にわたって、１．５ｍｍ〜３ｍｍ程度の一定の厚さになっている。
【００３９】
台座１０の外周面は、アルマイト処理によって、例えば、全体にわたって１０μｍの厚さのアルマイト層（陽極酸化皮膜）が形成されており、これにより、放熱特性が向上している。
【００４０】
例えば、台座１０の外周面に白アルマイト処理を施して形成されたアルマイト層の表面（白アルマイト皮膜の表面）の放射率は、０．８になる。この場合、アルマイト処理が施されていない台座１０の内周面の放射率は、０．０５であり、外周面の放射率が内周面の放射率よりも１０倍以上になっている。
【００４１】
台座１０に伝わった熱の一部は、台座１０の表面からの放射によって放熱される。この場合、台座１０の内周面よりも外周面の放射率が高くなっていることにより、外周面における熱の放射が促進されるのに対して、内周面における熱の放射が抑制されることになる。これにより、台座１０の内部の熱が外部に放射されることが促進されて、内部にこもることが抑制される。
【００４２】
なお、アルマイト層は、白アルマイト皮膜に限らず、黒アルマイト皮膜であってもよい。
このように、アルマイト処理によって形成されるアルマイト層（アルマイト皮膜）は、膜厚が薄いために、台座１０の体積、重量に与える影響がほとんどない。従って、アルマイト層を形成することによって、台座１０の小型化および軽量化に影響を与えることなく、高い放熱性を実現することができる。
【００４３】
なお、台座１０の外周面にアルマイト処理によってアルマイト層を形成する構成に代えて、台座１０の外周面に合成樹脂を塗装することによって放熱性を向上させることもできる。
【００４４】
ケース本体部２１における連結部２２が設けられたケース底面２１ａには、台座基端部１２の台座底面１２ｂの回転を、１回転を超えない３６０°未満の範囲に規制する規制部材を構成するストッパーリング２４が取り付けられている。ストッパーリング２４は、ステンレス等の金属板によってリング状に形成されており、連結部２２に同心状態で嵌合されて、ケース底面２１ａに、例えば接着剤によって接着されている。
【００４５】
台座１０における台座底面１２ｂの貫通穴１２ａから突出した回路ユニットケース２０の連結部２２には、ワッシャー６１および絶縁リング６２が、台座底面１２ｂ側からその順番で嵌合されている。連結部２２に装着された口金３０は、絶縁リング６２を介してワッシャー６１を押圧した状態になっており、これにより、ワッシャー６１が台座底面１２ｂに圧接されている。
【００４６】
ストッパーリング２４における周方向の一か所には、連結部２２の突出方向に向って突出する係合部としてのストッパー２４ａが周方向に沿って設けられている。ストッパー２４ａは、台座底面１２ｂの貫通穴１２ａ内に挿入された状態で、台座底面１２ｂの内周縁に近接している。
【００４７】
口金３０が連結部２２に装着された状態では、口金３０からの押圧力（締め付け力）が、絶縁リング６２およびワッシャー６１を介して台座底面１２ｂに加わり、台座底面１２ｂが、ケース底面２１ａに取り付けられたストッパーリング２４に圧接されている。このような状態では、台座底面１２ｂは、ストッパーリング２４とワッシャー６１とによって挟持されて、連結部２２に対して固定状態になり、従って、台座１０が回路ユニットケース２０に対して固定状態になっている。
【００４８】
これに対して、台座１０が回転操作されて、台座底面１２ｂに、ストッパーリング２４およびワッシャー６１のそれぞれとの間の摩擦力よりも大きな力が加わると、台座底面１２ｂは、連結部２２の周囲を、ストッパーリング２４およびワッシャー６１のそれぞれに圧接された状態で周回移動する。
【００４９】
これにより、台座１０の全体が、回路ユニットケース２０に対して回転されることになる。貫通穴１２ａ内に挿入されたストッパー２４ａは、台座底面１２ｂの内周縁に近接した状態になっているために、台座１０の全体が、回路ユニットケース２０に対して回転されると、ストッパー２４ａが台座底面１２ｂの内周縁に沿って周回移動し、台座底面１２ｂの内周縁から内側に突出した係合部１２ｃに当接することになる。係合部１２ｃがストッパー２４ａに当接すると台座１０の回転が規制される。
【００５０】
このように、ストッパー２４ａが設けられたストッパーリング２４および係合部１２ｃは、回路ユニットケース２０に対する台座１０の回転を規制する規制部材を構成している。
【００５１】
台座１０における台座本体部１１の台座開口部１１ａに近接した端部内には、ＬＥＤモジュール５１を所定の姿勢で支持する支持台４０が一体的に組み込まれている。
図４は、支持台４０の側面図である。支持台４０は、台座本体部１１の内周面に圧接するように、台座本体部１１の先端部と同様の傾斜状態になった外周面を有する支持本体部４１と、この支持本体部４１におけるケース本体部２１とは反対側に設けられた支持台部４２とを有している。支持台４０の支持本体部４１および支持台部４２は、例えば、アルミニウムによって一体的に形成されている。
【００５２】
支持本体部４１は、台座開口部１１ａから挿入されて、支持本体部４１の外周面が台座開口部１１ａに近接した台座本体部１１の内周面に圧接された状態になっており、これにより、支持台４０は、台座本体部１１とは一体的に組み付けられている。従って、このような状態では、回路ユニットケース２０に対して台座１０が回転されることによって、支持台４０は、台座１０と一体となって回転される。
【００５３】
支持本体部４１における回路ユニットケース２０側部分には、ケース本体部２１側に開口した円筒状の凹部４１ａが設けられており、この凹部４１ａ内に、円筒形状のキャップ部材４３が嵌合されている。キャップ部材４３は、凹部４１ａの内奥部側の端面４３ａが閉鎖されており、この端面４３ａが軸心部に設けられたネジ４４によって支持本体部４１に取り付けられている。キャップ部材４３における端面４３ａとは反対側の端部は、凹部４１ａよりも外側に突出しており、その端部が、ケース本体部２１の先端部に嵌合している。キャップ部材４３は、ケース本体部２１と同様の絶縁性の合成樹脂によって構成されている。
【００５４】
キャップ部材４３内には、ケース本体部２１に収容される点灯回路ユニット５６の円板形状の回路基板５６ａが収容されている。回路基板５６ａは、端面４３ａから適当な間隔をあけた状態で、図示しない保持部材によって、ケース本体部２１の軸心に対して垂直状態に保持されている。
【００５５】
回路基板５６ａにおけるケース本体部２１の内部に対向した面には、口金３０を介して供給される商用１００Ｖの交流電力を所定電圧の直流電力に変換する複数の電子部品（例えば、整流・平滑回路、ＤＣ／ＤＣコンバータ等）が実装されている。点灯回路ユニット５６にて変換された直流電力は、支持台４０に取り付けられたＬＥＤモジュール５１へ供給される。
【００５６】
口金３０に接続された撚り線３５は、ケース本体部２１の内部を通って点灯回路ユニット５６の回路基板５６ａにまで達しており、撚り線３５の各第１給電線３５ａおよび第２給電線３５ｂが、回路基板５６ａ上に実装された電子部品に接続されている。撚り線３５は、回路基板５６ａがケース本体部２１に対して軸心回りに３６０°にわたって回転した場合に、その回転に追従して移動し得るように、ケース本体部２１の内部において撓んだ状態になっている。
【００５７】
支持本体部４１に対してケース本体部２１とは反対側に設けられた支持台部４２は、支持本体部４１よりは小径であって支持本体部４１と同軸状態に配置された円柱体を、支持本体部４１とは反対側の端面４２ａが、軸心に対して傾斜状態になるように切り欠いた形状になっている。支持台部４２の端面４２ａは、回路ユニットケース２０の軸心に垂直な線に対して、例えば２５°程度の傾斜角を有する傾斜面になっている。
【００５８】
なお、支持台部４２に対してケース本体部２１側に配置された支持本体部４１には、支持台部４２の端面４２ａに連続した傾斜面４１ｄが形成されており、従って、支持本体部４１は、支持台部４２側に位置する端部の一部が切り欠かれた円柱形状になっている。
【００５９】
支持台部４２における端面４２ａ上には、絶縁性の支持基板４６が設けられており、この支持基板４６上に、ＬＥＤモジュール５１が取り付けられている。
図５は、図４における矢印Ｄで示す方向の正面図である。支持基板４６は、支持台部４２における傾斜状態になった端面４２ａの直径よりも若干大きな直径を有する一定の厚さの円板の一部を円弧状に切り欠いた形状になっており、支持台部４２の端面４２ａとは同心状態で配置されて、支持基板４６の一部が、支持本体部４１の傾斜面４１ｄ上に載置されている。
【００６０】
図６は、図５のＡ−Ａ線における断面の拡大図である。支持基板４６に取り付けられたＬＥＤモジュール５１は、長方形の平板状に形成された実装基板５１ａと、この実装基板５１ａ上に実装された複数のＬＥＤチップ５１ｂと、全てのＬＥＤチップ５１ｂを封止する蛍光体含有樹脂５１ｃとを有している。
【００６１】
ＬＥＤモジュール５１の実装基板５１ａは、支持基板４６に設けられた凹部４６ａ内に嵌合されている。支持基板４６上には、凹部４６ａ内に嵌合された実装基板５１ａを固定するために、凹部４６ａを取り囲むように支持基板４６の表面に沿って設けられた一対の薄板状の固定部材５３が、ネジ５４によって取り付けられている。固定部材５３には、凹部４６ａ内に嵌合された実装基板５１ａと凹部４６ａとの間に挿入されるように屈曲された一対の固定片５３ａが、凹部４６ａの対角位置に設けられており、各固定片５３ａによって実装基板５１ａが凹部４６ａ内に固定されている。
【００６２】
ＬＥＤモジュール５１の実装基板５１ａは一定の厚さになっており、支持基板４６と同様に、支持台４０の傾斜した端面４２ａと同様の傾斜状態になっている。実装基板５１ａに実装された複数のＬＥＤチップ５１ｂは、実装基板５１ａにおける台座１０の軸心と交差する位置を中心として配置されている。各ＬＥＤチップ５１ｂは、発光面から、発光面に対して垂直な軸（光軸）を中心として光を出射する構成になっており、各ＬＥＤチップ５１ｂの光軸は、それぞれ、台座１０の軸心に対して２５°の角度で傾斜している。従って、全てのＬＥＤチップ５１ｂの光軸は、実装基板５１ａにおける台座１０の軸心と交差する中心位置を通って台座１０の軸心とは２５°の角度で傾斜した軸線と、平行になっている。
【００６３】
ＬＥＤモジュール５１の実装基板５１ａには、全てのＬＥＤチップ５１ｂに接続された一対の配線パターン５１ｄが設けられており、各配線パターン５１ｄに、点灯回路ユニット５６からの電力を各ＬＥＤチップ５１ｂに供給するための一対の電力線（図示せず）がそれぞれ接続されている。一対の電力線は、固定部材５３における対角位置のコーナー部にそれぞれ設けられた切り欠き部５３ｂ（図５参照）を通って、各配線パターン５１ｄに接続されている。一対の電力線は、支持基板４６、支持台４０の支持台部４２および支持本体部４１を順番に貫通しており、点灯回路ユニット５６の回路基板５６ａ上に設けられた電子部品から電力が供給されるようになっている。
【００６４】
台座１０における台座開口部１１ａの周縁部を形成する先端部には、ＬＥＤモジュール５１を覆うグローブ５５が取り付けられている。グローブ５５は、ガラス、合成樹脂などの光透過性の材料によって、端面が開放された半球形状に構成されており、グローブ５５の開放された端面の周縁部が、台座１０の台座開口部１１ａ内に嵌合された状態で支持されている。
【００６５】
グローブ５５の内周面には、支持基板４６における支持本体部４１から離れて配置された端部を覆うように、例えば、アルミニウムによって構成された反射膜５５ａ（図２参照）が設けられている。反射膜５５ａは、支持基板４６におけるＬＥＤモジュール５１からの光を反射させて、光の照射方向が、各ＬＥＤモジュール５１から光が直接照射される方向とほぼ一致するように、グローブ５５の一部分を覆っている。
【００６６】
反射膜５５ａは、例えば、グローブ５５の内周面にアルミニウムを蒸着させることによって形成されている。なお、反射膜５５ａとしてはアルミニウムに限らず、金（Ａｕ）、銀（Ａｇ）等の他の金属で構成してもよい。また、反射膜５５ａは、グローブ５５の内周面に対して蒸着によって形成する構成に限らず、反射膜をグローブ５５の内周面に、接着等によって取り付ける構成等であってもよい。
【００６７】
このような構成の電球形ＬＥＤランプ１は、台座１０が回路ユニットケース２０に対して回転可能な状態になっており、台座１０が回転操作されると、台座基端部１２の台座底面１２ｂに設けられた係合部１２ｃが、回路ユニットケース２０におけるケース本体部２１のケース底面２１ａに取り付けられたストッパーリング２４の内周面に沿って周回移動する。そして、係合部１２ｃが、ストッパーリング２４に設けられたストッパー２４ａに当接することによって、回路ユニットケース２０に対する台座１０の回転が規制される。
【００６８】
従って、台座１０は、係合部１２ｃが、ストッパー２４ａにおける周方向の一方の端部に当接した状態から他方の端部に当接するまでの範囲にわたって回転可能になっている。このことにより、台座１０は、ストッパーリング２４におけるストッパー２４ａが設けられた領域以外の３６０°未満（３５０°程度）の範囲にわたって、周方向の両方向に沿って回転可能になっている。
【００６９】
このような電球形ＬＥＤランプ１を、ユーザーが、図１に示す一般白熱電球用の照明器具７０に装着する場合には、台座１０をユーザーが把持した状態で、天井に取り付けられた器具本体部７１の下側の開口部から電球形ＬＥＤランプ１を挿入する。そして、器具本体部７１内において、電球形ＬＥＤランプ１の口金３０をソケット７２にネジ結合させるために、台座１０を所定方向に回転させる。以下、この所定方向の回転を正転とする。
【００７０】
この場合、ユーザーは、器具本体部７１内における下側の開口部に近接した比較的広い空間内で台座１０を正転操作することができる。
また、台座１０に設けられた係合部１２ｃが、正転方向の回転を規制するようにストッパー２４ａの一方の端部に当接していない場合には、ストッパー２４ａの一方の端部に当接するまでは、回路ユニットケース２０に対して台座１０のみが回転され、回路ユニットケース２０は回転されない。従って、この場合には、回路ユニットケース２０に取り付けられた口金３０は回転されず、照明器具７０のソケット７２に対して口金３０は連結されない。
【００７１】
なお、この場合には、台座１０を正転操作することによって、台座１０と一体となった支持台４０も回路ユニットケース２０に対して正転方向に回転する。従って、支持台４０と一体的に構成された回路基板５６ａが、回路ユニットケース２０に対して回転されることになる。その結果、口金３０と回路基板５６ａとの両方に接続された撚り線３５は捩じれた状態になる。
【００７２】
しかし、撚り線３５は、ケース本体部２１の内部において、３６０°にわたる回路基板５６ａの回転に追従して移動することが可能になるように撓んだ状態になっている。また、台座１０は、回路ユニットケース２０に対して３６０°にわたって回転されるおそれがないために、支持台４０も回路ユニットケース２０に対して３６０°にわたって回転されない。従って、撚り線３５が切断あるいは破損するおそれがない。
【００７３】
その後、台座１０の係合部１２ｃがストッパー２４ａの一方の端部に当接すると、回路ユニットケース２０に対する台座１０の回転が規制された状態になる。しかし、ユーザーは、口金３０をソケット７２に装着するためには、台座１０の正転操作を継続する必要があり、ユーザーは、台座１０の正転操作を継続する。
【００７４】
この場合、台座１０の台座基端部１２に設けられた台座底面１２ｂは、回路ユニットケース２０に取り付けられたストッパーリング２４によって、ワッシャー６１および絶縁リング６２を介して口金３０の先端部に押し付けられており、台座１０の台座底面１２ｂには、ストッパーリング２４およびワッシャー６１によって挟持されている。従って、ユーザーは、ストッパーリング２４およびワッシャー６１と台座底面１２ｂとの間に作用する摩擦力よりも大きな力で台座１０を正転操作する必要がある。
【００７５】
これにより、台座１０に設けられた係合部１２ｃが、当接しているストッパー２４ａを正転方向に押圧するために、以後、台座１０が正転操作されることにより、ストッパー２４ａが係合部１２ｃと一体となって正転方向に回転されることになる。その結果、回路ユニットケース２０も台座１０と一体となって正転し、連結部２２と一体となった口金３０も正転されることによって、口金３０がソケット７２にネジ結合される。
【００７６】
このようにして、電球形ＬＥＤランプ１の口金３０がソケット７２にネジ結合されると、ユーザーは、台座１０と一体となった支持台４０に取り付けられているＬＥＤモジュール５１が、器具本体部７１の下方からグローブ５５における光透過性部分を通して目視できる状態になっているかを確認する。グローブ５５の反射膜５５ａによってＬＥＤモジュール５１の全てを完全に目視することができない場合には、ＬＥＤモジュール５１の光照射方向が、下方に向いていないとものとして、台座１０を正転方向とは反対方向に逆転操作する。
【００７７】
この逆転操作も、ストッパーリング２４およびワッシャー６１と台座１０の台座底面１２ｂとの間の摩擦力よりも若干大きな力が必要になる。
台座１０の逆転操作によって、台座１０と一体になった支持台４０も台座１０の逆転方向と同方向に回転される。そして、グローブ５５を介してＬＥＤモジュール５１が目視されると、ＬＥＤモジュール５１の光の照射方向が器具本体部７１の下方の任意の領域に向くように、台座１０をさらに逆転操作する。
【００７８】
このようにして、ＬＥＤモジュール５１の光の照射領域が、器具本体部７１の下方における任意の領域に向けられると、ユーザーは、台座１０の逆転操作を終了する。
このような状態になると、台座１０は、ストッパーリング２４およびワッシャー６１によって台座１０の台座底面１２ｂに作用する圧接力により、回路ユニットケース２０に対して回転しない状態に維持されることになる。
【００７９】
このように、本実施形態の電球形ＬＥＤランプ１は、回路ユニットケース２０と一体的に連結された口金３０を、既存の一般白熱電球用の照明器具７０のソケット７２に装着する場合には、器具本体部７１内において台座１０を所定方向に回転操作すればよく、その後のＬＥＤモジュール５１光の照射方向を調整する場合には、台座１０を逆方向に回転操作すればよい。
【００８０】
従って、電球形ＬＥＤランプ１が照明器具７０のソケット７２に装着された状態で、器具本体部７１の内部に台座１０を回転操作できる空間があればよく、ＬＥＤモジュール５１の光の照射方向を調整するための空間を器具本体部７１の内部に確保する必要がない。このために、電球形ＬＥＤランプ１が器具本体部７１の内面に近接した状態になるまで大型化することができる。
【００８１】
このように、電球形ＬＥＤランプ１を大型化できることによって、回路ユニットケース２０を大型化することも可能である。この場合には、回路ユニットケース２０内に収容された点灯回路ユニット５６の各電子部品を大型にすることができるために、ＬＥＤモジュール５１に対して給電される電力量も増加させることができ、ＬＥＤモジュール５１を高出力化することが可能である。
【００８２】
さらには、台座１０と一体となった支持台４０の構成を変更して、ＬＥＤモジュール５１の光の照射角度を変更することができるために、照明器具７０の下方における所定の領域に対して光を照射することも可能である。これにより、電球形ＬＥＤランプ１を、照明器具７０の用途に応じて、所定の領域に対して最適な光量が得られるような構成とすることができる。
【００８３】
なお、本実施形態では、高熱伝導率であるアルミニウムによって構成された支持台４０と、同じくアルミニウムによって構成された台座１０とが相互に圧接された状態になっているために、支持台４０と台座１０とは相互に熱伝導状態になっている。従って、ＬＥＤモジュール５１にて発せられた熱は、支持台４０を介して台座１０に伝達されて、台座１０によって放熱される。このように、台座１０はヒートシンクとして機能している。
【００８４】
従って、電球形ＬＥＤランプ１を大型化できることによって、台座１０を大型化することが可能であり、これにより、台座１０によるＬＥＤモジュール５１の放熱効率を向上させることができる。また、台座１０の外周面に、アルマイト層、所定の合成樹脂層が形成されていることにより、放熱性を、一層、向上させることができる。
【００８５】
なお、台座１０および支持台４０は、アルミニウムに限るものではなく、他の金属等の熱伝導率の高い材料によって構成してもよい。この場合にも、外周面に所定の合成樹脂層を塗装等によって設けることにより、放熱性を向上させることができる。
【００８６】
また、本実施形態において、各ＬＥＤチップ５１ｂの光軸が、台座１０の軸心に対して例えば２５°の傾斜角になるように、ＬＥＤモジュール５１が取り付けられる支持台部４２の端面４２ａは、台座１０の軸心に垂直な線に対して２５°の傾斜角を有していたが、このような構成に限るものではない。
【００８７】
しかし、各ＬＥＤチップ５１ｂの光軸が、台座１０の軸心に対して大きな傾斜角度になるように、支持台部４２の端面４２ａが、台座１０の軸心に垂直な線に対して大きな傾斜面になると、台座１０の先端部からの支持台部４２の突出量が大きくなり、既存のダウンライト型の照明器具に装着することができなくなる。
【００８８】
また、各ＬＥＤチップ５１ｂの光軸が、台座１０の軸心に対して小さな傾斜角度になるように、支持台部４２の端面４２ａが、台座１０の軸心に垂直な線に対して小さな傾斜面になると、各ＬＥＤチップ５１ｂから照射される光を、既存のダウンライト型の照明器具における下方の領域に十分な光量で照射することができないおそれがある。
【００８９】
このために、各ＬＥＤチップ５１ｂの光軸が、台座１０の軸心に対して２５〜８０°程度の傾斜角度になるように、支持台部４２の端面４２ａを、台座１０の軸心に垂直な線に対して傾斜させることが好ましい。
【００９０】
なお、本実施形態では、台座１０の台座底面１２ｂに、ストッパーリング２４およびワッシャー６１がそれぞれ圧接されていることにより、回路ユニットケース２０に対する台座１０の回転位置を、任意の位置において固定状態とすることが可能になっているが、回路ユニットケース２０に対する台座１０の回転位置を所定の位置において位置決めする位置決め機構を設ける構成としてもよい。
【００９１】
例えば、ストッパーリング２４における台座底面１２ｂと対向する表面に、周方向における所定の位置に１または複数の凹部を形成し、台座底面１２ｂに、それぞれの凹部に対して嵌合する１つの突起部を設ける構成としてもよい。このような構成では、回路ユニットケース２０に対して台座１０が回転されると、台座底面１２ｂに設けられた突起部が、ストッパーリング２４の表面を摺動して、所定の位置に設けられた凹部内に嵌合することによって、ストッパーリング２４に対して台座底面１２ｂが位置決めされる。
【００９２】
このような位置決め機構を設けることによって、回路ユニットケース２０に対して台座１０を予め設定された所定の回転位置に位置決めすることができる。従って、台座１０と一体となって回転するＬＥＤモジュール５１の照射領域を、予め設定された所定位置に容易に設定することができる。
【００９３】
なお、台座１０の位置決め機構はこのような構成に限らず、台座底面１２ｂに凹部を設けて、ストッパーリング２４に突起部を設ける構成としてもよい。また、他の構成の位置決め機構を設けるようにしてもよい。
【００９４】
＜第１実施形態の第１変形例＞
図７（ａ）は、第１実施形態の第１変形例における電球形ＬＥＤランプ１の側面図、（ｂ）は、その電球形ＬＥＤランプ１の底面図、（ｃ）は、その電球形ＬＥＤランプ１の正面図、図８は、その電球形ＬＥＤランプ１の分解斜視図である。
【００９５】
この電球形ＬＥＤランプ１は、円筒形状の台座１０と、台座１０内に嵌合された円筒形状の回路ユニットケース２０と、回路ユニットケース２０に連結された円筒形状の口金３０とを有している。
【００９６】
図８に示すように、回路ユニットケース２０は、前述した電球形ＬＥＤランプ１の回路ユニットケース２０と同様に、絶縁性の合成樹脂によって一体成型されたケース本体部２１および連結部２２を有しているが、ケース本体部２１は、断面が一定の直径の円形状になっており、その内部に点灯回路ユニット５６が収容されている。ケース本体部２１は、一方の端面がケース開口部２１ｃになっており、他方の端面がケース底面２１ａになっている。そして、前述した電球形ＬＥＤランプ１と同様に、ケース底面２１ａの中央部に連結部２２が設けられている。
【００９７】
この変形例における連結部２２の構成および口金３０の構成は、前述した電球形ＬＥＤランプ１における連結部２２および口金３０の構成と同様になっており、また、ケース底面２１ａには、ストッパーリング２４が取り付けられている。この変形例では、ストッパーリング２４に、周方向の１か所において、直径径方向に沿って外側に突出したストッパー２４ａが設けられている。
【００９８】
なお、この変形例においては、ケース本体部２１におけるケース開口部２１ｃが、ケース本体部２１と一体的に取り付けられるキャップ部材２６によって閉鎖されている。キャップ部材２６は、一方の端面２６ａが閉鎖状態であって、軸方向の長さがケース本体部２１よりも短い円筒形状になっており、閉鎖状態になった端面２６ａとは反対側の端面が開放されている。
【００９９】
キャップ部材２６の周面部には、開放された端面から、ケース開口部２１ｃを通ってケース本体部２１内に挿入される一対の係合片２６ｂが設けられている。各係合片２６ｂは、キャップ部材２６の周面部における軸心対称の２位置のそれぞれから、ケース本体部２１側に向って延びており、それぞれの先端部には、外側に向って屈曲した係合部がそれぞれ設けられている。
【０１００】
ケース本体部２１におけるケース開口部２１ｃ側の端部には、各係合片２６ｂの係合部が係合する係合穴２１ｄがそれぞれ設けられている。キャップ部材２６は、各係合片２６ｂが、ケース開口部２１ｃを通ってケース本体部２１内に挿入されて、それぞれの先端部の係合部が係合穴２１ｄに係合することにより、ケース本体部２１に固定的に取り付けられる。これにより、キャップ部材２６の端面２６ａがケース開口部２１ｃを閉鎖状態とする。
【０１０１】
ケース本体部２１内に収容される点灯回路ユニット５６は、整流・平滑回路、ＤＣ／ＤＣコンバータ等の電子部品が実装された回路基板５６ａを有しており、この回路基板５６ａが、ケース本体部２１の内部において、ケース本体部２１の軸心とは適当な間隔をあけて、軸心に平行な状態で取り付けられている。回路基板５６ａには、口金３０にそれぞれの一端が接続された第１給電線３５ａおよび第２給電線３５ｂの他端が接続されており、第１給電線３５ａおよび第２給電線３５ｂを介して、回路基板５６ａ上の電子部品に電流が供給される。
【０１０２】
なお、回路基板５６ａ上の電子部品には、後述するように、台座１０に取り付けられたＬＥＤモジュール５１に電力を供給する第１電力線５６ｃおよび第２電力線５６ｄの一端が接続されている。第１電力線５６ｃおよび第２電力線５６ｄは、キャップ部材２６に設けられた電力線貫通穴２６ｄを通って、ケース本体部２１の外部に引き出されている。
【０１０３】
キャップ部材２６の端面２６ａには、ケース本体部２１とは反対側の外側において、ロータリー接点５７の固定側端子基板５７ａが取り付けられている。固定側端子基板５７ａは、キャップ部材２６の端面２６ａと同様の円板形状になっており、キャップ部材２６の端面２６ａの軸心部を貫通するネジ２７によって、当該端面２６ａに同軸状態で取り付けられている。
【０１０４】
なお、ロータリー接点５７は、固定側端子基板５７ａに対して同心状態で回転可能になった回転側端子基板５７ｂを有しており、この回転側端子基板５７ｂが、後述するように、台座１０における一方の端面を閉鎖状態とする蓋体１４に取り付けられている。
【０１０５】
回路ユニットケース２０のケース本体部２１を収容する台座１０は、この変形例では、断面が一定の直径になった円筒形状の台座本体部１３と、台座本体部１３における蓋体１４が取り付けられる一方の端面とは反対側の端面に取り付けられた台座底面部１５とを有している。
【０１０６】
台座本体部１３の端面に取り付けられた台座底面部１５は、中央部に回路ユニットケース２０の連結部２２が貫通する貫通穴１５ａを有している。貫通穴１５ａは、台座本体部１３の軸心を中心として、連結部２２の外径よりも若干大きな直径の円形状に形成されている。また、台座底面部１５には、台座本体部１３の軸心に垂直状態で貫通穴１５ａを取り囲む平坦面１５ｂを有しており、平坦面１５ｂの周方向の１か所には、内側（台座底面部１５の軸心側）に向って突出した係合部１５ｃが形成されている。台座底面部１５は、台座本体部１３の周面部に、一対のネジ１７によって取り付けられている。
【０１０７】
回路ユニットケース２０は、ケース本体部２１が台座本体部１３内に収容されて、連結部２２が、台座底面部１５の貫通穴１５ａを通って台座１０の外部に突出した状態になっており、前述した電球形ＬＥＤランプ１と同様に、連結部２２に、ワッシャー６１および絶縁リング６２が嵌合された状態で、口金３０が連結されている。
【０１０８】
この場合、台座底面部１５の貫通穴１５ａ内に、ケース底面２１ａに取り付けられたストッパーリング２４が位置した状態で、平坦面１５ｂが、ケース底面２１ａとワッシャー６１とによって挟持されている。このような状態では、口金３０からの押圧力が、絶縁リング６２およびワッシャー６１を介して台座底面部１５の平坦面１５ｂに加わり、平坦面１５ｂがワッシャー６１によってケース底面２１ａに圧接されている。
【０１０９】
この圧接力により、台座底面部１５は連結部２２に対して固定された状態になり、従って、台座１０が回路ユニットケース２０に対して固定された状態になっている。また、このような状態で、台座１０が回転操作されて、台座底面部１５の平坦面１５ｂに、ケース底面２１ａおよびワッシャー６１のそれぞれとの間の摩擦力よりも大きな回転操作力が加わると、平坦面１５ｂは、ケース底面２１ａに設けられたストッパーリング２４の周囲を、ケース底面２１ａに圧接された状態で周回移動することになる。
【０１１０】
これにより、台座１０の全体が、回路ユニットケース２０に対して回転されることになる。そして、台座１０の全体が、回路ユニットケース２０に対して所定量だけ所定方向に回転されることによって、台座底面部１５の平坦面１５ｂは、ストッパーリング２４の周囲を周回移動して、台座底面部１５に設けられた係合部１５ｃがストッパー２４ａと当接する。係合部１５ｃがストッパー２４ａと当接すると、台座１０の所定方向への回転がそれぞれ規制されることになる。このように、ストッパー２４ａを有するストッパーリング２４と、台座底面部１５に設けられた係合部１５ｃとによって、台座１０の回転を規制する規制部材が構成されている。
【０１１１】
円筒形状の台座本体部１３の周面には、外周側に開口するように凹状に窪んだ、ＬＥＤモジュール５１の取り付け用の溝部１３ａが軸方向に沿って設けられている。この溝部１３ａは、内周側に位置する平坦な溝部底面１３ｂを有しており、この溝部底面１３ｂが、台座本体部１３内に取り付けられた回路基板５６ａに平行な平坦面になっている。溝部底面１３ｂは、軸方向に沿って一定の幅方向寸法になっている。
【０１１２】
溝部底面１３ｂに取り付けられるＬＥＤモジュール５１は、溝部底面１３ｂに突き当てられる長方形の帯板状の実装基板上に複数のＬＥＤチップが実装されて、全てのＬＥＤチップが蛍光体含有樹脂によって封止されている。ＬＥＤチップは、実装基板の長手方向に沿って１列または複数列に配置されている。
【０１１３】
ＬＥＤモジュール５１は、ＬＥＤチップが実装された実装基板の表面とは反対側の裏面が溝部１３ａの溝部底面１３ｂに突き当てられた状態で、実装基板の長手方向の両側の端部が、それぞれビス５１ｆによって溝部底面１３ｂに取り付けられている。溝部１３ａの開口部には、ＬＥＤモジュール５１を覆うようにガラスカバー１６が取り付けられている。
【０１１４】
台座１０における一方の端面を閉鎖状態とする蓋体１４は、一方の端面１４ａが閉鎖状態であって、軸方向の長さが台座本体部１３よりも短い円筒形状になっており、閉鎖状態になった端面１４ａとは反対側の端面が開放されている。蓋体１４の開放された端面１４ａは、台座本体部１３の一方の端面に突き当てられた状態で、台座本体部１３の周面に一対のネジ１８によって取り付けられている。
【０１１５】
蓋体１４の内部には、ロータリー接点５７の回転側端子基板５７ｂが設けられている。回転側端子基板５７ｂは、ロータリー接点５７の固定側端子基板５７ａと同様の円板形状になっており、キャップ部材２６の端面２６ａに対向する端面１４ａに、ネジ１９によって同心状態で取り付けられている。これにより、回転側端子基板５７ｂは、台座本体部１３内に収容されている回路ユニットケース２０のキャップ部材２６に取り付けられたロータリー接点５７の固定側端子基板５７ａに対して摺動可能に対向している。
【０１１６】
台座１０の外周面は、ＬＥＤモジュール５１の取り付け用の溝部１３ａが形成された部分を除いて、前述した電球形ＬＥＤランプ１の台座１０と同様に、アルマイト処理によって、例えば、１０μｍの厚さのアルマイト層（陽極酸化皮膜、白アルマイト皮膜）が形成されており、これにより、台座１０の放熱性が向上している。
【０１１７】
なお、本例においても、台座１０の外周面にアルマイト層を形成する構成に代えて、台座１０の外周面に所定の合成樹脂を塗装することによって放熱性を向上させることもできる。
【０１１８】
図９（ａ）は、ロータリー接点５７の固定側端子基板５７ａにおける回転側端子基板５７ｂに対向する表面（摺動側表面）の平面図、（ｂ）は、回転側端子基板５７ｂにおける固定側端子基板５７ａに対向する表面（摺動側表面）の平面図、（ｃ）は、回転側端子基板５７ｂの側面図である。
【０１１９】
図９（ａ）に示すように、固定側端子基板５７ａの摺動側表面には、それぞれがリング状に形成されて相互に同心状態になった一対の内周側端子部５７ｃおよび外周側端子部５７ｄが設けられている。内周側端子部５７ｃおよび外周側端子部５７ｄには、回路基板５６ａに一端が接続された第１給電線３５ａおよび第２給電線３５ｂの他端がそれぞれ接続されている。
【０１２０】
図９（ｂ）に示すように、回転側端子基板５７ｂの摺動側表面には、内周側端子部５７ｃに摺動する４つの内周側接点５７ｅが周方向に等しい間隔をあけて設けられており、また、外周側端子部５７ｄに摺動する４つの外周側接点５７ｆが、各内周側接点５７ｅのそれぞれの外周側に設けられている。従って、回路ユニットケース２０に対して台座１０が回転しても、回転側端子基板５７ｂの内周側接点５７ｅおよび外周側接点５７ｆは、常に、固定側端子基板５７ａの内周側端子部５７ｃおよび外周側端子部５７ｄにそれぞれ接触した状態を維持する。
【０１２１】
４つの内周側接点５７ｅのそれぞれは、１本の第１リード線５８ａ（図８参照）に接続されており、４つの外周側接点５７ｆのそれぞれは、１本の第２リード線５８ｂ（図８参照）に接続されている。第１リード線５８ａおよび第２リード線５８ｂは、ＬＥＤモジュール５１の実装基板に設けられた配線パターンにそれぞれ接続されている。各配線パターンには、ＬＥＤモジュール５１の各ＬＥＤチップに接続されている。
【０１２２】
このような構成の電球形ＬＥＤランプも、台座１０が回路ユニットケース２０に対して３６０°未満の範囲にわたって回転可能な状態になっており、口金３０を、図１に示す一般白熱電球用の照明器具７０におけるソケット７２に装着する際には、前述の電球形ＬＥＤランプ１と同様に、器具本体部７１内における下側の開口部に近接した比較的広い空間内で台座１０を正転操作して、台座１０の台座底面部１５に設けられた係合部１５ｃをストッパー２４ａに当接するまで台座１０が回路ユニットケース２０に対して回転操作される。
【０１２３】
この場合、回路ユニットケース２０内に収容された点灯回路ユニット５６と、台座１０に取り付けられたＬＥＤモジュール５１とは、ロータリー接点５７によって電気的に接続された状態になっているために、点灯回路ユニット５６およびＬＥＤモジュール５１のそれぞれとロータリー接点５７とを接続する電気配線が切断あるいは破損するおそれがなく、台座１０は回路ユニットケース２０に対して円滑に回転操作される。
【０１２４】
台座１０の台座底面部１５に設けられた係合部１５ｃとストッパー２４ａとが当接した状態になると、その後は、台座１０と一体となって回路ユニットケース２０が回転される。これにより、回路ユニットケース２０に一体的に装着された口金３０が、台座１０と一体となって回転されるために、口金３０をソケット７２に対して装着することが可能になる。
【０１２５】
口金３０がソケット７２に対して装着されると、回路ユニットケース２０に対して台座１０を回転させることにより、台座１０の外周面に取り付けられたＬＥＤモジュール５１の光照射領域を照明器具７０の下方の所定の位置とすることができる。なお、この場合も、点灯回路ユニット５６およびＬＥＤモジュール５１のそれぞれとロータリー接点５７とを接続する電気配線が切断あるいは破損するおそれがなく、台座１０は回路ユニットケース２０に対して円滑に回転操作することができる。
【０１２６】
従って、この変形例の電球形ＬＥＤランプ１も、ユーザーは、器具本体部７１内における下側の開口部に近接した比較的広い空間内で台座１０を正転操作することができるために、台座１０の正転操作を容易に行うことができる。
【０１２７】
また、台座１０の軸心に平行になった外周面にＬＥＤモジュール５１が取り付けられているために、ＬＥＤモジュール５１は、台座１０の軸心に平行な外周面の軸心方向の全長にわたって設けることができる。これにより、ＬＥＤモジュール５１を大型化することができ、ＬＥＤモジュール５１による光の照射光量を増大させることができる。
【０１２８】
さらに、台座１０の内部にＬＥＤモジュール５１を設けるための空間を確保する必要がないために、台座１０の内部に収容される回路ユニットケース２０を大型化することができる。その結果、回路ユニットケース２０内に収容された点灯回路ユニット５６の各電子部品を大型化することができるために、ＬＥＤモジュール５１に対して給電される電力量を増加させることができ、ＬＥＤモジュール５１を高出力化することができる。
【０１２９】
さらにまた、台座１０の外周面にＬＥＤモジュール５１が設けられていることによって、台座１０は、照明器具７０の器具本体部７１内における空間に収容可能な大きさにまで大型化することができる。高熱伝導率のアルミニウムによって形成された台座１０は、ＬＥＤモジュール５１のヒートシンクとして機能しており、台座１０が大型化することにより、台座１０によるＬＥＤモジュール５１の放熱効率を向上させることができる。また、台座１０の外周面に、アルマイト層、所定の合成樹脂層が形成されていることにより、放熱性が、一層、向上している。
【０１３０】
なお、この変形例においては、台座１０の外周面に取り付けられたＬＥＤモジュール５１における各ＬＥＤチップ５１ｂの光軸が、台座１０の外周面に接する平面に対して垂直になっていたが、このような構成に限らず、各ＬＥＤチップ５１ｂの光軸が、台座１０の外周面に接する平面に対して所定の角度で傾斜した状態になっていてもよい。
【０１３１】
また、この変形例においても、前記実施形態1において説明した回路ユニットケース２０に対する台座１０の位置決め機構を設ける構成としてもよい。
＜第２実施形態＞
図１０は、第２実施形態に係る電球形ＬＥＤランプ１００が装着された一般白熱電球用の照明器具の断面図である。図１０に示す照明器具７０も、図１に示す照明器具７０と同様に、天井に取り付けられた半球形状（碗状）の器具本体部７１と、器具本体部７１に取り付けられたソケット７２とを有している。ソケット７２は、一般白熱電球用の口金が挿入される挿入口が、器具本体部７１の周面に形成された開口部７１ａに対向した状態で、かつ、挿入口側が下側に位置するように水平線に対して若干傾斜した状態で、器具本体部７１の外部に支持されている。
【０１３２】
図１１は、本実施形態の電球形ＬＥＤランプ１００の概略構成を示す断面図である。
本実施形態の電球形ＬＥＤランプ１００は、円錐台形状と球形状とを合体させて電球形状に構成された筐体１１０と、筐体１１０の内部に一体的に取り付けられたモジュール支持台１４１と、モジュール支持台１４１に取り付けられたＬＥＤモジュール１４２と、筐体１１０の端部に所定の範囲にわたって回転可能に設けられた口金１３０と、筐体１１０および口金１３０の内部間にわたって設けられた回路ケース１２０と、回路ケース１２０内に設けられた点灯回路ユニット１５０とを有している。
【０１３３】
筐体１１０は、中空の円錐台形状の筐体本体部１１１と、筐体本体部１１１における大径側の端部に連結された中空の球形状の筐体収容部１１２とを有している。筐体本体部１１１および筐体収容部１１２は、内部同士が連通した状態で、同軸状態に配置されている。筐体１１０は、例えば、筐体本体部１１１と筐体収容部１１２とを、放熱性に優れたアルミニウムのダイキャストによって、１．５ｍｍ〜３ｍｍ程度の一定の厚さそれぞれ成形した後に、筐体本体部１１１と筐体収容部１１２とを、例えば、溶接、接着剤、ねじ締結等によって一体的に接合させることにより形成されている。
【０１３４】
筐体収容部１１２には、球面の一部を円形状に取り除くことによって形成された開口部１１２ａが形成されている。開口部１１２ａの中心位置は、筐体収容部１１２の軸心に対して６０°程度の傾斜角度を形成する仮想軸上に配置されている。開口部１１２ａは、筐体収容部１１２における取り除かれた球面の一部と同様の形状のグローブ１１６にて覆われている。グローブ１１６は、開口部１１２ａの外周縁部に取り付けられている。
【０１３５】
筐体収容部１１２内には、ＬＥＤモジュール１４２が搭載されたモジュール支持台１４１が配置されている。モジュール支持台１４１は、筐体収容部１１２に設けられた開口部１１２ａとは同軸状態で対向した円板形状であって、筐体収容部１１２の軸心に対して所定の傾斜角度（３０°程度）で傾斜した状態になっている。モジュール支持台１４１は、筐体本体部１１１における大径側の端部内において、軸心に対して垂直方向に沿うように屈曲された屈曲部１４１ａを有している。モジュール支持台１４１は、筐体１１０の内周面に、溶接、接着剤、ねじ締結等によって一体的に接合されている。モジュール支持台１４１におけるグローブ１１６に対向した端面（表面）にＬＥＤモジュール１４２が搭載されている。
【０１３６】
筐体本体部１１１における小径側に位置する端部には、中央部に貫通孔１１１ｂが設けられた端面１１１ａが設けられており、この端面１１１ａにおける周方向の１か所に、軸方向の外側に突出する１本のガイドピン１１４が設けられている。ガイドピン１１４は、後述するように、端面１１１ａと口金１３０との間に設けられた絶縁リング１４３のガイド溝１４３ａ内にスライド可能に嵌合しており、ガイド溝１４３ａとともに、筐体１１０が１回転にわたって回転しないように規制する規制部材を構成している。
【０１３７】
回路ケース１２０は、筐体１１０の内部に配置されたケース本体部１２１と、口金１３０の内部に配置されるようにケース本体部１２１の端部に取り付けられた円筒形状のケース連結部１２２とを有している。ケース本体部１２１は、筐体本体部１１１に対応した円錐台形状の基端部１２１Ａと、筐体収容部１１２内におけるモジュール支持台１４１のグローブ１１６とは反対側の端面（裏面）に進入するように基端部１２１Ａから突出した先端部１２１Ｂとを有している。
【０１３８】
ケース本体部１２１の基端部１２１Ａは、筐体本体部１１１内に嵌合されており、筐体本体部１１１とは、例えば、溶接、接着剤等によって一体的に接合された状態、もしくは、筐体本体部１１１に対して追従して回転できるような機構によって連結された状態になっている。ケース本体部１２１における先端部１２１Ｂは、モジュール支持台１４１に平行になるように、ケース本体部１２１の軸心に対して傾斜した傾斜面１２１ａと、傾斜面１２１ａに連続してモジュール支持台１４１の屈曲部１１１ａに平行に設けられた平坦面１２１ｂとを有している。
【０１３９】
ケース本体部１２１における小径側（口金１３０側）の端部は開放されており、この端部内に円筒状のケース連結部１２２における一方の端部が配置されている。ケース本体部１２１内に位置するケース連結部１２２の一方の端部には、外周側に広がったフランジ部１２２ａが設けられている。このフランジ部１２２ａは、筐体本体部１１１の端面１１１ａに対して摺接するようになっており、その外周縁部がケース本体部１２１の端部内周面に突き当てられている。
【０１４０】
ケース本体部１２１から突出したケース連結部１２２における先端側の外周面には、ネジ部１２２ｂが設けられており、このネジ部１２２ｂに口金１３０が連結されている。
口金１３０は、照明器具１７０のソケット１７２に装着されるように、例えば、ＪＩＳ（日本工業規格）に規定するＥ１７口金の規格に適合している。なお、口金１３０は、このように、Ｅ１７口金の規格に適合する構成に限らず、他の照明器具のソケットに装着されるように、ＪＩＳにて規定される他の規格（Ｅ２６口金等）に適合する構成であってもよい。
【０１４１】
口金１３０は、円筒形状に構成されたシェル１３１を有している。シェル１３１の周面には、照明器具１７０におけるソケット１７２内にシェル１３１を装着するためのネジ部１３１ａが設けられており、シェル１３１の内周面および外周面のそれぞれには、山部と谷部が相互に逆転したネジ溝がそれぞれ形成されている。シェル１３１の内周面におけるネジ溝には、ケース連結部１２２の外周面に設けられたネジ部１２２ｂがネジ結合されている。従って、口金１３０のシェル１３１は、ケース連結部１２２に一体的に連結されている。
【０１４２】
シェル１３１におけるソケット１７２内への挿入側の端部内には絶縁接続体１３２が設けられており、絶縁接続体１３２における中央部の外側には、アイレット１３３が取り付けられている。
【０１４３】
シェル１３１における絶縁接続体１３２が設けられた端部とは反対側の端部には、絶縁リング１４３が設けられている。絶縁リング１４３は、口金１３０のシェル１３１によって、筐体本体部１１１の小径側の端部に圧接されている。
【０１４４】
絶縁リング１４３は、シェル１３１とは同軸状態に配置されており、内周面における軸対称の２位置には、軸方向に沿った係止溝１４３ｂがそれぞれ設けられている。絶縁リング１４３の内部を通過するケース連結部１２２の外周面には、各係止溝１４３ｂに対向する２か所に、各係止溝１４３ｂ内にそれぞれ嵌合する突起部１２２ｃが設けられている。各突起部１２２ｃは、ケース連結部１２２がシェル１３１にネジ結合されることによって各係止溝１４３ｂ内に嵌合する。これにより、絶縁リング１４３は、ケース連結部１２２に対して回り止めされた状態になる。
【０１４５】
図１２は、絶縁リング１４３における筐体１１０側の端面の平面図である。絶縁リング１４３における筐体１１０側の端面には、ガイド溝１４３ａが設けられている。ガイド溝１４３ａは、筐体１１０側に開口した状態で、周方向の１か所に設けられた係合部１４３ｃを除いて周方向に連続している。従って、ガイド溝１４３ａは、３５５°程度にわたって周方向に連続している。ガイド溝１４３ａ内には、筐体１１０の端面１１１ａに設けられた１本のガイドピン１１４がスライド可能に嵌合している。
【０１４６】
絶縁リング１４３は、ケース連結部１２２に口金１３０がネジ結合されることによって、筐体１１０の端面１１１ａに圧接された状態になる。絶縁リング１４３が筐体１１０の端面１１１ａに圧接されると、端面１１１ａに設けられたガイドピン１１４がガイド溝１４３ａ内にスライド可能に嵌合される。ガイドピン１１４は、ガイド溝１４３ａ内をスライド可能になっているために、周方向に３５５°程度にわたってスライドする。従って、ガイドピン１１４は、絶縁リング１４３に対して１回転にわたって周回移動しないように規制されている。
【０１４７】
また、絶縁リング１４３が筐体１１０の端面１１１ａに圧接された状態では、ケース連結部１２２の外周面に設けられた各突起部１２２ｃは、絶縁リング１４３に設けられたそれぞれの係止溝１４３ｂ内に嵌合されている。これにより、絶縁リング１４３は、ケース連結部１２２に対して回り止めされた状態になる。
【０１４８】
従って、絶縁リング１４３が筐体１１０の端面１１１ａに圧接された状態では、筐体１１０は、回転力が付与されなければ、絶縁リング１４３に対して回転しないが、筐体１１０に回転力が付与されると、筐体１１０は絶縁リング１４３に対して摺接しつつ回転する。この場合、ガイドピン１１４は、ガイド溝１４３ａ内を３６０°にわたって回転しないことから、筐体１１０は、絶縁リング１４３と一体になった口金に対して３６０°にわたって回転しないように規制される。
【０１４９】
筐体１１０の内部には、口金１３０から供給される電力を、ＬＥＤモジュール１４２の各ＬＥＤチップ１４２ａ（図１３参照）に対応した電力に変換する点灯回路ユニット１５０が収容されている。点灯回路ユニット１５０は、支持台１４１に対して垂直であって筐体１１０の軸心を含む平面に沿って配置された平板状の回路基板１５１と、回路基板１５１に設けられた配線パターン上に各種電子部品が実装されることによって構成された点灯回路１５５とを備えている。
【０１５０】
回路基板１５１の外周縁は、回路ケース１２０内に収容された状態で、回路ケース１２０におけるケース本体部１２１およびケース連結部１２２の内周面と、ケース本体部１２１の傾斜面１２１ａおよび平坦面１２１ｂとに沿うような形状に構成されている。ケース本体部１２１の内周面には、回路基板１５１の外周縁部が嵌合される溝部（図示せず）が設けられており、この溝部内に回路基板１５１の外周縁部が嵌合されている。これにより、回路基板１５１は、ケース本体部１２１内に、軸心方向に沿った状態で支持されている。なお、回路基板１５１は、ケース連結部１２２に対しては回転可能になっている。
【０１５１】
従って、回路基板１５１は、ケース本体部１２１内において、筐体収容部１１２の内部から筐体本体部１１１の内部にわたって収容されており、ケース連結部１２２内に位置する部分は、絶縁リング１４３および口金１３０における筐体本体部１１１側の端部内に収容されている。また、筐体収容部１１２の内部においては、回路基板１５１は、モジュール支持台１４１におけるＬＥＤモジュール１４２の搭載面とは反対側の裏面に対向する空間内に進入した状態になっている。
【０１５２】
モジュール支持台１４１上に搭載されたＬＥＤモジュール１４２は、例えば正方形のプリント基板に、発光素子であるＬＥＤチップ１４２ａが複数個実装されている。これらのＬＥＤチップ１４２ａは、プリント基板に設けられた配線パターンによって直列に接続されている。配線パターンには、回路基板１５１上の点灯回路１５５によって変換された直流電圧が、一対のリード線１５４によって印加されるようになっている。
【０１５３】
各リード線１５４は、図１１に示すように、モジュール支持台１４１に設けられた各貫通孔１４１ｂと、ケース本体部１２１の傾斜面１２１ａおよび平坦面１２１ｂのそれぞれに設けられた貫通孔１２１ｄおよび１２１ｅを通って、回路基板１５１上の点灯回路１５５とＬＥＤモジュール１４２の配線パターンとを接続している。
【０１５４】
口金１３０の内部に収容されたケース連結部１２２内の回路基板１５１における先端側部分には、一対のリード線１５８が設けられている。各リード線１５８は、回路基板１５１上に設けられた配線パターンにおけるそれぞれの所定部分に接続されて、相互に撚り合された状態になっている。一方のリード線１５８は、ケース連結部１２２が口金１３０にネジ結合された状態で、口金１３０の先端部に設けられたアイレット１３３に、半田によって電気的に接続されている。
【０１５５】
他方のリード線１５８は、ケース連結部１２２の外部に引き出されており、口金１３０のシェル１３１に、半田付けによって電気的に接続されている。一対のリード線１５８は、ケース連結部１２２が口金１３０のシェル１３１にネジ結合された状態で、回路基板１５１が、口金部１３０と一体となったケース連結部１２２に対して３６０°にわたって回転されても、切断されないように、相互に撚り合されている。
【０１５６】
図１３は、回路基板１５１上に設けられた点灯回路の回路図である。本実施形態の電球形ＬＥＤランプ１００は、照明器具７０のソケット７２に装着されることによって、ソケット７２に供給される交流電力が、ソケット７２に設けられた調光器７４によって調整された状態で、口金１３０に設けられたアイレット１３３およびシェル１３１を介して供給される。
【０１５７】
アイレット１３３は、リード線１５８を介して、回路基板１５１の配線パターンに電気的に接続されており、シェル１３１は、リード線１５８を介して、回路基板１５１における配線パターンに電気的に接続されている。
【０１５８】
点灯回路１５５には、供給される交流電流を整流する整流回路１５５ａが設けられている。点灯回路１５５は、整流回路１５５ａによって整流された電流を、カレントミラー回路１５５ｂによって増幅した後に、フィルター回路１５５ｃによって所定の周波数にフィルタリングする。さらに、点灯回路１５５は、フィルター回路１５５ｃによってフィルタリングされた電流を、力率改善回路１５５ｄによって安定電圧として、制御回路１５５ｅによって、所定の電圧に制御する。
【０１５９】
制御回路１５５ｅは、ＰＴＣサーミスタ１５５ｆによって検出される周囲温度に基づいて、電圧を制御して、バックブーストコンバータ１５５ｇに出力する。バックブーストコンバータ１５５ｇは、制御回路１５５ｅから出力される電圧を所定電圧に調整する。
【０１６０】
バックブーストコンバータ１５５ｇには、回路基板１５１に設けられた配線パターンを介して、一対のリード線１５４に接続されている。各リード線１５４は、前述したように、ＬＥＤモジュール１４２に電気的に接続されており、各リード線１５４を流れる電流によって、ＬＥＤモジュール１４２に設けられた各ＬＥＤチップ１４２ａが点灯状態になる。
【０１６１】
点灯回路を構成する整流回路１５５ａ、カレントミラー回路１５５ｂ、フィルター回路１５５ｃ、力率改善回路１５５ｄ、制御回路１５５ｅ、ＰＴＣサーミスタ１５５ｆ、バックブーストコンバータ１５５ｇのそれぞれを構成する抵抗、電解コンデンサ等の電子部品、その他の電子部品は、回路基板１５１の表面および裏面に振り分けられた状態で実装されている。
【０１６２】
例えば、口金１３０の内部に位置するケース連結部１２２内の回路基板１５１部分には、整流回路１５５ａが実装されており、筐体本体部１１１の内部に位置するケース本体部１２１内の回路基板１５１部分には、制御回路１５５ｅが実装されている。さらには、筐体収容部１１２の内部であって、モジュール支持台１４１の裏面側であるケース本体部１２１内の回路基板１５１部分には、比較的大きな電子部品である電解コンデンサを有する力率改善回路１５５ｄが一方の面に実装されており、また、比較的大きな電子部品であるコイルを有するバックブーストコンバータ１５５ｇが他方の面に実装されている。
【０１６３】
このような構成の電球形ＬＥＤランプ１００は、次のようにして組み立てられる。まず、電子部品が予め実装されることによって点灯回路１５５が形成された回路基板１５１を準備する。この場合、回路基板１５１の一方の端部に設けられた各リード線１５４のそれぞれの一方の端部、および、回路基板１５１の他方の端部に設けられた各リード線１５８のそれぞれの一方の端部は、点灯回路１５５の配線パターンにそれぞれ接続された状態になっているが、それぞれの他方の端部は、ＬＥＤモジュール１４２の配線パターン、口金１３０には、それぞれ接続されていない。
【０１６４】
このような状態の回路基板１５１を、回路ケース１２０のケース本体部１２１内に取り付ける。この場合には、ケース本体部１２１とケース連結部１２２とは相互に分離されており、ケース本体部１２１における開放された端部から、ケース本体部１２１の内周面に設けられた溝部内に、回路基板１５１の側縁部を係合させてスライドさせることによって、ケース本体部１２１内に回路基板１５１を取り付けることができる。そして、各リード線１５４を、ケース本体部１２１に設けられた貫通孔１２１ｄおよび１２１ｅを通してケース本体部１２１から引き出した状態とする。
【０１６５】
ケース本体部１２１内に回路基板１５１が取り付けられると、筐体１１０を準備する。この場合、筐体本体部１１１と筐体収容部１１２とは相互に分離した状態になっており、また、筐体収容部１１２の開口部１１２ａがグローブ１１６にて覆われていない状態になっている。このような状態で、筐体収容部１１２の内部にケース本体部１２１を挿入した後に、筐体収容部１１２の内部にモジュール支持台１４１を取り付ける。
【０１６６】
この場合には、ケース本体部１２１から引き出された各リード線１５４を、モジュール支持台１４１に設けられた各貫通孔１４１ｂ内を通過させて、モジュール支持台１４１上にＬＥＤモジュール１４２を取り付ける。その後、各リード線１５４の端部を、ＬＥＤモジュール１４２の配線パターンにおける所定部分にそれぞれ電気的に接続する。このような状態になると、グローブ１４３をモジュール支持台１４１に取り付ける。なお、グローブ１４３は、最終工程においてモジュール支持台１４１に取り付けるようにしてもよい。
【０１６７】
次いで、ケース本体部１２１から突出した回路基板１５１部分に、ケース連結部１２２を嵌合させて、ケース本体部１２１における開放された端部内に、ケース連結部１２２のフランジ部１２２ａを挿入し、フランジ部１２２ａと筐体１１０の端面１１１ａとを当接させる。これにより、ケース連結部１２２は、筐体１１０に対して、回転可能な状態に支持される。また、回路基板１５１に設けられた各リード線１５８は、相互に撚り合された状態で、ケース連結部１２２の端部から突出している。
【０１６８】
次いで、筐体収容部１１２から突出した状態のケース本体部１２１の外側に筐体本体部１１１を嵌合させて、筐体本体部１１１の内周面に、ケース本体部１２１の外周面を、溶接、接着剤等によって相互に接合する。
【０１６９】
その後、筐体本体部１１１の端面１１１ａに、絶縁リング１４３におけるガイド溝１４３ａが設けられた端面を当接させる。この場合、筐体本体部１１１の端面１１１ａに設けられたガイドピン１１４をガイド溝１４３ａ内に挿入する。このような状態で、ケース連結部１２２内に口金１３０を挿入して、口金１３０を回転させる。これにより、ケース連結部１２２の外周面に設けられたネジ部１２２ｂに、口金１３０のシェル１３１内周面に設けられたネジ溝がネジ結合する。
【０１７０】
ケース連結部１２２にネジ結合された口金１３０をさらに回転させることによって、ケース連結部１２２は口金１３０の内部に挿入されるようにネジ送りされる。これにより、口金１３０におけるシェル１３１の端面によって絶縁リング１４３が、筐体本体部１１１の端面１１１ａに圧接される。このとき、ケース連結部１２２の外周面に設けられた一対の突起部１２２ｃは、絶縁リング１４３に設けられた係止溝１４３ｂ内に嵌合した状態になり、これにより、絶縁リング１４３は、ケース連結部１２２に対して回り止め状態になる。
【０１７１】
このような状態になると、回路基板１５１に設けられた一方のリード線１５８を、口金１３０のアイレット１３３に対して半田付けするとともに、他方のリード線１５８を、口金１３０のシェル１３１に半田付けする。
【０１７２】
この場合、各リード線１５８同士は、口金１３０に対して回路基板１５１が３６０°にわたって回転しても切断されないように、相互に撚り合される。これにより、本実施形態の電球形ＬＥＤランプ１００が組み立てられる。
【０１７３】
組み立てられた電球形ＬＥＤランプ１００は、口金１３０が、回路ケース１２０のケース連結部１２２に一体的に取り付けられており、しかも、口金１３０には、ケース連結部１２２に対して回り止め状態になった絶縁リング１４３によって、筐体１１０が、１回転（３６０°）を越えない範囲で回転可能に取り付けられている。また、筐体１１０に対して回路ケース１２０のケース本体部１２１が一体的に取り付けられた状態になっており、ケース本体部１２１に回路基板１５１が一体的に取り付けられている。さらには、回路基板１５１は、口金１３０とは一体になったケース連結部１２２に対して回転可能な状態になっている。
【０１７４】
筐体１１０における筐体本体部１１１および筐体収容部１１２の外周面は、前述した電球形ランプの台座１０と同様に、アルマイト処理によって、例えば、１０μｍの厚さのアルマイト層（陽極酸化皮膜、アルマイト皮膜）が形成されており、これにより、放熱性が向上している。
【０１７５】
なお、本例においても、筐体１１０の外周面にアルマイト層を形成する構成に代えて、所定の合成樹脂を塗装することによって放熱性を向上させることもできる。
このような電球形ＬＥＤランプ１００を、図１０に示す一般白熱電球用の照明器具７０に装着する場合には、筐体１１０をユーザーが把持した状態で、天井に取り付けられた器具本体部７１の下側の開口部から電球形ＬＥＤランプ１００を挿入する。この場合、開口部の大きさによっては、電球形ＬＥＤランプ１００を、ソケット７２の軸方向に対して垂直状態に近づくように傾斜させて、電球形ＬＥＤランプ１００の口金１３０をソケット７２に挿入する。
【０１７６】
そして、器具本体部７１内において、電球形ＬＥＤランプ１００の口金１３０をソケット７２にネジ結合させるために、筐体１１０を所定方向に回転させる。以下、この所定方向の回転を正転とする。この場合、ユーザーは、器具本体部７１内における下側の開口部に近接した比較的広い空間内で筐体１１０を正転操作することができる。
【０１７７】
なお、絶縁リング１４３に対する筐体１１０の回転走査には、筐体本体部１１１の端面１１１ａと絶縁リング１４３との間の摩擦力よりも若干大きな力が必要になる。
この場合、筐体本体部１１１の端面１１１ａに設けられたガイドピン１１４が、正転方向の回転を規制するように、ガイド溝１４３ａの係合部１４３ｃに当接していないと、ガイド溝１４３ａの係合部に当接するまで、絶縁リング１４３に対して筐体１１０を回転させる。
【０１７８】
この場合には、筐体１１０と一体となったケース本体部１２１が回転し、これにより、ケース本体部１２１内に一体的に取り付けられた回路基板１５１も回転する。しかし、回路基板１５１は、ケース連結部１２２に対しては回転可能になっているために、ケース連結部１２２は回転されない。従って、ケース連結部１２２と一体となった口金１３０が回転することなく、回路基板１５１が回転することになる。
【０１７９】
このとき、回路基板１５１と口金１３０とを電気的に接続する一対のリード線１５８は、相互に撚り合された状態になっていることにより、相互に捩じれた状態になるか、または、相互に捩じれた状態を解消することになる。しかも、筐体１１０は、ガイドピン１１４と、ガイド溝１４３ａとによって構成された規制部材によって、ケース連結部１２２に対して３６０°にわたって回転されるおそれがないために、各リード線１５８が切断あるいは破損するおそれがない。
【０１８０】
その後、筐体１１０のガイドピン１１４が、絶縁リング１４３の係合部１４３ｃに当接すると、絶縁リング１４３およびケース連結部１２２に対する筐体１１０の回転が規制された状態になる。しかし、ユーザーは、口金１３０をソケット７２に装着するためには、筐体１１０の正転操作を継続する必要があり、ユーザーは、筐体１１０の正転操作を継続する。
【０１８１】
これにより、ケース連結部１２２にネジ結合された口金１３０が筐体１１０と一体となって回転し、口金１３０がソケット７２にネジ結合される。
このようにして、電球形ＬＥＤランプ１００の口金１３０がソケット７２にネジ結合されると、ユーザーは、筐体１１０と一体となったモジュール支持台１４１に取り付けられているＬＥＤモジュール１４２が、器具本体部７１の下方からグローブ１１６を通して目視できる状態になっているかを確認する。グローブ１１６を通してＬＥＤモジュール１４２の全てを完全に目視することができない場合には、ＬＥＤモジュール１４２の光照射方向が、下方に向いていないとものとして、筐体１１０を正転方向とは反対方向に逆転操作する。
【０１８２】
この逆転操作も、筐体本体部１１１の端面１１１ａと絶縁リング１４３との間の摩擦力よりも若干大きな力が必要になる。
筐体１１０の逆転操作によって、筐体１１０と一体になったケース本体部１２１も筐体１１０の逆転方向と同方向に回転される。そして、グローブ１１６を介してＬＥＤモジュール１４２が目視されると、ＬＥＤモジュール１４２の光の照射方向が器具本体部７１の下方の任意の領域に向くように、筐体１１０をさらに逆転操作する。
【０１８３】
このようにして、ＬＥＤモジュール１４２の光の照射領域が、器具本体部７１の下方における任意の領域に向けられると、ユーザーは、筐体１１０の逆転操作を終了する。
このような状態になると、筐体１１０は、筐体本体部１１１の端面１１１ａに対して絶縁リング１４３によって作用する圧接力により、絶縁リング１４３に対して回転しない状態に維持されることになる。従って、絶縁リング１４３に対して回り止めされたケース連結部１２２、および、ケース連結部１２２にネジ結合された口金１３０も、筐体１１０に対して回転しない状態が維持される。
【０１８４】
このように、本実施形態の電球形ＬＥＤランプ１００は、口金１３０を、既存の一般白熱電球用の照明器具７０のソケット７２に装着する場合には、器具本体部７１内において筐体１１０を所定方向に回転操作すればよく、その後のＬＥＤモジュール１４２の光の照射方向を調整する場合には、筐体１１０を逆方向に回転操作すればよい。
【０１８５】
従って、電球形ＬＥＤランプ１００が照明器具７０のソケット７２に装着された状態で、器具本体部７１の内部に筐体１１０を回転操作できる空間があれば、ＬＥＤモジュール１４２の光の照射方向を調整することができる。その結果、ＬＥＤモジュール１４２の光の照射方向を調整するための空間を器具本体部７１の内部に確保する必要がなく、電球形ＬＥＤランプ１００が器具本体部７１の内面に近接した状態になるまで大型化することができる。
【０１８６】
このように、電球形ＬＥＤランプ１００を大型化できることによって、回路ケース１２０を大型化することも可能であるために、点灯回路１５５を構成する電子部品を大型化することができる。しかも、回路ケース１２０内に収容された点灯回路１５５の回路基板１５１が軸方向に沿った状態で配置されており、筐体１１０の軸方向に対して傾斜状態になったＬＥＤモジュール１４２の光の照射方向とは反対側の裏面部分に形成される空間の内部にも進入した状態になっているために、点灯回路ユニット１５５を構成する大型の電子部品をその空間内に配置することができる。
【０１８７】
その結果、点灯回路１５５を、ＬＥＤモジュール１４２に対して給電される電力量が増大できるような回路構成とすることができるために、ＬＥＤモジュール１４２を高出力化することが可能になり、電球形ランプを小型化および高出力化することができる。また、角電子部品を回路基板上に密集して配置する必要もなくなるために、電子部品が高熱状態になることを抑制することができる。
【０１８８】
また、ＬＥＤモジュール１４２の各ＬＥＤチップ１４２ａが発熱状態になっても、その熱は、モジュール支持台１４１を介して、放熱性を有する筐体１１０に伝達されることによって、放熱される。この場合、筐体１１０は、筐体本体部１１１および筐体収容部１１２を有することから表面積が大きくなっているために、効率よく放熱することができる。これにより、ＬＥＤモジュール１４２が高温になることを確実に防止することができる。また、筐体１１０の外周面に、アルマイト層、所定の合成樹脂層が形成されていることにより、放熱性が、一層、向上している。
【０１８９】
＜第２実施形態の変形例＞
なお、上記の実施形態２では、回路基板１５１は、筐体１１０に取り付けられたケース本体部１２１に一体的に取り付けられており、口金部１３０にネジ結合されたケース連結部１２２に対して回転可能になっているが、このような構成に限らず、図１５に示すように、回路基板１５１を、口金部１３０にネジ結合されたケース連結部１２２に対して一体的に取り付けて、ケース本体部１２１に対して回転可能に構成し、ケース本体部１２１と筐体１１０とを相互に回転可能に構成してもよい。
【０１９０】
この場合には、筐体１１０と一体となって回転するモジュール支持台１４１が、ケース本体部１２１に接触しないように、ケース本体部１２１が形成されている。すなわち、ケース本体部１２１は、円錐台形状に構成された筐体本体部１１１内に回転可能に収容された円錐台形状の基端部１２１Ａと、この基端部１２１Ａにおける大径側の端面中央部に、モジュール支持台１４１の裏面側に進出するように突出した円錐形状の突出部１２１Ｃとを有している。
【０１９１】
回路基板１５１は、突出部１２１Ｃ内に収容されるように、モジュール支持台１４１側の先端部が三角形状に突出しており、この先端部上に、適当な大きさの電子部品が実装されている。
【０１９２】
ＬＥＤモジュール１４２に接続された各リード線１５４は、モジュール支持台１４１に設けられた各貫通孔１４１ｂ内を通過した状態で相互に撚り合せられて、ケース本体部１２１の突出部１２１Ｃに設けられた一対の貫通孔１２１ｆのそれぞれを通過している。各貫通孔１２１ｆを通過したそれぞれのリード線１５４は、それぞれの端部が、回路基板１５１上の配線パターンにおける所定部分に電気的に接続されている。
【０１９３】
このような構成によっても、電球形ＬＥＤランプ１００を、図１０に示す一般白熱電球用の照明器具７０に装着する場合には、筐体１１０を所定方向に回転操作すると、筐体１１０は、ケース回路１２０に対して１回転にわたって回転される前に一体となって回転する。これにより、ケース回路１２０とは一体となった口金１３０が回転して、照明器具７０のソケット７２に装着される。その後、筐体１１０を反対方向に回転操作すると、ケース回路１２０に対して筐体１１０のみが回転されることになり、筐体１１０の開口部１１２ａに取り付けられたグローブ１１６が下側の所定方向に向けられる。
【０１９４】
なお、この場合には、口金１３０のシェル１３１およびアイレット１３３のそれぞれと接続された各リード線１５８は、相互に撚り合せる必要はないが、相互に撚り合された状態になっていても、特に問題はない。
【０１９５】
＜第３実施形態＞
図１６は、本実施形態における電球形ＬＥＤランプ２００の縦断面図、図１７は、その分解して示す斜視図である。
【０１９６】
本実施形態の電球形ＬＥＤランプ２００は、図１に示す照明器具７０と同様の照明器具に取り付けられる口金２３０と、口金２３０に取り付けられた台座２１０と、台座２１０に支持された一方向に沿って長く延びる帯状であって台座２１０に支持されたＬＥＤモジュール２５０と、ＬＥＤモジュール２５０を覆うように台座２１０に取り付けられた光透過性の外筒２２０とを備えている。
【０１９７】
口金２３０は、円筒形状に構成されたシェル２３１を有しており、シェル２３１の内部に、ＬＥＤモジュール２５０を点灯するための点灯回路ユニット２６０が設けられている。従って、本実施形態の電球形ＬＥＤランプには、前述した各実施形態の電球形ＬＥＤランプに設けられた回路ユニットケース、回路ケース等は設けられていない。
【０１９８】
台座２１０は、円筒形状の台座本体部２１３と、中心部を除いて台座本体部２１３の一方の端面を覆う台座底面部２１５と、台座底面部２１５の中心部の周囲から口金２３０側に向って突出する円筒形状の台座連結部２１４とを有しており、それらが、同一の材料によって一体的に構成されている。台座本体部２１３は、軸方向長さが、図７および図８に示す台座本体部１３よりも短くなっている。
【０１９９】
台座本体部２１３には、外筒２２０の一方の端部が嵌合されており、台座本体部２１３から口金２３０とは反対側に延出した状態で、台座本体部２１３と同軸状態で支持されている。外筒２２０は、ガラス等の光透過性材料によって、口金２３０側とは反対側に位置する他方の端面が覆われた円筒形状に構成されており、台座本体部２１３の外周面に嵌合された外筒２２０の一方の端部は、接着剤等によって台座本体部２１３に一体的に取り付けられている。
【０２００】
図１８は、台座本体部２１３の形状を説明するための外筒２２０の横断面の概略図である。台座本体部２１３には、口金２３０とは反対側の端部に、ＬＥＤモジュール２５０を支持するための支持部２１６が設けられている。外筒２２０の内部に位置する支持部２１６は、台座本体部２１３における口金２３０とは反対側の端面の一部を覆うように、台座本体部２１３の内周面に突き合わされた切片形状(半月状)になっている。
【０２０１】
帯板状のＬＥＤモジュール２５０は、支持部２１６における口金２３０とは反対側の端面に、長手方向の一方の端部が突き合わされた状態で支持されている。従って、ＬＥＤモジュール２５０は、台座本体部２１３の軸心から外れた位置において、軸心に平行になるように配置されている。
【０２０２】
ＬＥＤモジュール２５０は、図１６に示すように、一方向に沿って長く延びる帯板状の実装用基板２５１の片面上に複数のＬＥＤチップ２５２が実装されて、全てのＬＥＤチップ２５２が蛍光体含有樹脂２５３によって封止されている。実装用基板２５１は、例えば、光透過性を有さない所定の厚さのアルミナ基板によって構成されており、一方の端面が台座本体部２１３の支持部２１６に突き合わされて、当該支持部２１６に取り付けられている。ＬＥＤチップ２５２は、実装用基板２５１の長手方向に沿って、例えば２列に配置されている。なお、ＬＥＤチップ２５２は実装用基板２５１上に１列あるいは３列以上に配置されていてもよい。
【０２０３】
実装用基板２５１の実装面上には、所定の配線パターン(図示せず)が設けられており、各ＬＥＤチップ２５２は、所定の配線パターンと電気的に接続されている。実装用基板２５１における台座２１０側の端部には、各ＬＥＤチップ２５２が実装された表面に、各ＬＥＤチップ２５２に対して電流を供給するための一対の端子部２５５が設けられている。各端子部２５５には、一対のリード線２５８のそれぞれの端部が接続されている。
【０２０４】
蛍光体含有樹脂２５３は、例えば、シリコーン樹脂などの透光性材料に蛍光体粒子が分散された構成になっており、ＬＥＤチップ２５２により発せられる青色光の一部を、蛍光体粒子によって前記青色光より長波長側の光に変換する。蛍光体粒子によって変換された長波長側の光は、蛍光体粒子による波長の変換がされなかった青色光との混色によって白色光とされ、この白色光が蛍光体含有樹脂から外部に照射される。
【０２０５】
ＬＥＤモジュール２５０は、図１８に示すように、蛍光体含有樹脂２５３が、ＬＥＤモジュール２５０に近接した外筒２２０の内周面に対向するように、台座２１０の支持部２１６上に支持されている。従って、各ＬＥＤチップ２５２から出射されて蛍光体含有樹脂２５３を通過した光は、ＬＥＤモジュール２５に近接した外筒２２０の周面を通って、外筒２２０の外部に照射される。
【０２０６】
台座２１０における台座底面部２１５から、口金２３０に向って突出した台座連結部２１４は、軸方向長さが短く、その外周部には、外側に向って開口した台座側溝部２１４ａが全周にわたって形成されている。台座連結部２１４における口金２３０側の端部は、台座側溝部２１４ａの側壁部を形成する台座側突条２１４ｂになっている。この台座側突条２１４ｂは、軸方向長さ（厚さ）が全周にわたって一定になっている。
【０２０７】
図１７に示すように、台座側突条２１４ｂにおける口金２３０側の端面には、口金２３０側に向って突出する１つのストッパー２１４ｃが設けられている。ストッパー２１４ｃは、ピン形状（円柱形状）になっており、台座側突条２１４ｂの端面における周方向の任意の位置に設けられている。
【０２０８】
図１６に示すように、台座連結部２１４は、口金２３０と絶縁連結体２４０によって連結されている。図１７に示すように、絶縁連結体２４０は、絶縁性の弾性体によってそれぞれが半円筒形状に構成された一対の半円筒部材２４１を有している。各半円筒部材２４１は、相互に突き合わされることによって円筒形状になり、図１８に示すように、一方の端部が台座連結部２１４の外周部分に嵌合された状態で、当該端部を除く部分がシェル２３１内に挿入されている。
【０２０９】
図１９（ａ）は、一方の半円筒部材２４１の正面図、図１９（ｂ）および（ｃ）は、その半円筒部材２４１の台座２１０側および口金側のそれぞれの側面図である。各半円筒部材２４１には、シェル２３１から突出した端部に、シェル２３１の径方向の外側に向って張り出したフランジ部２４２がそれぞれ設けられている。
【０２１０】
各フランジ部２４２の内周部には、中心側に向って開口した口金側溝部２４３がそれぞれ設けられている。各半円筒部材２４１にそれぞれ設けられた口金側溝部２４３は、各半円筒部材２４１同士が相互に突き合わされることによって、全周にわたって連続した状態になる。各フランジ部２４２における台座２１０側の端部は、それぞれ、口金側溝部２４３の側壁部を形成する口金側突条２４４になっている。
【０２１１】
各口金側突条２４４は、口金２３０の軸方向に沿った長さ(厚さ)が全周にわたって一定になっている。また、口金側溝部２４３も、口金２３０の軸方向に沿った長さ（幅）が一定になっている。口金側溝部２４３の幅は、台座２１０の台座連結部２１４に設けられた台座側突条２１４ｂの厚さよりも若干短くなっている。
【０２１２】
なお、図１９に示すように、一方の半円筒部材２４１には、口金側溝部２４３における口金側突条２４４とは反対側の内周面に、周方向の中央部から、軸心に向って突出した係合突起２４５が設けられている。係合突起２４５は、周方向に沿って所定の長さに構成されており、台座２１０の台座側突条２１４ｂに設けられたストッパー２１４ｃが、周方向の両側部分に当接可能になっている。他方の半円筒部材２４１には、このような係合突起は設けられていない。
【０２１３】
絶縁連結体２４０は、各半円筒部材２４１のフランジ部２４２が、台座２１０における台座連結部２１４に嵌合されている。この場合、各半円筒部材２４１の口金側溝部２４３に、台座２１０の台座連結部２１４に設けられた台座側突条２１４ｂが嵌合されて、台座連結部２１４の台座側溝部２１４ａに、各半円筒部材２４１に設けられた口金側突条２４４が、それぞれ嵌合される。
【０２１４】
なお、台座側突条２１４ｂの厚さは、口金側溝部２４３の幅よりも若干長くなっているが、口金側溝部２４３が形成された各半円筒部材２４１は、絶縁性の弾性体によって構成されているために、台座側突条２１４ｂは、口金側溝部２４３内に圧入された状態になっている。これにより、台座側突条２１４ｂは、口金側溝部２４３とは圧接された状態になり、台座側突条２１４ｂは、口金側溝部２４３との摩擦力によって摺動しない状態に保持される。
【０２１５】
この場合、台座側突条２１４ｂの端面に設けられたストッパー２１４ｃは、絶縁連結体２４０における口金側溝部２４３よりも奥側に入り込んだ状態になる。
このような状態で、台座側突条２１４ｂに、口金側溝部２４３との摩擦力よりも大きな回転力（トルク）が加わると、台座側突条２１４ｂは口金側溝部２４３内を摺動する。
【０２１６】
台座側突条２１４ｂを、口金側溝部２４３内を周方向のいずれか一方へ摺動させると、ストッパー２１４ｃは、一方の半円筒部材２４１に設けられた係合突起２４５における周方向の片側に当接することになる。
【０２１７】
これにより、台座側突条２１４ｂは、口金側溝部２４３に対して、摺動方向への移動が規制されることになる。このような状態で、台座側突条２１４ｂに対して同じ方向に回転力を加えると、ストッパー２１４ｃが当接した係合突起２４５が、ストッパー２１４ｃに押されて、ストッパー２１４ｃと一体的に回転する。その結果、台座側突条２１４ｂと口金側溝部２４３とが一体的に同方向に回転されることになる。
【０２１８】
このように、台座側突条２１４ｂは、係合突起２４５における周方向の各端部に当接するまで、口金側溝部２４３内を摺動可能になっている。従って、台座２１０の台座連結部２１４は、絶縁連結体２４０に対して、３６０°よりも若干小さな範囲の角度（３５０°程度）で回転可能になっており、台座２１０と一体となった外筒２２０は、口金２３０に対して同じ範囲で回転することが可能になっている。
【０２１９】
絶縁連結体２３２は、台座２１０の台座連結部２１４に嵌合された状態で、フランジ部２４２とは反対側の端部から、シェル２３１内に挿入されており、シェル２３１に対して接着剤等によって一体的に取り付けられている。
【０２２０】
図１６に示すように、シェル２３１の周面には、前記各実施形態と同様に、照明器具におけるソケット内にシェル２３１を装着するためのねじ部２３１ａが設けられている。シェル２３１の周面に設けられたねじ部２３１ａは、シェル２３１の外周面と内周面とにおいて、谷部と山部とが逆転したねじ溝をそれぞれ形成している。
【０２２１】
シェル２３１における台座２１０とは反対側の端部には、絶縁接続体２３２が設けられている。絶縁接続体２３２は半球形状になっており、絶縁接続体２３２の外周面にアイレット２３３が取り付けられている。アイレット２３３には、シェル２３１の軸方向に沿って電力供給ピン２３４が取り付けられている。電力供給ピン２３４は、アイレット２３３から絶縁接続体２３２側に延びており、絶縁接続体２３２の軸心部を通って、シェル２３１の内部に突出している。
【０２２２】
シェル２３１の内部に設けられた点灯回路ユニット２６０は、シェル２３１の軸心方向に沿って長くなった平板状の回路基板２６１を有しており、回路基板２６１の両面に、点灯回路を構成する各種電子部品が実装されている。
【０２２３】
回路基板２６１は、長手方向と直交する幅方向の長さが、全体にわたって、シェル２３１におけるねじ部２３１ａの直径にほぼ等しくなっており、回路基板２６１の長手方向に沿った中心線が、シェル２３１の軸心と一致した状態になっている。
【０２２４】
回路基板２６１の両側の各側面には、シェル２３１に設けられたねじ部２３１ａの山部および谷部に対応した凹凸部２６２が設けられている。凹凸部２６２がそれぞれ形成された回路基板２６２の各側縁部には、それぞれ、導電性および熱伝導性を有する側部導電パターン２６３が形成されている。各側部導電パターン２６３は、導電性および熱伝導性に優れた銅、アルミニウム等の金属によって構成されている。各側部導電パターン２６３は、回路基板２６１の凹凸部２６２に沿った凹凸形状になっている。
【０２２５】
回路基板２６１は、各側部導電パターン２６３が設けられた端部を、シェル２３１内に突き当てた状態で、長手方向に沿った中心軸周りに回転させることにより、各凹凸部２６２が、シェル２３１のねじ部２３１ａに係合することによりねじ結合状態になる。回路基板２６１は、各凹凸部２６２が、ねじ部２３１ａにねじ結合した状態で中心軸周りの回転を継続することにより、シェル２３１に対して長手方向に沿って挿入され、シェル２３１内に挿入された端部が、シェル２３１に設けられた絶縁接続体２３２に突き当たった状態になる。
【０２２６】
シェル２３１内に挿入された回路基板２６１の端部における中央部分は、導電性および熱伝導性を有する先端導電部２６４になっている。この先端導電部２６４も、導電性および熱伝導性に優れた銅、アルミニウム等の金属によって構成されている。先端導電部２６４には、絶縁接続体２３２から突出した電力供給ピン２３４が挿入されるピン孔２６５が設けられており、このピン孔２６５に挿入された電力供給ピン２３４は、先端導電部２６４と電気的に接続された状態になる。
【０２２７】
回路基板２６１は、絶縁連結体２４０内を通って、台座２１０における台座本体部２１３内に進入した状態になっている。台座本体部２１３内に位置する回路基板２６１の端部には、一対のリード線２５８の端部が接続されている。各リード線２５８のそれぞれの他方の端部は、前述したように、台座本体部２１３の支持部２１６に支持されたＬＥＤモジュール２５０の各端子部２５５にそれぞれ接続されている。各リード線２５８は、口金２３０に対して台座２１０が３６０°にわたって回転した場合にも、切断されないような長さになっている。
【０２２８】
このような構成の電球形ＬＥＤランプ２００を、図１に示す一般白熱電球用の照明器具７０に装着する場合には、予め、口金２３０に対して外筒２２０を、口金２３０をソケット７２にネジ結合させる場合の回転方向（以下、この方向への回転を正転と称する）とは反対方向（以下、この方向への回転を逆転と称する）に回転させる。この場合、口金２３０に対して外筒２２０にトルクを加えることにより、台座連結部２１４に設けられた台座側突条２１４ｂは、絶縁連結体２４０に設けられた口金側溝部２４３内を摺動する。
【０２２９】
外筒２２０を口金２３０に対して正転操作すると、絶縁連結体２４０に設けられたストッパー２１４ｃが、絶縁連結体２４０に設けられた係合突起２４５に当接した状態になり、外筒２２０を口金２３０に対して正転することができなくなる。
【０２３０】
このような状態で、ユーザーは、外筒２２０を把持した状態で、天井に取り付けられた器具本体部７１の下側の開口部から電球形ＬＥＤランプ２００を挿入する。この場合、開口部の大きさによっては、電球形ＬＥＤランプ２００を、ソケット７２の軸方向に対して垂直状態に近づくように傾斜させて、電球形ＬＥＤランプ２００の口金２３０をソケット７２に挿入する。
【０２３１】
そして、器具本体部７１内において、電球形ＬＥＤランプ２００の口金２３０をソケット７２にネジ結合させるために、外筒２２０を正転させる。この場合、ユーザーは、器具本体部７１内における下側の開口部に近接した比較的広い空間内で外筒２２０を正転操作することができる。これにより、外筒２２０と一体となった台座２１０が同方向に正転される。
【０２３２】
この場合、外筒２２０と一体となった台座２１０が正転操作されると、台座２１０の台座連結部２１４に取り付けられた絶縁連結体２４０と口金２３０とが一体となっているために、口金２３０は、ソケット７２からほとんど力を受けることなく回転して、ソケット７２内にネジ送りされる。従って、台座連結部２１４にはトルクが加わらず、台座連結部２１４に設けられた台座側突条２１４ｂは、絶縁連結体２４０に設けられた口金側溝部２４３とは摺動しない。
【０２３３】
このようにして、電球形ＬＥＤランプ２００の口金２３０がソケット７２に装着されると、口金２３０は、ソケット７２に対して回転しない状態になり、外筒２２０は、ほぼ水平状態になる。その後、ユーザーは、台座２１０に取り付けられているＬＥＤモジュール２５０を、器具本体部７１の下方から、光透過性の外筒２２０を通して目視し、ＬＥＤモジュール２５０に設けられた蛍光体含有樹脂２５３の位置を確認する。そして、蛍光体含有樹脂２５３が、水平状態になった外筒２２０の下側に位置するように、外筒２２０を、さらに正転操作する。
【０２３４】
この場合、台座側突条２１４ｂの端面に設けられたストッパー２１４ｃは、絶縁連結体２４０の係合突起２４５に当接した状態になっており、また、口金２３０は、ソケット７２に装着されてソケット７２に対して正転できない状態になっていることから、外筒２２０を正転操作することにより、外筒２２０と一体となった台座２１０は、口金２３０に取り付けられた絶縁連結体２４０に対して正転方向へのトルクが加わる。これにより、台座連結部２１４に設けられた台座側突条２１４ｂは、絶縁連結体２４０に設けられた口金側溝部２４３内を正転方向に摺動する。
【０２３５】
従って、ソケット７２に取り付けられた口金２３０に対して、外筒２２０と一体となった台座２１０が正転し、台座２１０に取り付けられたＬＥＤモジュール２５０は、外筒２２０とともに回転する。ＬＥＤモジュール２５０は、外筒２２０とは偏心状態で配置されているために、外筒２２０の軸心回りを周回移動する。これにより、ＬＥＤモジュール２５０の蛍光体含有樹脂２５３を、外筒２２０の下部内に位置させることができる。その結果、蛍光体含有樹脂２５３は下方に向いた状態になる。
【０２３６】
このような状態になると、外筒２２０の正転操作を終了する。この場合、台座連結部２１４に設けられた台座側突条２１４ｂは、絶縁連結体２４０に設けられた口金側溝部２４３内に圧接された状態になっているために、外筒２２０は口金２３０に対して回転するおそれがなく、従って、ＬＥＤモジュール２５０は、外筒２２０の下部内における所定の位置に保持されることになる。
【０２３７】
照明器具７０に装着された電球形ＬＥＤランプ２００では、ＬＥＤモジュール２５０のＬＥＤチップ２５２から出射される光が、外筒２２０を通って、電球形ＬＥＤランプ２００の下方域に照射される。この場合、ＬＥＤチップ２５２は、外筒２２０の軸方向に沿って配列されているために、電球形ＬＥＤランプ２００の下方域を、外筒２２０の軸方向に沿って一様に、かつ広範囲にわたって照明することができる。
【０２３８】
なお、本実施形態の電球形ＬＥＤランプ２００では、ＬＥＤモジュール２５０を、図２０に示すように、実装用基板２５１におけるＬＥＤチップ２５２の実装面とは反対側の裏面が、ＬＥＤモジュール２５０に近接した外筒２２０の内周面に対向するように、台座２１０の支持部２１６に取り付ける構成としてもよい。この場合には、照明器具に対して、ＬＥＤモジュール２５０が外筒２２０の上部内に位置するように調整される。これにより、ＬＥＤモジュール２５０のＬＥＤチップ２５２から出射される光は、照明器具の下方に向って照射される。
【０２３９】
また、本実施形態の電球形ＬＥＤランプ２００では、図２１（ａ）に示すように、外筒２２０のほぼ全周から光を照射する構成とすることもできる。この場合、ＬＥＤモジュール２５０は、実装用基板２５１の両面にＬＥＤチップ２５２が実装されており、実装用基板２５１のそれぞれの面に実装されたＬＥＤチップ２５２が、蛍光体含有樹脂２５３によって覆われている。
【０２４０】
また、ＬＥＤモジュール２５０が取り付けられる台座２１０の支持部２１６は、台座本体部２１３の中央部において直径方向に沿った帯板状に形成されている。支持部２１６は、軸心を挟んで対向する台座本体部２１３のそれぞれの内周部にわたって架設された状態になっている。ＬＥＤモジュール２５０は、実装用基板２５１の長手方向に沿った軸心が、外筒２２０の軸心と一致するように、支持部２１６上に支持されている。
【０２４１】
このような電球形ＬＥＤランプ２００では、光透過性の外筒２００内に設けられたＬＥＤモジュール２５０は、実装用基板２５１の両面にＬＥＤチップ２５２が実装されているために、外筒２２０の軸心を中心として、ほぼ全方位にわたって広範囲に光を照射することが可能である。
【０２４２】
従って、口金２３０が器具本体部７１のソケット７２に装着されると、ＬＥＤモジュール２５０による光の照射方向を調整する必要は特にない。しかし、外筒２２０の回転操作によって光の照射方向を調整できるために、ユーザーの好み等に応じた光の照射方向とすることができる。
【０２４３】
なお、電球形ＬＥＤランプ２００は、上述のように、ＬＥＤモジュール２５０による光の照射方向を調整する必要がないために、口金２３０と、台座２１０とが回転可能になっている必要はなく、両者が一体的に取り付けられた構成であってもよい。
【０２４４】
また、実装用基板２５１の両面にＬＥＤチップを実装する構成に限らず、図２１（ｂ）に示すように、光透過性を有する実装用基板２５１を用いて、実装用基板２５１の一方の面にのみＬＥＤチップ２５２を実装して蛍光体含有樹脂２５３によって覆う構成としてもよい。実装用基板２５１は、例えば、厚さ０.８ｍｍのアルミナ基板が使用されており、これにより実装用基板２５１は光透過性になっている。
【０２４５】
このような構成でも、光透過性の外筒２００内に設けられたＬＥＤモジュール２５０は、光透過性を有する実装用基板２５１上にＬＥＤチップ２５２が設けられているために、ＬＥＤチップ２５２から実装用基板２５１に向けて出射される光が、実装用基板２５１を通過することになる。これにより、実装用基板２５１を通過した光は、光透過性の外筒２２０を通って外部に照射される。従って、このような構成でも、外筒２２０の軸心を中心として、ほぼ全方位にわたって広範囲に光を照射することが可能である。
【産業上の利用可能性】
【０２４６】
本発明は、半導体発光素子を光源として用いた電球形ＬＥＤランプにおいて、ミニクリプトン電球等の既存の小型電球の代替として有用な技術である。
【符号の説明】
【０２４７】
１０        台座
１１        台座本体部
１２        台座基端部
１２ａ      貫通穴
１２ｂ      台座底面
１２ｃ      係合部
２０        回路ユニットケース
２１        ケース本体部
２２        連結部
２４        ストッパーリング
２４ａ      ストッパー
５６ａ      回路基板
３０        口金
３１        シェル
３５        撚り線
４０        支持台
４１        支持本体部
４２        支持台部
４３        絶縁部材
５１        ＬＥＤモジュール
５６        点灯回路ユニット
１１０      筐体
１１１      筐体本体部
１１２      筐体収容部
１１２ａ    開口部
１１４      ガイドピン
１２０      回路ケース
１２１      ケース本体部
１２２      ケース連結部
１２２ｂ    ネジ部
１３０      口金
１３１      シェル
１３３      アイレット
１４１      モジュール支持台
１４２      ＬＥＤモジュール
１４３      絶縁リング
１４３ａ    ガイド溝
１５０      点灯回路ユニット
１５１      回路基板
１５４      リード線
１５８      リード線
２１０      台座
２１３      台座本体部
２１６      支持部
２１４      台座連結部
２１４ａ    台座側溝部
２１４ｂ    台座側突条
２１４ｃ    ストッパー
２１５      台座底面部
２４０      絶縁連結体
２４１      半円筒部材
２４２      フランジ部
２４３      口金側溝部
２４５      係合突起
２３０      口金
２３１      シェル
２３１ａ    ねじ部
２３２      絶縁接続体
２３４      電力供給ピン
２５０      ＬＥＤモジュール
２６０      点灯回路ユニット
２６１      回路基板
２６２      凹凸部
２６４      先端導電部
【手続補正２】
【補正対象書類名】特許請求の範囲
【補正対象項目名】全文
【補正方法】変更
【補正の内容】
【特許請求の範囲】
【請求項１】
照明器具のソケットに装着される口金と、
前記口金に、当該口金の軸心回りに回転可能に支持された台座と、
半導体発光素子を有し、当該半導体発光素子による光の照射方向が、前記口金の軸心に対して傾斜状態または垂直状態になるように、前記台座の端部または外面に取り付けられた発光モジュールと、
を有することを特徴とする電球形ランプ。
【請求項２】
前記台座は中空になっており、
当該台座の内部に、前記発光モジュールの半導体発光素子を点灯させるための点灯回路ユニットが設けられていることを特徴とする請求項１に記載の電球形ランプ。
【請求項３】
前記点灯回路ユニットを収納するケースをさらに有し、
当該ケースの一部が前記台座の内部に配置されていることを特徴とする請求項２に記載の電球形ランプ。
【請求項４】
前記ケースには、前記台座から外部に突出した状態で前記口金が取り付けられる連結部が設けられていることを特徴とする請求項３に記載の電球形ランプ。
【請求項５】
前記口金に対する前記台座の回転が１回転を超えないように規制する規制部材をさらに有することを特徴とする請求項４に記載の電球形ランプ。
【請求項６】
前記規制部材は、前記ケースの連結部に嵌合した状態で前記ケースに取り付けられたリング部材を有し、
当該リング部材における周方向の１か所と、前記台座における前記連結部の周囲に位置する部分の周方向の１か所とのそれぞれに、当該台座と前記ケースとが相対的に回転することによって相互に係合し得る係合部が設けられていることを特徴とする請求項５に記載の電球形ランプ。
【請求項７】
前記台座における前記口金とは反対側の端部に、当該端部内に当該台座と一体的に回転可能になった支持台が設けられており、
前記発光モジュールは、前記支持台に、前記半導体発光素子による光の照射方向が前記口金の軸心に対して所定の傾斜角度になるように、取り付けられていることを特徴とする請求項１に記載の電球形ランプ。
【請求項８】
前記点灯回路ユニットが、電気配線によって前記口金に電気的に接続された状態で、前記台座に一体的に取り付けられており、
前記電気配線が、前記台座の回転に追従可能になっていることを特徴とする請求項２に記載の電球形ランプ。
【請求項９】
前記台座および前記支持台は、それぞれ高熱伝導率であって、相互に接触した状態になっていることを特徴とする請求項８に記載の電球形ランプ。
【請求項１０】
前記台座および前記支持台は、アルミニウムによって構成されていることを特徴とする請求項９に記載の電球形ランプ。
【請求項１１】
前記発光モジュールは、前記台座の外面に取り付けられていることを特徴とする請求項２に記載の電球形ランプ。
【請求項１２】
前記発光モジュールは、帯板状の実装基板と、当該実装基板の片面上に長手方向に沿って実装された複数の半導体発光素子とを備えていることを特徴とする請求項１１に記載の電球形ランプ。
【請求項１３】
前記点灯回路ユニットが、前記口金に電気的に接続された状態で、前記ケースに一体的に取り付けられており、
前記点灯回路ユニットと、前記前記発光モジュールの半導体発光素子とがロータリー接点によって電気的に接続されていることを特徴とする請求項１１に記載の電球形ランプ。
【請求項１４】
前記台座における前記口金とは反対側の端部に、前記発光モジュールを覆う光透過性のグローブが取り付けられていることを特徴とする請求項１に記載の電球形ランプ。
【請求項１５】
前記グローブには、前記発光モジュールから照射される光を前記照射方向になるように反射させる反射部材が設けられていることを特徴とする請求項１４に記載の電球形ランプ。
【請求項１６】
照明器具のソケットに装着される口金と、
前記口金に取り付けられた筐体と、
半導体発光素子を有し、当該半導体発光素子による光の照射方向が、前記口金の軸心に対して傾斜状態になるように、前記筐体の内部に配置された発光モジュールと、
前記発光モジュールおよび前記口金にそれぞれ電気的に接続された点灯回路と、
当該点灯回路が実装された状態で前記筐体の内部に収容された回路基板と、を備え、
前記回路基板は、前記口金の軸心に沿った状態で設けられるとともに、前記口金から遠い側の端部が、前記発光モジュールの光照射方向とは反対側に形成された前記筐体の空間内に進入していることを特徴とする電球形ランプ。
【請求項１７】
前記回路基板は、前記口金から遠い側の端部の側縁が、前記発光モジュールに近接した状態になっており、他方の端部が前記口金の内部に収容されていることを特徴とする請求項１６に記載の電球形ランプ。
【請求項１８】
前記筐体は、放熱性を有しており、しかも、前記発光モジュールと熱伝導状態になるとともに、前記口金とは絶縁状態になっていることを特徴とする請求項１６に記載の電球形ランプ。
【請求項１９】
前記回路基板が、前記筐体および前記口金のいずれか一方とは回転可能であって、他方とは一体的に構成されていることを特徴とする請求項１６に記載の電球形ランプ。
【請求項２０】
前記口金に対する前記筐体の回転が１回転を超えないように規制する規制部材をさらに有することを特徴とする請求項１９に記載の電球形ランプ。
【請求項２１】
前記規制部材は、
前記口金によって前記筐体に圧接されており、当該筐体に対向して、周方向の１か所において不連続になったリング状のガイド溝が設けられた絶縁リングと、
当該絶縁リングにおける前記ガイド溝内にスライド可能に嵌合するように、前記筐体に取り付けられたガイドピンと、
を有することを特徴とする請求項２０に記載の電球形ランプ。
【請求項２２】
前記点灯回路ユニットを収納する回路ケースをさらに有し、
当該回路ケースが、前記筐体の内部から前記口金の内部にわたって配置されていることを特徴とする請求項１６に記載の電球形ランプ。
【請求項２３】
前記回路ケースは、
前記筐体の内部に配置されるケース本体部と、
当該ケース本体部に対して回転可能になっており、前記筐体から外部に突出した状態で、前記口金の内部に一体的に取り付けられたケース連結部と、を有することを特徴とする請求項２２に記載の電球形ランプ。
【請求項２４】
前記ケース本体部は、前記筐体に一体的に取り付けられており、
前記回路基板は、前記ケース本体部に一体的に取り付けられるとともに、前記ケース連結部に対して回転可能になっていることを特徴とする請求項２３に記載の電球形ランプ。
【請求項２５】
前記回路基板は、一対の電気配線によって前記口金に電気的に接続されており、
前記一対の電気配線は、前記回路基板と前記口金とが１回転以上にわたって回転するように、相互に撚り合されていることを特徴とする請求項２４に記載の電球形ランプ。
【請求項２６】
前記ケース本体部は、前記筐体に対して回転可能であり、
前記回路基板は、前記ケース連結部に一体的に取り付けられるとともに、前記ケース本体部に対して回転可能になっていることを特徴とする請求項２３に記載の電球形ランプ。
【請求項２７】
前記回路基板は、一対の電気配線によって前記発光モジュールに電気的に接続されており、
前記一対の電気配線が、前記回路基板と前記発光モジュールとが１回転以上にわたって回転できるように、相互に撚り合されていることを特徴とする請求項２６に記載の電球形ランプ。
【請求項２８】
前記発光モジュールは、前記筐体の空間内に、前記開口部に対向した状態で、当該筐体とは熱伝導状態で取り付けられた熱伝導性のモジュール支持台上に搭載されていることを特徴とする請求項１６に記載の電球形ランプ。
【請求項２９】
照明器具のソケットに装着される口金と、
前記口金と一体的に回転するように、当該口金に連結された台座と、
帯板状の実装基板と、当該実装基板の長手方向に沿って実装された複数の半導体発光素子とを備えた発光モジュールと、を有し、
前記実装基板が、前記口金の軸心に沿って前記口金とは反対側に延出するように、前記台座の端部に支持されており、
前記台座は、前記口金に対して回転可能になっていることを特徴とする電球形ランプ。
【請求項３０】
前記発光モジュールの実装基板が、前記外筒の軸心から外れた位置に配置されていることを特徴とする請求項２９に記載の電球形ランプ。
【請求項３１】
前記発光モジュールの実装基板は、光透過性であって、前記外筒の軸心位置に配置されていることを特徴とする請求項２９に記載の電球形ランプ。
【請求項３２】
前記発光モジュールは、前記実装基板の両面のそれぞれに、長手方向に沿って複数の半導体発光素子が実装されており、前記実装基板は、前記外筒の軸心に沿って配置されていることを特徴とする請求項２９に記載の電球形ランプ。
【手続補正３】
【補正対象書類名】図面
【補正対象項目名】全図
【補正方法】変更
【補正の内容】
【図１】
2011077725.tif 000024
【図２】
2011077725.tif 000025
【図３】
2011077725.tif 000026
【図４】
2011077725.tif 000027
【図５】
2011077725.tif 000028
【図６】
2011077725.tif 000029
【図７】
2011077725.tif 000030
【図８】
2011077725.tif 000031
【図９】
2011077725.tif 000032
【図１０】
2011077725.tif 000033
【図１１】
2011077725.tif 000034
【図１２】
2011077725.tif 000035
【図１３】
2011077725.tif 000036
【図１４】
2011077725.tif 000037
【図１５】
2011077725.tif 000038
【図１６】
2011077725.tif 000039
【図１７】
2011077725.tif 000040
【図１８】
2011077725.tif 000041
【図１９】
2011077725.tif 000042
【図２０】
2011077725.tif 000043
【図２１】
2011077725.tif 000044
【国際調査報告】
2011077725.tif 000045
2011077725.tif 000046